(57)【要約】  物体側から像側へと順に、正のパワーを有する第１レンズ群と、第２レンズ群とからなり、無限遠合焦状態から近接物体合焦状態へのフォーカシングの際に、前記第１レンズ群は光軸に沿って移動し、前記第２レンズ群は像面に対して固定されている、小型でありながら、諸収差の発生が充分に抑制され、無限遠合焦状態から近接物体合焦状態まで解像度が高く、明るく高性能で、広角撮影にも適した撮像光学系。
2015040867.tif 000002
【特許請求の範囲】
【請求項１】
物体側から像側へと順に、
正のパワーを有する第１レンズ群と、
第２レンズ群と、からなり、
無限遠合焦状態から近接物体合焦状態へのフォーカシングの際に、前記第１レンズ群は、光軸に沿って移動し、前記第２レンズ群は、像面に対して固定されている、撮像光学系。
【請求項２】
以下の条件（１）を満足する、請求項１に記載の撮像光学系：
０．０７＜ＬＧ１２／Ｌ＜０．４０  ・・・（１）
ここで、
ＬＧ１２：無限遠合焦状態における、第１レンズ群の最像側レンズ面と第２レンズ群の最物体側レンズ面との光軸上での距離、
Ｌ：無限遠合焦状態における、第１レンズ群の最物体側レンズ面と像面との光軸上での距離を示すレンズ全長
である。
【請求項３】
以下の条件（２）を満足する、請求項１に記載の撮像光学系：
０．０７＜ＢＦ／Ｉｒ＜０．４０  ・・・（２）
ここで、
ＢＦ：第２レンズ群の最像側レンズ面と像面との光軸上での空気換算距離、
Ｉｒ：次式で表される、撮像素子の像高
Ｉｒ＝ｆ×ｔａｎω、
ｆ：無限遠合焦状態における全系の焦点距離、
ω：無限遠合焦状態における半画角
である。
【請求項４】
以下の条件（３）を満足する、請求項１に記載の撮像光学系：
０．５＜Ｙ’／（Ｌ−ＬＧ１２）＜１．０  ・・・（３）
ここで、
Ｙ’：最大像高、
Ｌ：無限遠合焦状態における、第１レンズ群の最物体側レンズ面と像面との光軸上での距離を示すレンズ全長、
ＬＧ１２：無限遠合焦状態における、第１レンズ群の最像側レンズ面と第２レンズ群の最物体側レンズ面との光軸上での距離
である。
【請求項５】
前記第１レンズ群は、開口絞りを有し、以下の条件（４）を満足する、請求項１に記載の撮像光学系：
０．５＜ＬＡ／Ｌ＜１．０  ・・・（４）
ここで、
ＬＡ：開口絞りから像面までの光軸上での距離、
Ｌ：無限遠合焦状態における、第１レンズ群の最物体側レンズ面と像面との光軸上での距離を示すレンズ全長
である。
【請求項６】
前記第１レンズ群は、物体側から像側へと順に、
負のパワーを有する第１レンズ素子と、
少なくとも１枚の後続レンズ素子と、からなる、請求項１に記載の撮像光学系。
【請求項７】
前記第１レンズ群は、物体側から像側へと順に、
第１レンズ素子と、
少なくとも１枚の後続レンズ素子と、からなり、
前記後続レンズ素子のうち最物体側に位置する第２レンズ素子のパワーの符号は、前記第１レンズ素子のパワーの符号と逆である、請求項１に記載の撮像光学系。
【請求項８】
前記第１レンズ群の最像側レンズ面は、像側に凸面を向けており、
前記第２レンズ群の最物体側レンズ面は、物体側に凹面を向けており、
以下の条件（５）を満足する、請求項１に記載の撮像光学系：
−１．０＜（ＲＧ１ｒ２−ＲＧ２ｒ１）／（ＲＧ１ｒ２＋ＲＧ２ｒ１）＜０．０  ・・・（５）
ここで、
ＲＧ１ｒ２：第１レンズ群の最像側レンズ面の曲率半径、
ＲＧ２ｒ１：第２レンズ群の最物体側レンズ面の曲率半径
である。
【請求項９】
以下の条件（６）を満足する、請求項６に記載の撮像光学系：
０．５＜｜ｆＬ１／ｆ｜＜５．０  ・・・（６）
ここで、
ｆＬ１：無限遠合焦状態における第１レンズ素子の焦点距離、
ｆ：無限遠合焦状態における全系の焦点距離
である。
【請求項１０】
以下の条件（７）を満足する、請求項１に記載の撮像光学系：
−１．０＜ｆＧ１／ｆＧ２＜−０．３  ・・・（７）
ここで、
ｆＧ１：無限遠合焦状態における第１レンズ群の合成焦点距離、
ｆＧ２：無限遠合焦状態における第２レンズ群の合成焦点距離
である。
【発明の詳細な説明】
【技術分野】
【０００１】
本開示は、撮像光学系に関する。
【背景技術】
【０００２】
特許文献１は、撮像素子側のレンズを固定するとともに、最も被写体側のレンズを含む複数のレンズを有するレンズ群を光軸方向に移動させてフォーカシングを行う撮像レンズ系を開示する。【０００３】
特許文献２は、４枚又は５枚のレンズで構成され、全系を光軸上で移動させてフォーカシングを行う撮像光学系を開示する。
【先行技術文献】
【特許文献】
【０００４】
【特許文献１】国際公開第２０１０／１４３４５９号公報
【特許文献２】特開２０１３−１９５６８８号公報
【発明の概要】
【発明が解決しようとする課題】
【０００５】
本開示は、小型でありながら、諸収差の発生が充分に抑制され、無限遠合焦状態から近接物体合焦状態まで解像度が高く、明るく高性能で、広角撮影にも適した撮像光学系を提供する。
【課題を解決するための手段】
【０００６】
本開示における撮像光学系は、
物体側から像側へと順に、
正のパワーを有する第１レンズ群と、
第２レンズ群と、からなり、
無限遠合焦状態から近接物体合焦状態へのフォーカシングの際に、前記第１レンズ群は、光軸に沿って移動し、前記第２レンズ群は、像面に対して固定されている
ことを特徴とする。
【発明の効果】
【０００７】
本開示における撮像光学系は、小型でありながら、諸収差の発生が充分に抑制され、無限遠合焦状態から近接物体合焦状態まで解像度が高く、明るく高性能で、広角撮影にも適している。
【図面の簡単な説明】
【０００８】
【図１】図１は、実施の形態Ｉ−１（数値実施例Ｉ−１）に係る撮像光学系のレンズ配置図である。
【図２】図２は、数値実施例Ｉ−１に係る撮像光学系の縦収差図である。
【図３】図３は、実施の形態Ｉ−１に係る撮像光学系を適用した携帯端末の概略構成図である。
【図４】図４は、実施の形態II−１（数値実施例II−１）に係る撮像光学系のレンズ配置図である。
【図５】図５は、数値実施例II−１に係る撮像光学系の縦収差図である。
【図６】図６は、実施の形態II−２（数値実施例II−２）に係る撮像光学系のレンズ配置図である。
【図７】図７は、数値実施例II−２に係る撮像光学系の縦収差図である。
【図８】図８は、実施の形態II−３（数値実施例II−３）に係る撮像光学系のレンズ配置図である。
【図９】図９は、数値実施例II−３に係る撮像光学系の縦収差図である。
【図１０】図１０は、実施の形態II−４（数値実施例II−４）に係る撮像光学系のレンズ配置図である。
【図１１】図１１は、数値実施例II−４に係る撮像光学系の縦収差図である。
【図１２】図１２は、実施の形態II−５（数値実施例II−５）に係る撮像光学系のレンズ配置図である。
【図１３】図１３は、数値実施例II−５に係る撮像光学系の縦収差図である。
【図１４】図１４は、実施の形態II−１に係る撮像光学系を適用した携帯端末の概略構成図である。
【図１５】図１５は、実施の形態III−１（数値実施例III−１）に係る撮像光学系のレンズ配置図である。
【図１６】図１６は、数値実施例III−１に係る撮像光学系の縦収差図である。
【図１７】図１７は、実施の形態III−２（数値実施例III−２）に係る撮像光学系のレンズ配置図である。
【図１８】図１８は、数値実施例III−２に係る撮像光学系の縦収差図である。
【図１９】図１９は、実施の形態III−３（数値実施例III−３）に係る撮像光学系のレンズ配置図である。
【図２０】図２０は、数値実施例III−３に係る撮像光学系の縦収差図である。
【図２１】図２１は、実施の形態III−１に係る撮像光学系を適用した携帯端末の概略構成図である。
【図２２】図２２は、実施の形態IV−１（数値実施例IV−１）に係る撮像光学系のレンズ配置図である。
【図２３】図２３は、数値実施例IV−１に係る撮像光学系の縦収差図である。
【図２４】図２４は、実施の形態IV−２（数値実施例IV−２）に係る撮像光学系のレンズ配置図である。
【図２５】図２５は、数値実施例IV−２に係る撮像光学系の縦収差図である。
【図２６】図２６は、実施の形態IV−３（数値実施例IV−３）に係る撮像光学系のレンズ配置図である。
【図２７】図２７は、数値実施例IV−３に係る撮像光学系の縦収差図である。
【図２８】図２８は、実施の形態IV−１に係る撮像光学系を適用した携帯端末の概略構成図である。
【図２９】図２９は、実施の形態Ｖ−１（数値実施例Ｖ−１）に係る撮像光学系のレンズ配置図である。
【図３０】図３０は、数値実施例Ｖ−１に係る撮像光学系の縦収差図である。
【図３１】図３１は、数値実施例Ｖ−１に係る撮像光学系の像ぶれ補正を行っていない基本状態での横収差図である。
【図３２】図３２は、実施の形態Ｖ−２（数値実施例Ｖ−２）に係る撮像光学系のレンズ配置図である。
【図３３】図３３は、数値実施例Ｖ−２に係る撮像光学系の縦収差図である。
【図３４】図３４は、数値実施例Ｖ−２に係る撮像光学系の像ぶれ補正を行っていない基本状態での横収差図である。
【図３５】図３５は、実施の形態Ｖ−１に係る撮像光学系を適用した携帯端末の概略構成図である。
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を充分に理解するために添付図面および以下の説明を提供するのであって、これらによって請求の範囲に記載の主題を限定することを意図するものではない。
【００１１】
本開示において、レンズ群とは少なくとも１枚のレンズ素子で構成された群であり、レンズ群を構成するレンズ素子の種類、枚数、配置等に応じて、レンズ群ごとにパワー、合成焦点距離等が決定される。
【００１２】
（撮像光学系の実施の形態）
本開示における単焦点の撮像光学系は、物体側から像側へと順に、正のパワーを有する第１レンズ群と、パワーを有する第２レンズ群とで構成されており、無限遠合焦状態から近接物体合焦状態へのフォーカシングの際に、第１レンズ群は光軸に沿って移動し、第２レンズ群は像面に対して固定されている。したがって、本開示における撮像光学系は、近接物体合焦状態においても高い光学性能を維持することができる。
【００１３】
（Ｉ）実施の形態Ｉ
図１は、実施の形態Ｉ−１に係る撮像光学系のレンズ配置図であり、（ａ）は、無限遠合焦状態を表し、（ｂ）は、近接物体合焦状態（物点距離３０ｃｍ）を表し、（ｃ）は近接物体合焦状態（物点距離１５ｃｍ）を表す。図１において、レンズ群に付された光軸と平行な矢印は、無限遠合焦状態から近接物体合焦状態へのフォーカシングの際の移動方向を表す。図１において、特定の面に付されたアスタリスク＊は、該面が非球面であることを示している。図１において、各レンズ群の符号に付された記号（＋）及び記号（−）は、各レンズ群のパワーの符号に対応する。図１において、最も右側に記載された直線は、像面Ｓの位置を表す。
【００１４】
（実施の形態Ｉ−１）
図１に示すように、第１レンズ群Ｇ１は、正のパワーを有し、物体側から像側へと順に、物体側に凹面を向けた負メニスカス形状の第１レンズ素子Ｌ１と、両凸形状の第２レンズ素子Ｌ２と、両凹形状の第３レンズ素子Ｌ３と、両凸形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号６が付与されている。
【００１５】
第２レンズ群Ｇ２は、負のパワーを有し、両凹形状の第５レンズ素子Ｌ５のみからなる。
【００１６】
第１レンズ素子Ｌ１の像側には、開口絞りＡが配置されており、像面Ｓの物体側（像面Ｓと第５レンズ素子Ｌ５との間）には、平行平板Ｐが設けられている。
【００１７】
第１レンズ素子Ｌ１、第４レンズ素子Ｌ４、及び第５レンズ素子Ｌ５は、樹脂材料からなる。また、第１レンズ素子Ｌ１の両面、第４レンズ素子Ｌ４の両面、及び第５レンズ素子Ｌ５の両面は、非球面である。
【００１８】
実施の形態Ｉ−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００１９】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００２０】
（II）実施の形態II
図４、６、８、１０及び１２は、各々実施の形態II−１〜II−５に係る撮像光学系のレンズ配置図であり、（ａ）は、無限遠合焦状態を表し、（ｂ）は近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００２１】
（実施の形態II−１）
図４に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００２２】
第２レンズ群Ｇ２は、負のパワーを有し、両凹形状の第６レンズ素子Ｌ６のみからなる。
【００２３】
第１レンズ素子Ｌ１の像側には、開口絞りＡが配置されており、像面Ｓの物体側（像面Ｓと第６レンズ素子Ｌ６との間）には、平行平板Ｐが設けられている。
【００２４】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００２５】
実施の形態II−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００２６】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００２７】
（実施の形態II−２）
図６に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００２８】
第２レンズ群Ｇ２は、負のパワーを有し、両凹形状の第６レンズ素子Ｌ６のみからなる。
【００２９】
第１レンズ素子Ｌ１の像側には、開口絞りＡが配置されており、像面Ｓの物体側（像面Ｓと第６レンズ素子Ｌ６との間）には、平行平板Ｐが設けられている。
【００３０】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００３１】
実施の形態II−２に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００３２】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００３３】
（実施の形態II−３）
図８に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００３４】
第２レンズ群Ｇ２は、負のパワーを有し、両凹形状の第６レンズ素子Ｌ６のみからなる。
【００３５】
第２レンズ素子Ｌ２の像側には、開口絞りＡが配置されており、像面Ｓの物体側（像面Ｓと第６レンズ素子Ｌ６との間）には、平行平板Ｐが設けられている。
【００３６】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００３７】
実施の形態II−３に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００３８】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００３９】
（実施の形態II−４）
図１０に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号６が付与されている。
【００４０】
第２レンズ群Ｇ２は、負のパワーを有し、両凹形状の第６レンズ素子Ｌ６のみからなる。
【００４１】
第４レンズ素子Ｌ４の像側には、開口絞りＡが配置されており、像面Ｓの物体側（像面Ｓと第６レンズ素子Ｌ６との間）には、平行平板Ｐが設けられている。
【００４２】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００４３】
実施の形態II−４に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００４４】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００４５】
（実施の形態II−５）
図１２に示すように、第１レンズ群Ｇ１は、正のパワーを有し、物体側から像側へと順に、両凸形状の第１レンズ素子Ｌ１と、両凹形状の第２レンズ素子Ｌ２と、物体側に凸面を向けた正メニスカス形状の第３レンズ素子Ｌ３と、両凸形状の第４レンズ素子Ｌ４と、両凹形状の第５レンズ素子Ｌ５と、物体側に凹面を向けた正メニスカス形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号９が付与されている。
【００４６】
第２レンズ群Ｇ２は、負のパワーを有し、両凹形状の第７レンズ素子Ｌ７のみからなる。
【００４７】
第２レンズ素子Ｌ２の像側には、開口絞りＡが配置されており、像面Ｓの物体側（像面Ｓと第７レンズ素子Ｌ７との間）には、平行平板Ｐが設けられている。
【００４８】
第１レンズ素子Ｌ１、第２レンズ素子Ｌ２、第３レンズ素子Ｌ３、第６レンズ素子Ｌ６、及び第７レンズ素子Ｌ７は、樹脂材料からなる。また、第１レンズ素子Ｌ１の物体側面、第２レンズ素子Ｌ２の物体側面、第３レンズ素子Ｌ３の物体側面、第６レンズ素子Ｌ６の両面、及び第７レンズ素子Ｌ７の両面は、非球面である。
【００４９】
実施の形態II−５に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００５０】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００５１】
（III）実施の形態III
図１５、１７及び１９は、各々実施の形態III−１〜III−３に係る撮像光学系のレンズ配置図であり、（ａ）は、不使用状態（沈胴状態）を表し、（ｂ）は、無限遠合焦状態を表し、（ｃ）は近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００５２】
（実施の形態III−１）
図１５に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００５３】
第２レンズ群Ｇ２は、正のパワーを有し、物体側から像側へと順に、両凹形状の第６レンズ素子Ｌ６と、物体側に凸面を向けた正メニスカス形状の第７レンズ素子Ｌ７とからなる。
【００５４】
第２レンズ素子Ｌ２の像側には、開口絞りＡが配置されている。
【００５５】
第１レンズ素子Ｌ１の両面、第５レンズ素子Ｌ５の両面、及び第６レンズ素子Ｌ６の両面は、非球面である。
【００５６】
実施の形態III−１に係る撮像光学系では、無限遠合焦状態から近接物体合焦状態へのフォーカシングの際に、第１レンズ群Ｇ１が光軸に沿って物体側へ移動し、無限遠合焦状態から不使用状態への沈胴の際に、第１レンズ群Ｇ１が光軸に沿って像側へ移動する。なお、フォーカシングの際及び沈胴の際に、第２レンズ群Ｇ２は像面Ｓに対して固定されている。
【００５７】
（実施の形態III−２）
図１７に示すように、第１レンズ群Ｇ１は、正のパワーを有し、物体側から像側へと順に、物体側に凹面を向けた負メニスカス形状の第１レンズ素子Ｌ１と、両凸形状の第２レンズ素子Ｌ２と、両凹形状の第３レンズ素子Ｌ３と、物体側に凹面を向けた正メニスカス形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号５が付与されている。
【００５８】
第２レンズ群Ｇ２は、負のパワーを有し、物体側から像側へと順に、両凹形状の第５レンズ素子Ｌ５と、物体側に凸面を向けた正メニスカス形状の第６レンズ素子Ｌ６とからなる。
【００５９】
第１レンズ素子Ｌ１の像側には、開口絞りＡが配置されており、像面Ｓの物体側（像面Ｓと第６レンズ素子Ｌ６との間）には、平行平板Ｐが設けられている。
【００６０】
第１レンズ素子Ｌ１の両面、第４レンズ素子Ｌ４の両面、及び第５レンズ素子Ｌ５の両面は、非球面である。
【００６１】
実施の形態III−２に係る撮像光学系では、無限遠合焦状態から近接物体合焦状態へのフォーカシングの際に、第１レンズ群Ｇ１が光軸に沿って物体側へ移動し、無限遠合焦状態から不使用状態への沈胴の際に、第１レンズ群Ｇ１が光軸に沿って像側へ移動する。なお、フォーカシングの際及び沈胴の際に、第２レンズ群Ｇ２は像面Ｓに対して固定されている。
【００６２】
（実施の形態III−３）
図１９に示すように、第１レンズ群Ｇ１は、正のパワーを有し、物体側から像側へと順に、物体側に凹面を向けた負メニスカス形状の第１レンズ素子Ｌ１と、両凸形状の第２レンズ素子Ｌ２と、両凹形状の第３レンズ素子Ｌ３と、物体側に凹面を向けた正メニスカス形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号５が付与されている。
【００６３】
第２レンズ群Ｇ２は、負のパワーを有し、物体側から像側へと順に、両凹形状の第５レンズ素子Ｌ５と、両凸形状の第６レンズ素子Ｌ６とからなる。
【００６４】
第１レンズ素子Ｌ１の像側には、開口絞りＡが配置されており、像面Ｓの物体側（像面Ｓと第６レンズ素子Ｌ６との間）には、平行平板Ｐが設けられている。
【００６５】
第１レンズ素子Ｌ１の両面、第４レンズ素子Ｌ４の両面、及び第５レンズ素子Ｌ５の両面は、非球面である。
【００６６】
実施の形態III−３に係る撮像光学系では、無限遠合焦状態から近接物体合焦状態へのフォーカシングの際に、第１レンズ群Ｇ１が光軸に沿って物体側へ移動し、無限遠合焦状態から不使用状態への沈胴の際に、第１レンズ群Ｇ１が光軸に沿って像側へ移動する。なお、フォーカシングの際及び沈胴の際に、第２レンズ群Ｇ２は像面Ｓに対して固定されている。
【００６７】
（IV）実施の形態IV
図２２、２４及び２６は、各々実施の形態IV−１〜IV−３に係る撮像光学系のレンズ配置図であり、（ａ）は、無限遠合焦状態を表し、（ｂ）は、近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００６８】
（実施の形態IV−１）
図２２に示すように、第１レンズ群Ｇ１は、正のパワーを有し、物体側から像側へと順に、物体側に凸面を向けた正メニスカス形状の第１レンズ素子Ｌ１と、物体側に凹面を向けた正メニスカス形状の第２レンズ素子Ｌ２と、両凸形状の第３レンズ素子Ｌ３と、両凹形状の第４レンズ素子Ｌ４とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００６９】
第２レンズ群Ｇ２は、負のパワーを有し、物体側から像側へと順に、物体側に凹面を向けた正メニスカス形状の第５レンズ素子Ｌ５と、両凹形状の第６レンズ素子Ｌ６とからなる。
【００７０】
第１レンズ素子Ｌ１の像側には、開口絞りＡが配置されており、像面Ｓの物体側（像面Ｓと第６レンズ素子Ｌ６との間）には、平行平板Ｐが設けられている。
【００７１】
第１レンズ素子Ｌ１の両面、第２レンズ素子Ｌ２の両面、第５レンズ素子Ｌ５の両面、及び第６レンズ素子Ｌ６の両面は、非球面である。
【００７２】
実施の形態IV−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００７３】
（実施の形態IV−２）
図２４に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００７４】
第２レンズ群Ｇ２は、負のパワーを有し、物体側から像側へと順に、物体側に凹面を向けた正メニスカス形状の第５レンズ素子Ｌ５と、両凹形状の第６レンズ素子Ｌ６とからなる。
【００７５】
第１レンズ素子Ｌ１の像側には、開口絞りＡが配置されており、像面Ｓの物体側（像面Ｓと第６レンズ素子Ｌ６との間）には、平行平板Ｐが設けられている。
【００７６】
第１レンズ素子Ｌ１の両面、第２レンズ素子Ｌ２の両面、第５レンズ素子Ｌ５の両面、及び第６レンズ素子Ｌ６の両面は、非球面である。
【００７７】
実施の形態IV−２に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００７８】
（実施の形態IV−３）
図２６に示すように、第１レンズ群Ｇ１は、正のパワーを有し、物体側から像側へと順に、物体側に凸面を向けた負メニスカス形状の第１レンズ素子Ｌ１と、物体側に凸面を向けた負メニスカス形状の第２レンズ素子Ｌ２と、両凸形状の第３レンズ素子Ｌ３と、両凹形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号５が付与されている。
【００７９】
第２レンズ群Ｇ２は、負のパワーを有し、物体側から像側へと順に、両凸形状の第５レンズ素子Ｌ５と、物体側に凸面を向けた負メニスカス形状の第６レンズ素子Ｌ６とからなる。
【００８０】
第１レンズ素子Ｌ１の像側には、開口絞りＡが配置されており、像面Ｓの物体側（像面Ｓと第６レンズ素子Ｌ６との間）には、平行平板Ｐが設けられている。
【００８１】
第１レンズ素子Ｌ１の両面、第２レンズ素子Ｌ２の物体側面、第４レンズ素子Ｌ４の物体側面、第５レンズ素子Ｌ５の両面、及び第６レンズ素子Ｌ６の両面は、非球面である。
【００８２】
実施の形態IV−３に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００８３】
（Ｖ）実施の形態Ｖ
図２９及び３２は、各々実施の形態Ｖ−１〜Ｖ−２に係る撮像光学系のレンズ配置図であり、（ａ）は、無限遠合焦状態を表し、（ｂ）は、近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００８４】
（実施の形態Ｖ−１）
図２９に示すように、第１レンズ群Ｇ１は、正のパワーを有し、物体側から像側へと順に、物体側に凸面を向けた正メニスカス形状の第１レンズ素子Ｌ１と、物体側に凹面を向けた負メニスカス形状の第２レンズ素子Ｌ２と、両凸形状の第３レンズ素子Ｌ３と、両凹形状の第４レンズ素子Ｌ４と、両凸形状の第５レンズ素子Ｌ５とからなる。
【００８５】
第２レンズ群Ｇ２は、負のパワーを有し、両凹形状の第６レンズ素子Ｌ６のみからなる。
【００８６】
第２レンズ素子Ｌ２の像側には、開口絞りＡが配置されており、像面Ｓの物体側（像面Ｓと第６レンズ素子Ｌ６との間）には、平行平板Ｐが設けられている。
【００８７】
第１レンズ素子Ｌ１の両面、第２レンズ素子Ｌ２の両面、第３レンズ素子Ｌ３の物体側面、第４レンズ素子Ｌ４の像側面、第５レンズ素子Ｌ５の両面、及び第６レンズ素子Ｌ６の両面は、非球面である。
【００８８】
第１レンズ素子Ｌ１の物体側面は非球面であり、光軸から離れるにしたがって物体側に凸の形状から物体側に凹の形状に変わる変曲点を有する。第１レンズ素子Ｌ１の像側面は非球面であり、光軸から離れるにしたがって物体側に凸の形状から物体側に凹の形状に変わる変曲点を有する。第５レンズ素子Ｌ５の物体側面は非球面であり、光軸から離れるにしたがって物体側に凸の形状から物体側に凹の形状に変わる変曲点を有する。第６レンズ素子Ｌ６の像側面は非球面であり、光軸から離れるにしたがって物体側に凸の形状から物体側に凹の形状に変わる変曲点を有する。
【００８９】
以上のように、変曲点は全て、光軸から離れるにしたがって物体側に凸の形状から物体側に凹の形状に変わる。
【００９０】
実施の形態Ｖ−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００９１】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００９２】
（実施の形態Ｖ−２）
図３２に示すように、第１レンズ群Ｇ１は、正のパワーを有し、物体側から像側へと順に、物体側に凸面を向けた負メニスカス形状の第１レンズ素子Ｌ１と、物体側に凹面を向けた正メニスカス形状の第２レンズ素子Ｌ２と、物体側に凸面を向けた正メニスカス形状の第３レンズ素子Ｌ３と、両凹形状の第４レンズ素子Ｌ４と、物体側に凹面を向けた正メニスカス形状の第５レンズ素子Ｌ５とからなる。
【００９３】
第２レンズ群Ｇ２は、負のパワーを有し、両凹形状の第６レンズ素子Ｌ６のみからなる。
【００９４】
第２レンズ素子Ｌ２の像側には、開口絞りＡが配置されており、像面Ｓの物体側（像面Ｓと第６レンズ素子Ｌ６との間）には、平行平板Ｐが設けられている。
【００９５】
第１レンズ素子Ｌ１の両面、第２レンズ素子Ｌ２の両面、第３レンズ素子Ｌ３の物体側面、第４レンズ素子Ｌ４の像側面、第５レンズ素子Ｌ５の両面、及び第６レンズ素子Ｌ６の両面は、非球面である。
【００９６】
第１レンズ素子Ｌ１の物体側面は非球面であり、光軸から離れるにしたがって物体側に凸の形状から物体側に凹の形状に変わる変曲点を有する。第１レンズ素子Ｌ１の像側面は非球面であり、光軸から離れるにしたがって物体側に凸の形状から物体側に凹の形状に変わる変曲点を有する。第５レンズ素子Ｌ５の像側面は非球面であり、光軸から離れるにしたがって物体側に凹の形状から物体側に凸の形状に変わる変曲点を有する。第６レンズ素子Ｌ６の像側面は非球面であり、光軸から離れるにしたがって物体側に凸の形状から物体側に凹の形状に変わる変曲点を有する。
【００９７】
実施の形態Ｖ−２に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００９８】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００９９】
以上のように、本出願において開示する技術の例示として、実施の形態Ｉ〜Ｖを説明した。しかしながら、本開示における技術は、これに限定されず、適宜、変更、置き換え、付加、省略などを行った実施の形態にも適用可能である。
【０１００】
以下、例えば実施の形態Ｉ〜Ｖに係る撮像光学系のごとき撮像光学系が満足することが有益な条件を説明する。なお、各実施の形態に係る撮像光学系に対して、複数の有益な条件が規定されるが、これら複数の条件すべてを満足する撮像光学系の構成が最も有益である。しかしながら、個別の条件を満足することにより、それぞれ対応する効果を奏する撮像光学系を得ることも可能である。
【０１０１】
例えば実施の形態Ｉ〜Ｖに係る撮像光学系のように、物体側から像側へと順に、正のパワーを有する第１レンズ群と、第２レンズ群とからなり、無限遠合焦状態から近接物体合焦状態へのフォーカシングの際に、第１レンズ群は光軸に沿って移動し、第２レンズ群は像面に対して固定されている（以下、このレンズ構成を、実施の形態の基本構成という）撮像光学系は、以下の条件（１）を満足することが有益である。
０．０７＜ＬＧ１２／Ｌ＜０．４０  ・・・（１）
ここで、
ＬＧ１２：無限遠合焦状態における、第１レンズ群の最像側レンズ面と第２レンズ群の最物体側レンズ面との光軸上での距離、
Ｌ：無限遠合焦状態における、第１レンズ群の最物体側レンズ面と像面との光軸上での距離を示すレンズ全長
である。
【０１０２】
前記条件（１）は、第１レンズ群の最像側レンズ面と第２レンズ群の最物体側レンズ面との光軸上での距離、すなわち第１レンズ群と第２レンズ群との間隔と、レンズ全長との関係を規定する条件である。条件（１）を満足する場合は、諸収差、特に像面湾曲の補正を良好に行うことができる。
【０１０３】
以下の条件（１）’及び（１）’’の少なくとも１つを満足することにより、前記効果をさらに奏功させることができる。
０．１０＜ＬＧ１２／Ｌ  ・・・（１）’
ＬＧ１２／Ｌ＜０．３０  ・・・（１）’’
【０１０４】
例えば実施の形態Ｉ〜Ｖに係る撮像光学系のように、基本構成を有する撮像光学系は、以下の条件（２）を満足することが有益である。
０．０７＜ＢＦ／Ｉｒ＜０．４０  ・・・（２）
ここで、
ＢＦ：第２レンズ群の最像側レンズ面と像面との光軸上での空気換算距離、
Ｉｒ：次式で表される、撮像素子の像高
Ｉｒ＝ｆ×ｔａｎω、
ｆ：無限遠合焦状態における全系の焦点距離、
ω：無限遠合焦状態における半画角
である。
【０１０５】
前記条件（２）は、バックフォーカスと撮像素子の像高との関係を規定する条件である。条件（２）の下限を下回ると、最低限必要なバックフォーカスを確保することが困難になり、第２レンズ群の最像側に位置するレンズ素子と平行平板の一部とが物理的に干渉するおそれがある。条件（２）の上限を上回ると、撮像素子の像高に対してバックフォーカスが長くなり過ぎ、第２レンズ群の最像側に位置するレンズ素子を通る光線の高さが小さくなって、諸収差、特に像面湾曲の補正が困難になる。すなわち、条件（２）を満足する場合は、諸収差、特に像面湾曲の補正を良好に行うことができるとともに、物理的に成立し得る撮像光学系を、さらに小型化することもできる。
【０１０６】
以下の条件（２）’及び（２）’’の少なくとも１つを満足することにより、前記効果をさらに奏功させることができる。
０．１０＜ＢＦ／Ｉｒ  ・・・（２）’
ＢＦ／Ｉｒ＜０．３０  ・・・（２）’’
【０１０７】
例えば実施の形態Ｉ〜Ｖに係る撮像光学系のように、基本構成を有する撮像光学系は、以下の条件（３）を満足することが有益である。
０．５＜Ｙ’／（Ｌ−ＬＧ１２）＜１．０  ・・・（３）
ここで、
Ｙ’：最大像高、
Ｌ：無限遠合焦状態における、第１レンズ群の最物体側レンズ面と像面との光軸上での距離を示すレンズ全長、
ＬＧ１２：無限遠合焦状態における、第１レンズ群の最像側レンズ面と第２レンズ群の最物体側レンズ面との光軸上での距離
である。
【０１０８】
前記条件（３）は、最大像高と、レンズ全長及び第１レンズ群の最像側レンズ面と第２レンズ群の最物体側レンズ面との光軸上での距離、すなわち第１レンズ群と第２レンズ群との間隔との関係を規定する条件である。条件（３）を満足する場合は、良好な収差補正と撮像光学系の小型化との両立を実現することができる。条件（３）の下限を下回ると、Ｙ’／（Ｌ−ＬＧ１２）の値が小さくなることで、レンズ全長が長くなり、撮像光学系の小型化の実現が困難になる。条件（３）の上限を上回ると、Ｙ’／（Ｌ−ＬＧ１２）の値が大きくなることで、レンズ全長が短くなり過ぎ、良好な収差補正の実現が困難になる。
【０１０９】
例えば実施の形態Ｉ〜Ｖに係る撮像光学系のように、基本構成を有し、第１レンズ群が開口絞りを有する撮像光学系は、以下の条件（４）を満足することが有益である。
０．５＜ＬＡ／Ｌ＜１．０  ・・・（４）
ここで、
ＬＡ：開口絞りから像面までの光軸上での距離、
Ｌ：無限遠合焦状態における、第１レンズ群の最物体側レンズ面と像面との光軸上での距離を示すレンズ全長
である。
【０１１０】
前記条件（４）は、開口絞りから像面までの光軸上の距離とレンズ全長との比を規定する条件である。条件（４）の下限を下回ると、開口絞りが像面に近づき過ぎ、撮像素子の周辺に入射する光線が、特に第１レンズ素子等の物体側に配置されたレンズ素子の光軸からより離れた所を通らざるを得なくなり、球面収差、コマ収差、像面湾曲等の諸収差の補正が困難となる。また、入射瞳位置も長くなり、第１レンズ素子の径が増大し、撮像光学系の増大を招くおそれがある。条件（４）の上限を上回ると、開口絞りが第１レンズ素子の面頂よりも物体側に配置されることを意味し、撮像素子の周辺に入射する光線が、各レンズ素子の光軸からより離れた所を通らざるを得なくなり、球面収差、コマ収差、像面湾曲等の諸収差の補正が困難となる。その結果、画面全域に渡って良好な像を得ることが困難になる。すなわち、条件（４）を満足する場合は、撮像素子の中央から周辺に至るまで、入射する光線が第１レンズ素子から最像側に配置されたレンズ素子までをバランスよく通過し、画面全域に渡って収差を良好に補正することができ、高い解像度を確保することが可能となる。
【０１１１】
以下の条件（４）’及び（４）’’の少なくとも１つを満足することにより、前記効果をさらに奏功させることができる。
０．７＜ＬＡ／Ｌ  ・・・（４）’
ＬＡ／Ｌ＜０．９  ・・・（４）’’
【０１１２】
例えば実施の形態II、III及びＶに係る撮像光学系のように、基本構成を有し、第１レンズ群の最像側レンズ面が、像側に凸面を向けており、第２レンズ群の最物体側レンズ面が、物体側に凹面を向けている撮像光学系は、以下の条件（５）を満足することが有益である。
−１．０＜（ＲＧ１ｒ２−ＲＧ２ｒ１）／（ＲＧ１ｒ２＋ＲＧ２ｒ１）＜０．０  ・・・（５）
ここで、
ＲＧ１ｒ２：第１レンズ群の最像側レンズ面の曲率半径、
ＲＧ２ｒ１：第２レンズ群の最物体側レンズ面の曲率半径
である。
【０１１３】
前記条件（５）は、第１レンズ群の最像側レンズ面の曲率半径と第２レンズ群の最物体側レンズ面の曲率半径との関係を規定する条件である。条件（５）を満足する場合は、良好な収差補正と不使用状態での撮像光学系の小型化との両立を実現することができる。条件（５）の下限を下回ると、（ＲＧ１ｒ２−ＲＧ２ｒ１）／（ＲＧ１ｒ２＋ＲＧ２ｒ１）の値が小さくなることで、ＲＧ１ｒ２の値が小さくなり、良好な収差補正の実現が困難になる。条件（５）の上限を上回ると、（ＲＧ１ｒ２−ＲＧ２ｒ１）／（ＲＧ１ｒ２＋ＲＧ２ｒ１）の値が大きくなることで、ＲＧ１ｒ２の値がＲＧ２ｒ１の値よりも大きくなり、不使用状態でのレンズ全長を短くするための構成の実現が困難になる。
【０１１４】
例えば実施の形態Ｉ〜IIIに係る撮像光学系のように、基本構成を有し、第１レンズ群が、物体側から像側へと順に、負のパワーを有する第１レンズ素子と、少なくとも１枚の後続レンズ素子とからなる撮像光学系は、以下の条件（６）を満足することが有益である。
０．５＜｜ｆＬ１／ｆ｜＜５．０  ・・・（６）
ここで、
ｆＬ１：無限遠合焦状態における第１レンズ素子の焦点距離、
ｆ：無限遠合焦状態における全系の焦点距離
である。
【０１１５】
前記条件（６）は、第１レンズ素子の焦点距離と撮像光学系全系の焦点距離との関係を規定する条件である。条件（６）を満足する場合は、良好な収差補正と撮像光学系の広角化との実現を両立することができる。条件（６）を満足しない場合は、像面湾曲、非点収差、歪曲収差等の補正が困難となるおそれがある。条件（６）の下限を下回ると、｜ｆＬ１１／ｆ｜の値が小さくなることで、第１レンズ素子のパワーが強くなり、良好な収差補正の実現が困難になる。条件（６）の上限を上回ると、｜ｆＬ１１／ｆ｜の値が大きくなることで、第１レンズ素子のパワーが弱くなり、撮像光学系の広角化の実現が困難になる。なお、条件（６）は、実施の形態Ｉ〜IIIに係る撮像光学系のように、負のパワーを有する第１レンズ素子が物体側に凹面を向けている撮像光学系において満足されることがより有益である。
【０１１６】
以下の条件（６）’及び（６）’’の少なくとも１つを満足することにより、前記効果をさらに奏功させることができる。
２．０＜｜ｆＬ１／ｆ｜  ・・・（６）’
｜ｆＬ１／ｆ｜＜４．０  ・・・（６）’’
【０１１７】
例えば実施の形態Ｉ〜Ｖに係る撮像光学系のように、基本構成を有する撮像光学系は、以下の条件（７）を満足することが有益である。
−１．０＜ｆＧ１／ｆＧ２＜−０．３  ・・・（７）
ここで、
ｆＧ１：無限遠合焦状態における第１レンズ群の合成焦点距離、
ｆＧ２：無限遠合焦状態における第２レンズ群の合成焦点距離
である。
【０１１８】
前記条件（７）は、第１レンズ群の合成焦点距離と第２レンズ群の合成焦点距離との関係を規定する条件である。条件（７）を満足しない場合は、像面湾曲、非点収差、歪曲収差等の補正が困難になる。
【０１１９】
例えば実施の形態Ｉ及びIIIに係る撮像光学系のように、基本構成を有し、第１レンズ群が、物体側から像側へと順に、負のパワーを有する第１レンズ素子と、開口絞りと、正のパワーを有する第２レンズ素子と、負のパワーを有する第３レンズ素子と、正のパワーを有する第４レンズ素子とからなる撮像光学系は、以下の条件（８）を満足することが有益である。
１．０＜ｆＬ４／ｆ＜３．０  ・・・（８）
ここで、
ｆＬ４：無限遠合焦状態における第４レンズ素子の焦点距離、
ｆ：無限遠合焦状態における全系の焦点距離
である。
【０１２０】
前記条件（８）は、第４レンズ素子の焦点距離と撮像光学系全系の焦点距離との関係を規定する条件である。条件（８）を満足しない場合は、非点収差、歪曲収差等の補正が困難になる。
【０１２１】
例えば実施の形態Ｉ〜III及びＶに係る撮像光学系のように、基本構成を有する撮像光学系は、以下の条件（９）を満足することが有益である。
０．５＜Ｌｍｉｎ／Ｌ＜０．８  ・・・（９）
ここで、
Ｌｍｉｎ：不使用状態における、第１レンズ群の最物体側レンズ面と像面との光軸上での距離を示す最短レンズ全長、
Ｌ：無限遠合焦状態における、第１レンズ群の最物体側レンズ面と像面との光軸上での距離を示すレンズ全長
である。
【０１２２】
前記条件（９）は、不使用状態における最短レンズ全長と無限遠合焦状態におけるレンズ全長との関係を規定する条件である。条件（９）を満足する場合は、良好な光学性能と撮像光学系の小型化との両立を実現することができる。条件（９）の下限を下回ると、Ｌｍｉｎ／Ｌの値が小さくなることで、撮像光学系の小型化は実現することができるが、良好な光学性能の実現が困難になる。条件（９）の上限を上回ると、Ｌｍｉｎ／Ｌの値が大きくなることで、撮像光学系の小型化の達成効果が低くなってしまう。
【０１２３】
例えば実施の形態IVに係る撮像光学系のように、基本構成を有する撮像光学系は、以下の条件（１０）を満足することが有益である。
ｆＧ１Ｌｉ／ｆ＜０．０  ・・・（１０）
ここで、
ｆＧ１Ｌｉ：無限遠合焦状態における第１レンズ群中の最像側レンズ素子の焦点距離、
ｆ：無限遠合焦状態における全系の焦点距離
である。
【０１２４】
前記条件（１０）は、第１レンズ群中の最像側レンズ素子の焦点距離と撮像光学系全系の焦点距離との関係を規定する条件である。条件（１０）の上限を上回ると、第１レンズ群中の最像側レンズ素子の焦点距離が正の方向に強くなり過ぎ、諸収差、特に像面湾曲の補正が困難になる。条件（１０）を満足する場合は、第１レンズ群から第２レンズ群へ向かう光線を跳ね上げることが可能となり、撮像光学系のさらなる小型化が可能となる。
【０１２５】
以下の条件（１０）’及び（１０）’’の少なくとも１つを満足することにより、前記効果をさらに奏功させることができる。
ｆＧ１Ｌｉ／ｆ＜−０．２  ・・・（１０）’
−３．０＜ｆＧ１Ｌｉ／ｆ  ・・・（１０）’’
【０１２６】
例えば実施の形態Ｉ、III及びIVに係る撮像光学系のように、基本構成を有する撮像光学系は、以下の条件（１１）を満足することが有益である。
−１．０＜Ｉｒ／ＲＧ１ｒ２  ・・・（１１）
ここで、
Ｉｒ：次式で表される、撮像素子の像高
Ｉｒ＝ｆ×ｔａｎω、
ｆ：無限遠合焦状態における全系の焦点距離、
ω：無限遠合焦状態における半画角、
ＲＧ１ｒ２：第１レンズ群の最像側レンズ面の曲率半径
である。
【０１２７】
前記条件（１１）は、撮像素子の像高と第１レンズ群の最像側レンズ面の曲率半径との関係を規定する条件である。条件（１１）を満足する場合は、諸収差、特に像面湾曲の補正を良好に行うことができる。さらに、第１レンズ群から第２レンズ群へ向かう光線を跳ね上げることが可能となり、撮像光学系のさらなる小型化が可能となる。
【０１２８】
以下の条件（１１）’及び（１１）’’の少なくとも１つを満足することにより、前記効果をさらに奏功させることができる。
Ｉｒ／ＲＧ１ｒ２＜３．０  ・・・（１１）’
０．０＜Ｉｒ／ＲＧ１ｒ２  ・・・（１１）’’
【０１２９】
例えば実施の形態Ｉ〜Ｖに係る撮像光学系のように、基本構成を有する撮像光学系は、該撮像光学系を構成するレンズ素子の少なくとも１枚が、以下の条件（１２）を満足することが有益である。
ｎｄ＋０．００２５×νｄ−１．７１２５＜０．０  ・・・（１２）
ここで、
ｎｄ：撮像光学系を構成するレンズ素子のｄ線に対する屈折率、
νｄ：撮像光学系を構成するレンズ素子のｄ線に対するアッベ数
である。
【０１３０】
前記条件（１２）は、各レンズ素子の屈折率とアッベ数との関係を規定する条件である。条件（１２）の上限を上回ると、所望の屈折率に対してアッベ数が大きくなり過ぎ、諸収差、特に色収差の補正が困難になる。なお、実施の形態Ｉ〜Ｖに係る撮像光学系のように、該撮像光学系を構成するレンズ素子のうち、最物体側に位置するレンズ素子が条件（１２）を満足することがより有益であり、実施の形態Ｖに係る撮像光学系のように、該撮像光学系を構成する全てのレンズ素子が条件（１２）を満足することがさらに有益である。
【０１３１】
実施の形態Ｉ〜Ｖに係る撮像光学系は、第１レンズ群が、物体側から像側へと順に、負のパワーを有する第１レンズ素子と、少なくとも１枚の後続レンズ素子とからなるので、広画角、かつ高性能でありながら、レンズ全長を短く、コンパクトにすることができるという利点がある。
【０１３２】
実施の形態Ｉ〜Ｖに係る撮像光学系は、第１レンズ群が、物体側から像側へと順に、負のパワーを有する第１レンズ素子と、少なくとも１枚の後続レンズ素子とからなり、該後続レンズ素子のうち最物体側に位置する第２レンズ素子が正のパワーを有するので、第１レンズ群の小型化が可能であるとともに、撮像素子に入射する光線の角度を光軸に対して小さくすることができるという利点がある。
【０１３３】
実施の形態Ｉ〜Ｖに係る撮像光学系は、第１レンズ群が、物体側から像側へと順に、第１レンズ素子と、少なくとも１枚の後続レンズ素子とからなり、該後続レンズ素子のうち最物体側に位置する第２レンズ素子のパワーの符号は、第１レンズ素子のパワーの符号と逆であるので、第１レンズ素子で発生する諸収差を近い位置で打ち消しあうことが可能となり、全系で良好な収差補正を行うことができるという利点がある。
【０１３４】
実施の形態Ｉ〜Ｖに係る撮像光学系は、第１レンズ群に開口絞りを備えているので、小型でありながら良好な解像性能を得ることができる。
【０１３５】
例えば実施の形態II、IV及びＶに係る撮像光学系のように、第１レンズ素子が物体側に凸面を向けている場合は、第１レンズ素子の周辺部に入射する光線とレンズ面の角度とが垂直に近いので、第１レンズ素子で過剰な収差補正を行う必要がなく、全系で良好な収差補正が可能となるという利点がある。
【０１３６】
例えば実施の形態Ｖに係る撮像光学系のように、第１レンズ素子の物体側面が非球面であり、光軸から離れるにしたがって凸形状から凹形状に変わる変曲点を有する場合は、諸収差、特に像面湾曲の補正が良好となり、画面中心から周辺に渡っての性能を高くすることができるという利点を有する。
【０１３７】
実施の形態Ｉ〜Ｖに係る撮像光学系は、該撮像光学系を構成するレンズ素子の全てのレンズ面のうち、少なくとも６面が非球面であるので、諸収差をより良好に補正することができる。なお、実施の形態IV及びＶに係る撮像光学系のように、該撮像光学系を構成するレンズ素子の全てのレンズ面のうち、少なくとも８面が非球面であることがより有益である。
【０１３８】
実施の形態Ｉ〜Ｖに係る撮像光学系は、該撮像光学系を構成するレンズ素子のうち、少なくとも１枚が樹脂材料からなるので、撮像光学系の軽量化を図ることができる。なお、実施の形態Ｖに係る撮像光学系のように、該撮像光学系を構成する全てのレンズ素子が樹脂材料からなることがより有益である。
【０１３９】
例えば実施の形態Ｖに係る撮像光学系のように、該撮像光学系を構成する全てのレンズ素子が単レンズ素子であり、撮像光学系に接合レンズ素子が含まれない場合には、樹脂からなるレンズ素子等の柔らかいレンズ素子同士の接合時に問題となる、レンズ素子の歪みによる諸収差の発生及び性能の低下を引き起こすことがなくなり、高解像度を維持することができるという利点がある。
【０１４０】
例えば実施の形態Ｉ、II、IV及びＶに係る撮像光学系のように、該撮像光学系の最像側に位置するレンズ素子が負のパワーを有し、像側から２番目に位置するレンズ素子が正のパワーを有する場合には、該像側から２番目に位置するレンズ素子で発生した諸収差、特に像面湾曲を最像側に位置するレンズ素子で補正することができ、画面周辺においても高い解像性能を実現することができるという利点がある。
【０１４１】
例えば実施の形態Ｉ、II及びＶに係る撮像光学系のように、第２レンズ群が１枚のレンズ素子で構成されている場合は、撮像光学系を構成している中で、特にサイズが大きい第２レンズ群を構成するレンズ素子の枚数を究極に削減することができているので、光学系のさらなる小型化が可能であるという利点がある。
【０１４２】
実施の形態Ｉ〜Ｖに係る撮像光学系は、像の位置を光軸に対して直交する方向に移動するために、光軸に対して直交する方向に移動する像ぶれ補正レンズ群を備えており、第１レンズ群が像ぶれ補正レンズ群に相当する。この像ぶれ補正レンズ群により、全系の振動による像点移動を補正する、すなわち、手ぶれ、振動等による像のぶれを光学的に補正することができる。
【０１４３】
全系の振動による像点移動を補正する際に、このように像ぶれ補正レンズ群が光軸に対して直交する方向に移動することにより、撮像光学系全体の大型化を抑制してコンパクトに構成しながら、偏心コマ収差や偏心非点収差が小さい優れた結像特性を維持して像ぶれの補正を行うことができる。
【０１４４】
なお、実施の形態Ｉ〜Ｖに係る撮像光学系では、像ぶれ補正レンズ群は、１つのレンズ群であるが、１つのレンズ群が複数のレンズ素子で構成される場合、該複数のレンズ素子のうち、いずれか１枚のレンズ素子又は隣り合った複数のレンズ素子が像ぶれ補正レンズ群であってもよい。
【０１４５】
実施の形態Ｉ〜Ｖに係る撮像光学系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１４６】
また、実施の形態Ｉ〜Ｖに係る撮像光学系を構成している各レンズ素子は、ガラスからなるレンズ素子の片面に紫外線硬化性樹脂からなる透明樹脂層を接合した、ハイブリッドレンズであってもよい。その場合、透明樹脂層のパワーは弱いので、ガラスからなるレンズ素子と透明樹脂層とを合わせて１枚のレンズ素子と考える。同様に、平板に近いレンズ素子が配置される場合も、平板に近いレンズ素子のパワーは弱いので、０枚のレンズ素子と考える。
【０１４７】
（携帯端末の実施の形態）
（Ｉ）実施の形態Ｉ−１に係る撮像光学系を適用した携帯端末
図３は、実施の形態Ｉ−１に係る撮像光学系を適用した携帯端末の概略構成図である。
【０１４８】
携帯端末１００は、携帯端末本体１０１と、ＣＰＵ１０２と、モニタ１０３と、光学モジュール２００とを備える。
【０１４９】
光学モジュール２００は、透明カバー２０１と、撮像光学系２０２と、撮像素子２０３とを含む。
【０１５０】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１５１】
なお、実施の形態Ｉ−１に係る撮像光学系をスマートフォン等の携帯端末に適用した例を示したが、実施の形態Ｉ−１に係る撮像光学系は、監視システムにおける監視カメラ、Ｗｅｂカメラ、車載カメラ等に適用することもできる。
【０１５２】
（II）実施の形態II−１に係る撮像光学系を適用した携帯端末
図１４は、実施の形態II−１に係る撮像光学系を適用した携帯端末の概略構成図である。
【０１５３】
携帯端末１００は、携帯端末本体１０１と、ＣＰＵ１０２と、モニタ１０３と、光学モジュール２００とを備える。
【０１５４】
光学モジュール２００は、透明カバー２０１と、撮像光学系２０２と、撮像素子２０３とを含む。
【０１５５】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１５６】
なお、実施の形態II−１に係る撮像光学系をスマートフォン等の携帯端末に適用した例を示したが、実施の形態II−１に係る撮像光学系の替わりに、実施の形態II−２〜II−５に係る撮像光学系を用いることもできる。また、実施の形態II−１〜II−５に係る撮像光学系は、監視システムにおける監視カメラ、Ｗｅｂカメラ、車載カメラ等に適用することもできる。
【０１５７】
（III）実施の形態III−１に係る撮像光学系を適用した携帯端末
図２１は、実施の形態III−１に係る撮像光学系を適用した携帯端末の概略構成図である。図２１に示す携帯端末において、撮像光学系２０２は不使用状態である。
【０１５８】
携帯端末１００は、携帯端末本体１０１と、ＣＰＵ１０２と、モニタ１０３と、光学モジュール２００とを備える。
【０１５９】
光学モジュール２００は、撮像光学系２０２と、撮像素子２０３とを含む。
【０１６０】
撮像光学系２０２は、沈胴／フォーカス機構２０５によって、第１レンズ群Ｇ１を、不使用状態から無限遠合焦状態まで、かつ、無限遠合焦状態から近接物体合焦状態まで移動可能である。沈胴／フォーカス機構２０５は、アクチュエータや機構部品等にて実現が可能である。沈胴／フォーカス機構２０５は、ＣＰＵ１０２からの制御信号に応じて、第１レンズ群Ｇ１を移動させる。
【０１６１】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１６２】
なお、実施の形態III−１に係る撮像光学系をスマートフォン等の携帯端末に適用した例を示したが、実施の形態III−１に係る撮像光学系の替わりに、実施の形態III−２〜III−３に係る撮像光学系を用いることもできる。また、実施の形態III−１〜III−３に係る撮像光学系は、監視システムにおける監視カメラ、Ｗｅｂカメラ、車載カメラ等に適用することもできる。
【０１６３】
（IV）実施の形態IV−１に係る撮像光学系を適用した携帯端末
図２８は、実施の形態IV−１に係る撮像光学系を適用した携帯端末の概略構成図である。
【０１６４】
携帯端末１００は、携帯端末本体１０１と、ＣＰＵ１０２と、モニタ１０３と、光学モジュール（レンズ鏡筒）２００とを備える。
【０１６５】
光学モジュール２００は、撮像光学系２０２と、撮像素子２０３と、メカシャッタユニット２０４とを含む。
【０１６６】
撮像光学系２０２は、フォーカス機構２０５によって、第１レンズ群Ｇ１を、無限遠合焦状態から近接物体合焦状態まで移動可能である。フォーカス機構２０５は、アクチュエータや機構部品等にて実現が可能である。フォーカス機構２０５は、ＣＰＵ１０２からの制御信号に応じて、第１レンズ群Ｇ１を移動させる。
【０１６７】
メカシャッタユニット２０４は、第１レンズ群Ｇ１と第２レンズ群Ｇ２との間に設けられる。実施の形態IV−１に係る撮像光学系では、第１レンズ群Ｇ１と第２レンズ群Ｇ２との間に、メカシャッタユニット２０４を配置するための間隔を確保している。このため、光学モジュール２００のさらなる小型化が可能である。メカシャッタユニット２０４は、ＣＰＵ１０２からの制御信号に応じて駆動される。
【０１６８】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１６９】
なお、実施の形態IV−１に係る撮像光学系をスマートフォン等の携帯端末に適用した例を示したが、実施の形態IV−１に係る撮像光学系の替わりに、実施の形態IV−２〜IV−３に係る撮像光学系を用いることもできる。また、実施の形態IV−１〜IV−３に係る撮像光学系は、監視システムにおける監視カメラ、Ｗｅｂカメラ、車載カメラ等に適用することもできる。
【０１７０】
（Ｖ）実施の形態Ｖ−１に係る撮像光学系を適用した携帯端末
図３５は、実施の形態Ｖ−１に係る撮像光学系を適用した携帯端末の概略構成図である。
【０１７１】
携帯端末１００は、携帯端末本体１０１と、ＣＰＵ１０２と、モニタ１０３と、光学モジュール（レンズ鏡筒）２００とを備える。
【０１７２】
光学モジュール２００は、撮像光学系２０２と、撮像素子２０３とを含む。
【０１７３】
撮像光学系２０２は、フォーカス機構２０５によって、第１レンズ群Ｇ１を、無限遠合焦状態から近接物体合焦状態まで移動可能である。フォーカス機構２０５は、アクチュエータや機構部品等にて実現が可能である。フォーカス機構２０５は、ＣＰＵ１０２からの制御信号に応じて、第１レンズ群Ｇ１を移動させる。
【０１７４】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１７５】
なお、実施の形態Ｖ−１に係る撮像光学系をスマートフォン等の携帯端末に適用した例を示したが、実施の形態Ｖ−１に係る撮像光学系の替わりに、実施の形態Ｖ−２に係る撮像光学系を用いることもできる。また、実施の形態Ｖ−１〜Ｖ−２に係る撮像光学系は、監視システムにおける監視カメラ、Ｗｅｂカメラ、車載カメラ等に適用することもできる。
【０１７６】
以上のように、本出願において開示する技術の例示として、実施の形態を説明した。しかしながら、本開示における技術は、これに限定されず、適宜、変更、置き換え、付加、省略などを行った実施の形態にも適用可能である。
【０１７７】
以下、実施の形態Ｉ〜Ｖに係る撮像光学系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2015040867.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１７８】
図２は、数値実施例Ｉ−１に係る撮像光学系の縦収差図であり、（ａ）は、無限遠合焦状態における縦収差図、（ｂ）は、物点距離３０ｃｍの合焦状態（近接物体合焦状態）における縦収差図、（ｃ）は、物点距離１５ｃｍの合焦状態（近接物体合焦状態）における縦収差図である。
【０１７９】
図５、７、９、１１及び１３は、各々数値実施例II−１〜II−５に係る撮像光学系の縦収差図である。各図において、（ａ）は、無限遠合焦状態における縦収差図、（ｂ）は、物点距離１５ｃｍの合焦状態（近接物体合焦状態）における縦収差図である。
【０１８０】
図１６、１８及び２０は、各々数値実施例III−１〜III−３に係る撮像光学系の縦収差図である。各図において、（ｂ）は、無限遠合焦状態における縦収差図、（ｃ）は、最近接（数値実施例III−１：物点距離１５ｃｍ、数値実施例III−２：物点距離１０ｃｍ、数値実施例III−３：物点距離１０ｃｍ）の合焦状態（近接物体合焦状態）における縦収差図である。
【０１８１】
図２３、２５及び２７は、各々数値実施例IV−１〜IV−３に係る撮像光学系の縦収差図である。各図において、（ａ）は、無限遠合焦状態における縦収差図、（ｂ）は、物点距離１５ｃｍの合焦状態（近接物体合焦状態）における縦収差図である。
【０１８２】
図３０及び３３は、各々数値実施例Ｖ−１〜Ｖ−２に係る撮像光学系の縦収差図である。各図において、（ａ）は、無限遠合焦状態における縦収差図、（ｂ）は、物点距離１０ｃｍの合焦状態（近接物体合焦状態）における縦収差図である。
【０１８３】
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１８４】
図３１及び３４は、各々数値実施例Ｖ−１〜Ｖ−２に係る撮像光学系の像ぶれ補正を行っていない基本状態での横収差図である。
【０１８５】
各横収差図において、上段は最大像高の７０％の像点における横収差、中段は軸上像点における横収差、下段は最大像高の−７０％の像点における横収差に、それぞれ対応する。各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と、第２レンズ群Ｇ２の光軸とを含む平面としている。
【０１８６】
なお、各数値実施例に係る撮像光学系について、無限遠における、像ぶれ補正状態での像ぶれ補正レンズ群（第１レンズ群Ｇ１）の光軸と垂直な方向への移動量は、以下に示すとおりである。
数値実施例Ｉ−１    ０．１０４ｍｍ
数値実施例II−１    ０．１０６ｍｍ
数値実施例II−２    ０．１０５ｍｍ
数値実施例II−３    ０．１２１ｍｍ
数値実施例II−４    ０．１０５ｍｍ
数値実施例II−５    ０．１２１ｍｍ
数値実施例Ｖ−１    ０．０１９ｍｍ
数値実施例Ｖ−２    ０．０２０ｍｍ
【０１８７】
撮影距離が∞で、撮像光学系が０．３°だけ傾いた場合の像偏心量は、像ぶれ補正レンズ群（第１レンズ群Ｇ１）が光軸と垂直な方向に上記の各値だけ平行移動するときの像偏心量に等しい。
【０１８８】
（数値実施例Ｉ−１）
数値実施例Ｉ−１の撮像光学系は、図１に示した実施の形態Ｉ−１に対応する。数値実施例Ｉ−１の撮像光学系の面データを表Ｉ−１に、非球面データを表Ｉ−２に、各種データを表Ｉ−３に示す。
【０１８９】
表  Ｉ−１（面データ）
面番号         r           d           nd         vd       
物面             ∞        可変                          
1               ∞     0.00000                          
2*        -2.48220     0.40080     1.54410    56.1      
3*        -3.60930     0.14970                          
4(絞り)           ∞     0.09000                          
5          4.95500     2.26630     1.83481    42.7      
6         -2.84710     0.00500     1.56732    42.8      
7         -2.84710     0.30000     1.75520    27.5      
8         38.28590     1.19820                          
9               ∞     0.00000                          
10*        24.55250     1.19100     1.54410    56.1      
11*       -14.79100        可変                          
12               ∞     2.55870                          
13               ∞     0.00000                          
14*        -6.95830     0.58000     1.54410    56.1      
15*        15.47090     0.17600                          
16               ∞     0.21000     1.51680    64.2      
17               ∞     0.64000                          
18               ∞        (BF)                          
像面             ∞                                      
【０１９０】
表  Ｉ−２（非球面データ）
第2面
K=-1.81077E+00, A4= 2.32892E-02, A6=-2.75364E-03, A8= 1.21601E-04 
A10=-3.76909E-06, A12= 2.12327E-05, A14=-7.61421E-06, A16= 9.26461E-07 
第3面
K=-9.66993E+00, A4= 5.85562E-03, A6= 4.48105E-03, A8=-1.54795E-03 
A10= 1.65372E-04, A12= 5.52306E-05, A14=-1.91330E-05, A16= 1.96595E-06 
第10面
K= 6.89706E+00, A4= 4.10449E-03, A6=-5.70270E-04, A8= 1.27538E-04 
A10=-8.15995E-05, A12= 1.65260E-05, A14=-1.78975E-06, A16= 3.35417E-08 
第11面
K=-5.07768E+00, A4= 7.79242E-03, A6=-8.06234E-05, A8= 1.28218E-04 
A10=-3.97728E-05, A12= 2.79920E-06, A14=-3.69727E-08, A16=-3.92930E-10 
第14面
K=-2.48834E+00, A4=-7.66707E-03, A6=-3.83296E-05, A8= 1.08045E-04 
A10=-5.30919E-06, A12=-4.95758E-07, A14= 4.93888E-08, A16=-1.13575E-09 
第15面
K= 7.66302E+00, A4=-5.72862E-03, A6=-1.36750E-04, A8= 4.67227E-05 
A10=-4.23040E-06, A12= 2.32936E-07, A14=-9.25912E-09, A16= 1.72207E-10 
【０１９１】
表  Ｉ−３（各種データ）
∞      30cm      15cm
焦点距離       6.7659    6.6627    6.5598
Ｆナンバー     2.50019   2.53733   2.57549
画角        40.3638   39.9481   39.5361
像高         5.1000    5.1000    5.1000
レンズ全長      9.7724    9.8916   10.0142
ＢＦ        0.00668   0.00715   0.00751
d11          0.0000    0.1188    0.2410
入射瞳位置      0.3785    0.3785    0.3785
射出瞳位置     -5.0631   -5.1000   -5.1373
前側主点位置   -1.8851   -1.9182   -1.9512
後側主点位置    3.0065    3.0766    3.1502
単レンズデータ
レンズ     始面     焦点距離
1         2      -16.7017
2         5        2.4958
3         7       -3.4981
4        10       17.1474
5        14       -8.7415
レンズ群データ
群   始面    焦点距離  レンズ構成長    前側主点位置  後側主点位置
1      1     5.93853     5.60100         1.88390       3.40560
2     12    -8.74152     3.52470         2.67418       2.95350
【０１９２】
（数値実施例II−１）
数値実施例II−１の撮像光学系は、図４に示した実施の形態II−１に対応する。数値実施例II−１の撮像光学系の面データを表II−１に、非球面データを表II−２に、各種データを表II−３に示す。
【０１９３】
表  II−１（面データ）
面番号         r           d           nd         vd    
物面             ∞        可変                                   
1*        -7.46200     0.39900     1.54410    56.1     
2*        16.37290     0.30000                        
3(絞り)           ∞     0.09000                         
4*         5.02490     0.90440     1.85976    40.5               
5         -9.38460     0.10000                                   
6        177.56670     0.80000     1.88100    40.1               
7         -4.13700     0.00500     1.56732    42.8               
8         -4.13700     0.30000     1.84666    23.8               
9         12.84180     1.00000                         
10*        -5.37750     1.07880     1.54410    56.1    
11*        -3.35970        可変                                   
12*        -7.36800     0.58330     1.54410    56.1     
13*        18.56200     0.19150                        
14               ∞     0.21000     1.51680    64.2               
15               ∞        (BF)                                       
像面             ∞                                               
【０１９４】
表  II−２（非球面データ）
第1面
K= 0.00000E+00, A4=-5.40406E-04, A6= 2.31065E-03, A8=-8.55530E-04 
A10= 1.57234E-04, A12= 1.82248E-05, A14=-1.75663E-05, A16= 2.60336E-06 
第2面
K= 0.00000E+00, A4= 1.23304E-03, A6= 3.99433E-03, A8=-1.01299E-03 
A10= 2.47358E-04, A12=-4.70886E-05, A14=-8.10191E-06, A16= 3.40626E-06 
第4面
K= 0.00000E+00, A4=-1.45505E-03, A6= 1.03780E-03, A8=-2.03798E-04 
A10= 1.39543E-05, A12= 0.00000E+00, A14= 0.00000E+00, A16= 0.00000E+00 
第10面
K=-2.09685E+00, A4=-6.93204E-03, A6= 1.40348E-05, A8= 5.04593E-04 
A10=-3.52386E-04, A12= 1.06923E-04, A14=-2.67160E-06, A16=-2.59546E-06 
第11面
K=-8.76207E-01, A4=-7.41626E-04, A6=-8.46557E-05, A8= 2.22629E-04 
A10=-2.30213E-05, A12= 2.74051E-08, A14= 1.97483E-06, A16=-2.56480E-07 
第12面
K= 2.27732E+00, A4=-5.43148E-03, A6= 7.71250E-04, A8=-9.09560E-05 
A10= 1.00270E-05, A12=-5.92314E-07, A14= 1.42114E-08, A16= 3.63659E-11 
第13面
K= 0.00000E+00, A4=-4.53243E-03, A6= 1.25561E-04, A8=-1.01267E-05 
A10= 6.10301E-07, A12=-1.44373E-08, A14=-4.58501E-10, A16= 2.36669E-11 
【０１９５】
表  II−３（各種データ）
∞      15cm
焦点距離       6.8630    6.6678
Ｆナンバー     2.46404   2.53489
画角        41.2826   40.4849
像高         5.3170    5.3170
レンズ全長      9.9700   10.2237
ＢＦ        0.63637   0.64047
d11          3.3716    3.6212 
レンズ群データ
群    始面      焦点距離
1       1       6.08225
2      12      -9.61754
【０１９６】
（数値実施例II−２）
数値実施例II−２の撮像光学系は、図６に示した実施の形態II−２に対応する。数値実施例II−２の撮像光学系の面データを表II−４に、非球面データを表II−５に、各種データを表II−６に示す。
【０１９７】
表  II−４（面データ）
面番号         r           d           nd         vd        
物面             ∞        可変                                   
1*        -5.07330     0.40000     1.54410    56.1       
2*        78.11670     0.35480                        
3(絞り)           ∞     0.05000                          
4*         4.88380     0.98690     1.80998    40.9               
5         -7.47020     0.05000                                   
6         86.52400     0.75000     1.88100    40.1               
7         -4.68780     0.00500     1.56732    42.8               
8         -4.68780     0.30000     1.84666    23.8               
9         10.71480     1.53740                           
10*        -8.53280     0.94410     1.54410    56.1        
11*        -4.07870        可変                            
12*       -10.27360     0.58000     1.54410    56.1         
13*         8.50700     0.25000                           
14               ∞     0.21000     1.51680    64.2               
15               ∞        (BF)                                       
像面             ∞                                               
【０１９８】
表  II−５（非球面データ）
第1面
K= 0.00000E+00, A4= 2.31310E-03, A6= 3.57319E-03, A8=-1.30414E-03 
A10= 1.10511E-04, A12= 5.14016E-05, A14=-1.60456E-05, A16= 1.41280E-06 
第2面
K= 0.00000E+00, A4=-8.22312E-04, A6= 7.46075E-03, A8=-2.75832E-03 
A10= 7.00398E-04, A12=-9.51586E-05, A14=-8.09650E-06, A16= 3.40791E-06 
第4面
K= 0.00000E+00, A4=-4.93124E-03, A6= 2.02958E-03, A8=-4.53318E-04 
A10= 4.14801E-05, A12= 0.00000E+00, A14= 0.00000E+00, A16= 0.00000E+00 
第10面
K=-1.06925E+01, A4=-3.27042E-03, A6=-1.91914E-03, A8= 1.19966E-03 
A10=-3.97578E-04, A12= 5.05184E-05, A14= 8.10236E-07, A16=-7.06955E-07 
第11面
K=-1.36778E+00, A4= 2.81809E-04, A6=-5.43725E-04, A8= 2.11451E-04 
A10=-1.17438E-05, A12=-5.33230E-06, A14= 9.80688E-07, A16=-6.15578E-08 
第12面
K= 5.37589E+00, A4=-1.08499E-02, A6= 1.23193E-03, A8=-9.66276E-05 
A10= 8.66478E-06, A12=-5.69348E-07, A14= 1.79836E-08, A16=-1.19305E-10 
第13面
K= 0.00000E+00, A4=-9.82700E-03, A6= 6.51759E-04, A8=-3.96684E-05 
A10= 1.27893E-06, A12=-2.77229E-09, A14=-1.29955E-09, A16= 3.22936E-11 
【０１９９】
表  II−６（各種データ）
∞      15cm
焦点距離       6.8629    6.6419
Ｆナンバー     2.46550   2.53265
画角        42.1280   41.2455
像高         5.3500    5.3500
レンズ全長      9.9700   10.2167
ＢＦ        0.63985   0.64003
d11          2.9119    3.1585 
レンズ群データ
群    始面      焦点距離
1       1       6.01253
2      12      -8.46078
【０２００】
（数値実施例II−３）
数値実施例II−３の撮像光学系は、図８に示した実施の形態II−３に対応する。数値実施例II−３の撮像光学系の面データを表II−７に、非球面データを表II−８に、各種データを表II−９に示す。
【０２０１】
表  II−７（面データ）
面番号         r           d           nd         vd                
物面             ∞        可変                                   
1*       -15.97950     0.45880     1.54410    56.1               
2*        11.85850     0.60430                                   
3*         5.38360     1.33220     1.77200    50.0               
4         -8.34870     0.10000                                   
5(絞り)           ∞     0.01500                                   
6         42.78430     0.83350     1.88100    40.1               
7         -6.71210     0.00570     1.56732    42.8               
8         -6.71210     0.34500     1.80518    25.5               
9          8.23210     1.15000                                   
10*        -5.26100     1.01950     1.54410    56.1               
11*        -3.53850        可変                                   
12*        -7.53350     0.67080     1.54410    56.1               
13*        19.67630     0.15180                                   
14               ∞     0.24150     1.51680    64.2               
15               ∞     0.73600                                   
16               ∞     0.00000                                   
17               ∞        (BF)                                   
像面             ∞                                               
【０２０２】
表  II−８（非球面データ）
第1面
K= 4.55077E+01, A4=-3.51463E-03, A6= 1.87356E-03, A8=-3.21537E-04 
A10= 2.93969E-05, A12= 6.78736E-06, A14=-2.78885E-06, A16= 3.19939E-07 
第2面
K= 0.00000E+00, A4=-3.09675E-03, A6= 2.48779E-03, A8=-4.12504E-04 
A10= 7.56015E-05, A12=-1.09652E-05, A14=-1.31679E-06, A16= 4.18611E-07 
第3面
K= 0.00000E+00, A4=-1.25727E-03, A6= 4.78558E-04, A8=-6.98420E-05 
A10= 3.70823E-06, A12= 0.00000E+00, A14= 0.00000E+00, A16= 0.00000E+00 
第10面
K=-6.28384E-01, A4=-6.61680E-03, A6= 1.01297E-05, A8=-2.63515E-05 
A10=-6.42648E-05, A12= 2.29066E-05, A14=-4.34210E-07, A16=-3.18968E-07 
第11面
K=-5.42002E-01, A4=-2.13110E-03, A6= 1.59070E-04, A8=-1.06675E-05 
A10=-1.18457E-05, A12= 4.44548E-06, A14= 8.01388E-08, A16=-3.23921E-08 
第12面
K= 1.99550E-01, A4=-5.75000E-03, A6= 5.75624E-04, A8=-4.55564E-05 
A10= 2.64985E-06, A12=-1.03630E-07, A14= 3.26366E-09, A16=-5.60599E-11 
第13面
K=-1.00000E+01, A4=-4.44577E-03, A6= 2.36550E-04, A8=-1.31274E-05 
A10= 1.97883E-07, A12= 2.91078E-09, A14= 2.31768E-11, A16=-2.38473E-12 
【０２０３】
表  II−９（各種データ）
∞      15cm
焦点距離       7.8926    7.6141
Ｆナンバー     2.30062   2.39547
画角        36.5608   35.4472
像高         5.3720    5.3720
レンズ全長     11.3304   11.6646
ＢＦ       -0.00420   0.01049
d11          3.6705    3.9900
レンズ群データ
群    始面      焦点距離
1       1       6.94510
2      12      -9.92612
【０２０４】
（数値実施例II−４）
数値実施例II−４の撮像光学系は、図１０に示した実施の形態II−４に対応する。数値実施例II−４の撮像光学系の面データを表II−１０に、非球面データを表II−１１に、各種データを表II−１２に示す。
【０２０５】
表  II−１０（面データ）
面番号         r           d           nd         vd                
物面             ∞        可変                                   
1*        -7.06290     0.39900     1.54410    56.1               
2*        23.43830     0.40450                                   
3*         5.02260     0.84930     1.88349    40.7               
4        -14.19600     0.10000                                   
5         23.76530     0.80000     1.88300    40.8               
6         -4.73350     0.00500     1.56732    42.8               
7         -4.73350     0.30000     1.90475    23.7               
8         12.18990     0.30000                                   
9(絞り)           ∞     0.70000                                   
10*        -6.02000     1.07880     1.54410    56.1               
11*        -3.38120        可変                                   
12*        -5.95610     0.58330     1.54410    56.1               
13*        27.79490     0.17280                                   
14               ∞     0.21000     1.51680    64.2               
15               ∞     0.64000                                   
16               ∞     0.00000                                   
17               ∞        (BF)                                   
像面             ∞                                               
【０２０６】
表  II−１１（非球面データ）
第1面
K= 0.00000E+00, A4= 2.68209E-03, A6= 1.78986E-03, A8=-7.02334E-04 
A10= 1.27279E-04, A12= 2.09381E-05, A14=-1.75663E-05, A16= 2.60336E-06 
第2面
K= 0.00000E+00, A4= 4.49723E-03, A6= 3.43759E-03, A8=-8.88983E-04 
A10= 2.35902E-04, A12=-4.70886E-05, A14=-8.10191E-06, A16= 3.40626E-06 
第3面
K= 0.00000E+00, A4=-6.41417E-04, A6= 1.01295E-03, A8=-2.04032E-04 
A10= 1.65511E-05, A12= 0.00000E+00, A14= 0.00000E+00, A16= 0.00000E+00 
第10面
K=-2.07020E+00, A4=-7.02752E-03, A6=-2.04875E-04, A8= 5.81624E-04 
A10=-3.75380E-04, A12= 1.06923E-04, A14=-2.67160E-06, A16=-2.59546E-06 
第11面
K=-8.78660E-01, A4=-7.40140E-04, A6=-1.80439E-05, A8= 1.68857E-04 
A10=-6.23929E-06, A12=-1.57566E-06, A14= 1.86259E-06, A16=-2.39740E-07 
第12面
K= 1.02650E+00, A4=-3.18591E-03, A6= 6.72284E-04, A8=-9.24105E-05 
A10= 1.05390E-05, A12=-5.96169E-07, A14= 1.23880E-08, A16= 8.68036E-11 
第13面
K= 3.55604E+01, A4=-3.32205E-03, A6= 1.48905E-05, A8=-4.04530E-06 
A10= 3.25289E-07, A12=-1.57596E-08, A14= 3.95216E-10, A16=-3.71203E-12 
【０２０７】
表  II−１２（各種データ）
∞      15cm
焦点距離       6.8629    6.6605
Ｆナンバー     2.46512   2.56226
画角        41.6562   40.5887
像高         5.3720    5.3720
レンズ全長      9.8876   10.1379
ＢＦ       -0.00800   0.00343
d11          3.3529    3.5918
レンズ群データ
群    始面      焦点距離
1       1       6.02129
2      12      -8.96035
【０２０８】
（数値実施例II−５）
数値実施例II−５の撮像光学系は、図１２に示した実施の形態II−５に対応する。数値実施例II−５の撮像光学系の面データを表II−１３に、非球面データを表II−１４に、各種データを表II−１５に示す。
【０２０９】
表  II−１３（面データ）
面番号         r           d           nd         vd      
物面             ∞        可変                                   
1*        15.49130     0.66660     1.54410    56.1        
2        -21.77200     0.33110                           
3*        -5.89930     0.40000     1.54410    56.1       
4         95.89790     0.32340                                   
5(絞り)           ∞     0.09000                             
6*         5.01690     0.61310     1.54410    56.1               
7         19.15290     0.20000                                   
8          6.37370     1.34160     1.88100    40.1               
9         -5.53230     0.00500     1.56732    42.8               
10         -5.53230     0.30270     1.75520    27.5               
11          6.17300     0.66730                           
12*       -22.78280     2.24100     1.54410    56.1               
13*        -5.19500        可変                                   
14*        -5.97980     0.58000     1.54410    56.1       
15*        15.46740     0.19200                           
16               ∞     0.21000     1.51680    64.2               
17               ∞        (BF)                                       
像面             ∞                                               
【０２１０】
表  II−１４（非球面データ）
第1面
K= 0.00000E+00, A4=-8.49136E-03, A6=-6.26214E-04, A8= 9.07818E-05 
A10= 8.65834E-06, A12=-1.10003E-06, A14= 0.00000E+00 
第3面
K= 0.00000E+00, A4= 2.90090E-02, A6=-4.61475E-03, A8= 1.03094E-03 
A10=-1.56204E-04, A12= 9.56995E-06, A14= 0.00000E+00 
第6面
K= 0.00000E+00, A4=-1.83663E-02, A6= 3.45042E-03, A8=-6.31002E-04 
A10= 5.23439E-05, A12= 0.00000E+00, A14= 0.00000E+00 
第12面
K= 3.14563E+00, A4=-1.30225E-03, A6=-7.01101E-04, A8= 4.22100E-04 
A10=-1.45096E-04, A12= 2.59612E-05, A14=-1.91149E-06 
第13面
K= 0.00000E+00, A4= 1.63809E-04, A6=-9.33183E-05, A8= 1.43438E-05 
A10=-4.56580E-07, A12= 0.00000E+00, A14= 0.00000E+00 
第14面
K=-2.11716E-01, A4=-9.69657E-03, A6= 8.99643E-04, A8=-7.24404E-05 
A10= 5.59702E-06, A12=-3.05384E-07, A14= 7.38645E-09 
第15面
K=-7.38559E+00, A4=-6.82818E-03, A6= 5.05452E-04, A8=-3.73353E-05 
A10= 1.78727E-06, A12=-5.08396E-08, A14= 6.45192E-10 
【０２１１】
表  II−１５（各種データ）
∞      15cm
焦点距離       8.0132    7.6456
Ｆナンバー     2.45518   2.53694
画角        36.2948   35.1675
像高         5.3700    5.3700
レンズ全長     11.8213   12.1482
ＢＦ        0.64797   0.64915
d13          3.0095    3.3353 
レンズ群データ
群    始面      焦点距離
1       1       6.91511
2      14      -7.85119
【０２１２】
（数値実施例III−１）
数値実施例III−１の撮像光学系は、図１５に示した実施の形態III−１に対応する。数値実施例III−１の撮像光学系の面データを表III−１に、非球面データを表III−２に、各種データを表III−３に示す。
【０２１３】
表  III−１（面データ）
面番号         r           d           nd         vd
物面             ∞        可変                    
1*        -7.57220     0.50000     1.54360    56.0
2*        15.46510     0.56330                    
3         16.69050     1.16510     2.00100    29.1
4        -20.85140     0.90000                    
5(絞り)           ∞     0.10000                     
6         10.33920     1.53030     2.00100    29.1
7         -5.72360     0.01000     1.56732    42.8
8         -5.72360     0.50000     1.92286    20.9
9          7.38460     0.92910                    
10*     -1232.29070     1.25020     1.80998    40.9
11*        -9.37040        可変                     
12*       -28.49540     0.60000     1.54360    56.0
13*        75.69850     0.10000                    
14         21.16620     1.85220     1.90366    31.3
15        100.00000     2.00000                    
16               ∞        (BF)                        
像面             ∞                                 
【０２１４】
表  III−２（非球面データ）
第1面
K= 0.00000E+00, A4= 6.69048E-03, A6=-9.43457E-04, A8= 8.93010E-05 
A10=-4.59716E-06, A12= 9.61909E-08 
第2面
K= 0.00000E+00, A4= 7.43548E-03, A6=-8.41966E-04, A8= 6.52987E-05 
A10=-1.36706E-06, A12=-6.44539E-08 
第10面
K= 0.00000E+00, A4= 5.56200E-04, A6= 3.42621E-05, A8= 9.48358E-06 
A10=-4.11303E-07, A12= 0.00000E+00 
第11面
K= 0.00000E+00, A4= 2.50116E-04, A6=-2.00535E-06, A8= 7.89527E-06 
A10= 0.00000E+00, A12= 0.00000E+00 
第12面
K= 0.00000E+00, A4=-5.16210E-04, A6= 2.20156E-05, A8=-1.93288E-06 
A10= 6.71661E-08, A12=-7.01841E-10 
第13面
K= 0.00000E+00, A4= 2.27815E-04, A6=-1.07988E-05, A8=-2.33695E-07 
A10= 1.21185E-08, A12=-1.02787E-10 
【０２１５】
表  III−３（各種データ）
沈胴時      ∞      最近接
焦点距離         -      10.7123   10.7805
Ｆナンバー        -      2.88481   3.06116
画角           -      39.6781   37.4110
像高           -       8.0000    8.0000
レンズ全長     15.2002   19.0026   19.8279
ＢＦ           -      0.00000   0.00000
d0             -           ∞  150.0000
d11            -       7.0024    7.8277
単レンズデータ
レンズ     始面     焦点距離
1         1       -9.2802
2         3        9.4069
3         6        3.8646
4         8       -3.4311
5        10       11.6520
6        12      -38.0067
7        14       29.3839
【０２１６】
（数値実施例III−２）
数値実施例III−２の撮像光学系は、図１７に示した実施の形態III−２に対応する。数値実施例III−２の撮像光学系の面データを表III−４に、非球面データを表III−５に、各種データを表III−６に示す。
【０２１７】
表  III−４（面データ）
面番号         r           d           nd         vd   
物面             ∞        可変                                   
1*        -4.65110     0.49000     1.54410    55.6  
2*        -6.99800     1.25000                      
3(絞り)           ∞     0.75000                      
4          6.90600     1.54000     2.00069    25.5  
5         -5.91030     0.01000     1.56732    42.8  
6         -5.91030     0.30000     1.94595    18.0  
7         13.77170     0.95740                      
8*        -7.53830     1.40000     1.54410    55.6  
9*        -4.56090        可変                      
10*        -9.06620     0.63000     1.63450    23.9 
11*       503.57710     0.23850                      
12         39.95560     1.23000     1.90366    31.3  
13        995.70600     0.35940                      
14               ∞     0.54000     1.51680    64.2  
15               ∞     1.16000                      
16               ∞        (BF)                          
像面             ∞                                   
【０２１８】
表  III−５（非球面データ）
第1面
K=-6.02670E+00, A4= 1.82982E-03, A6= 2.70942E-04, A8=-4.64512E-05 
A10= 2.58920E-06, A12= 0.00000E+00, A14= 0.00000E+00 
第2面
K=-2.13658E+01, A4= 7.35493E-04, A6= 8.10019E-04, A8=-1.18060E-04 
A10= 7.11999E-06, A12= 0.00000E+00, A14= 0.00000E+00 
第8面
K= 0.00000E+00, A4=-1.68558E-03, A6=-5.30946E-04, A8= 1.50265E-04 
A10=-2.32996E-05, A12= 2.66205E-06, A14=-8.07118E-08 
第9面
K=-7.16324E-01, A4=-7.85660E-04, A6=-2.17517E-05, A8= 1.59535E-06 
A10= 1.59288E-06, A12=-2.97487E-08, A14= 1.39669E-08 
第10面
K= 0.00000E+00, A4=-1.25647E-03, A6= 5.95607E-05, A8=-1.50192E-05 
A10= 8.93460E-07, A12=-2.00860E-08, A14= 1.31238E-10 
第11面
K= 0.00000E+00, A4=-5.64769E-04, A6=-4.72222E-05, A8= 2.82235E-07 
A10= 3.61880E-08, A12=-3.05650E-10, A14=-4.91323E-12 
【０２１９】
表  III−６（各種データ）
沈胴時      ∞      最近接
焦点距離         -      10.6452   10.1657
Ｆナンバー        -      2.89475   3.08889
画角           -      36.5218   34.7624
像高           -       7.8920    7.8920
レンズ全長     11.0053   16.6351   17.4653
ＢＦ           -      0.00000   0.00000
d0             -        ∞     100.0000
d9             -       5.7798    6.6100
単レンズデータ
レンズ     始面     焦点距離
1         1      -27.5134
2         4        3.3860
3         6       -4.3397
4         8       18.2065
5        10      -14.0293
6        12       46.0357
【０２２０】
（数値実施例III−３）
数値実施例III−３の撮像光学系は、図１９に示した実施の形態III−３に対応する。数値実施例III−３の撮像光学系の面データを表III−７に、非球面データを表III−８に、各種データを表III−９に示す。
【０２２１】
表  III−７（面データ）
面番号         r           d           nd         vd   
物面             ∞        可変                                   
1*        -4.35630     0.60000     1.54360    56.0  
2*        -5.87190     0.60000                      
3(絞り)           ∞     0.40000                      
4          7.09060     1.58780     2.00069    25.5 
5         -7.09060     0.01000     1.56732    42.8 
6         -7.09060     0.30000     1.94595    18.0   
7         12.34950     1.43090                       
8*        -7.00000     1.93420     1.58254    59.5   
9*        -4.20380        可変                       
10*        -9.25510     0.80000     1.63451    23.9  
11*        56.67240     0.27000                      
12         30.50410     1.59490     1.90366    31.3  
13       -168.19990     0.20000                      
14               ∞     0.54000     1.51680    64.2  
15               ∞     1.16000                      
16               ∞        (BF)                          
像面             ∞                                   
【０２２２】
表  III−８（非球面データ）
第1面
K=-7.55958E+00, A4=-1.63097E-03, A6= 1.22281E-03, A8=-2.94708E-04 
A10= 4.92265E-05, A12=-4.93583E-06, A14= 2.14105E-07 
第2面
K= 1.48671E-01, A4= 8.52008E-03, A6=-3.93847E-04, A8= 2.12278E-05 
A10= 6.65415E-06, A12=-2.12931E-06, A14= 1.76945E-07 
第8面
K= 0.00000E+00, A4=-2.85619E-03, A6=-3.53571E-04, A8= 4.99911E-05 
A10=-1.33631E-05, A12= 1.60479E-06, A14=-3.70810E-08 
第9面
K=-6.52802E-01, A4=-9.88708E-04, A6=-1.70648E-04, A8= 1.19662E-05 
A10=-9.32170E-08, A12=-1.76220E-07, A14= 1.60073E-08 
第10面
K= 0.00000E+00, A4= 1.45083E-04, A6= 2.45427E-05, A8=-1.33404E-05 
A10= 9.13860E-07, A12=-2.33085E-08, A14= 2.08942E-10 
第11面
K= 0.00000E+00, A4= 3.61601E-04, A6=-5.86258E-05, A8=-2.61671E-07 
A10= 7.20369E-08, A12=-1.31464E-09, A14= 6.36255E-12 
【０２２３】
表  III−９（各種データ）
沈胴時      ∞      最近接
焦点距離         -      10.7037   10.2610
Ｆナンバー        -      2.89566   3.07283
画角           -      36.7746   35.1531
像高           -       8.0000    8.0000
レンズ全長     11.5778   16.8050   17.6637
ＢＦ           -      0.00000   0.00000
d0             -           ∞  100.0000 
d9             -       5.3772    6.2359 
単レンズデータ
レンズ     始面     焦点距離
1         1      -36.0777
2         4        3.7530
3         6       -4.7263
4         8       14.3989
5        10      -12.4799
6        12       28.6834
【０２２４】
（数値実施例IV−１）
数値実施例IV−１の撮像光学系は、図２２に示した実施の形態IV−１に対応する。数値実施例IV−１の撮像光学系の面データを表IV−１に、非球面データを表IV−２に、各種データを表IV−３に示す。
【０２２５】
表  IV−１（面データ）
面番号         r           d           nd         vd                
物面             ∞        可変                                   
1*         7.31070     0.50000     1.54410    56.1               
2*         8.85000     0.31350                                   
3(絞り)           ∞     0.05150                                   
4*       -13.70490     0.89240     1.54410    56.1               
5*        -4.52540     0.05000                                   
6         19.76500     0.87970     1.88300    40.8               
7         -5.31220     0.00520     1.56732    42.8               
8         -5.31220     0.44780     1.81727    24.5               
9         74.51000        可変                                   
10*       -14.78710     0.94340     1.54410    56.1               
11*        -5.54180     1.71780                                   
12*        -3.95710     1.32160     1.54410    56.1               
13*        10.97230     0.21360                                   
14               ∞     0.21630     1.51680    64.2               
15               ∞        (BF)                                       
像面             ∞                                               
【０２２６】
表  IV−２（非球面データ）
第1面
K= 0.00000E+00, A4=-1.24751E-02, A6=-6.81925E-04, A8=-1.30318E-04 
A10=-1.10022E-04, A12= 5.63872E-05, A14=-8.90567E-06, A16= 5.26110E-07 
第2面
K= 0.00000E+00, A4=-4.69819E-03, A6= 1.77589E-03, A8=-1.32671E-04 
A10=-9.29687E-05, A12= 6.41269E-05, A14=-1.01394E-05, A16= 4.57177E-07 
第4面
K= 0.00000E+00, A4= 3.20511E-03, A6= 2.53477E-03, A8=-3.30451E-04 
A10= 4.00241E-05, A12= 0.00000E+00, A14= 0.00000E+00, A16= 0.00000E+00 
第5面
K= 0.00000E+00, A4=-2.30490E-03, A6= 2.69178E-04, A8=-2.01150E-04 
A10= 1.69944E-05, A12= 0.00000E+00, A14= 0.00000E+00, A16= 0.00000E+00 
第10面
K= 0.00000E+00, A4=-1.75363E-03, A6=-5.77976E-04, A8= 2.16364E-04 
A10=-5.98279E-05, A12= 5.21144E-06, A14= 4.04214E-08, A16=-2.26346E-08 
第11面
K= 0.00000E+00, A4=-1.23058E-03, A6=-4.07095E-04, A8= 1.03363E-04 
A10=-2.23987E-05, A12= 1.18576E-06, A14=-1.75617E-08, A16= 3.23449E-09 
第12面
K= 0.00000E+00, A4=-1.26758E-02, A6= 3.93597E-04, A8= 7.95787E-05 
A10=-1.30555E-05, A12=-7.85888E-07, A14= 8.69778E-08, A16= 3.29614E-09 
第13面
K= 0.00000E+00, A4=-1.01582E-02, A6= 8.42832E-04, A8=-5.13871E-05 
A10= 1.58727E-06, A12=-2.67804E-08, A14= 3.94455E-10, A16=-5.89140E-12 
【０２２７】
表  IV−３（各種データ）
∞      15cm
焦点距離       7.7129    7.4055
Ｆナンバー     2.46957   2.58265
画角        43.2450   40.7724
像高         6.2200    6.2200
レンズ全長     10.1113   10.4675
ＢＦ        0.66054   0.66629
d0               ∞  150.0000
d9           1.8980    2.2484
単レンズデータ
レンズ     始面     焦点距離
1         1       69.3164
2         4       12.0062
3         6        4.8210
4         8       -6.0521
5        10       15.7251
6        12       -5.1834
【０２２８】
（数値実施例IV−２）
数値実施例IV−２の撮像光学系は、図２４に示した実施の形態IV−２に対応する。数値実施例IV−２の撮像光学系の面データを表IV−４に、非球面データを表IV−５に、各種データを表IV−６に示す。
【０２２９】
表  IV−４（面データ）
面番号         r           d           nd         vd                
物面             ∞        可変                                   
1*       -64.83460     0.50000     1.54410    56.1               
2*        40.44600     0.30000                                   
3(絞り)           ∞     0.05000                                   
4*        33.01990     1.09010     1.54410    56.1               
5*        -4.22300     0.05000                                   
6         15.12380     1.03590     1.91082    35.3               
7         -4.20270     0.00500     1.56732    42.8               
8         -4.20270     0.40000     1.80518    25.5               
9         10.48520        可変                                   
10*       -13.75690     1.19980     1.54410    56.1               
11*        -4.82990     1.60600                                   
12*        -4.81830     1.17770     1.54410    56.1               
13*         8.42500     0.25730                                   
14               ∞     0.21000     1.51680    64.2               
15               ∞        (BF)                                       
像面             ∞                                               
【０２３０】
表  IV−５（非球面データ）
第1面
K= 0.00000E+00, A4=-1.49184E-02, A6= 2.55813E-03, A8= 3.54517E-05 
A10=-2.17765E-04, A12= 7.80531E-05, A14=-1.30783E-05, A16= 8.19662E-07 
第2面
K= 0.00000E+00, A4=-9.14652E-03, A6= 6.04897E-03, A8=-8.38044E-04 
A10=-4.11071E-05, A12= 8.87666E-05, A14=-1.48901E-05, A16= 7.12267E-07 
第4面
K= 0.00000E+00, A4=-3.17401E-03, A6= 2.18456E-03, A8=-6.82518E-04 
A10= 7.25466E-05, A12= 0.00000E+00, A14= 0.00000E+00, A16= 0.00000E+00 
第5面
K= 0.00000E+00, A4=-3.76439E-03, A6=-3.19555E-04, A8=-7.47680E-05 
A10=-2.38686E-05, A12= 0.00000E+00, A14= 0.00000E+00, A16= 0.00000E+00 
第10面
K= 0.00000E+00, A4=-2.58004E-03, A6=-5.55744E-04, A8= 2.15177E-04 
A10=-7.83619E-05, A12= 8.83464E-06, A14=-1.23394E-07, A16=-3.52640E-08 
第11面
K= 0.00000E+00, A4=-1.68875E-03, A6=-3.31614E-04, A8= 7.56124E-05 
A10=-2.40250E-05, A12= 2.08154E-06, A14=-9.72969E-08, A16= 3.29818E-09 
第12面
K= 0.00000E+00, A4=-1.72872E-02, A6= 7.33573E-04, A8= 2.91823E-05 
A10=-1.40360E-05, A12=-3.71679E-07, A14= 1.40869E-07, A16=-4.69621E-09 
第13面
K= 0.00000E+00, A4=-1.09527E-02, A6= 8.35704E-04, A8=-5.27766E-05 
A10= 1.83734E-06, A12=-4.26252E-08, A14= 9.51620E-10, A16=-1.49226E-11 
【０２３１】
表  IV−６（各種データ）
∞      15cm
焦点距離       7.1138    6.9102
Ｆナンバー     2.46987   2.57993
画角        43.6928   41.1111
像高         5.9000    5.9000
レンズ全長     10.0624   10.4020
ＢＦ        0.64396   0.64608
d0               ∞  150.0000
d9           1.5366    1.8741
単レンズデータ
レンズ     始面     焦点距離
1         1      -45.7014
2         4        6.9531
3         6        3.7055
4         8       -3.6814
5        10       13.0611
6        12       -5.4625
【０２３２】
（数値実施例IV−３）
数値実施例IV−３の撮像光学系は、図２６に示した実施の形態IV−３に対応する。数値実施例IV−３の撮像光学系の面データを表IV−７に、非球面データを表IV−８に、各種データを表IV−９に示す。
【０２３３】
表  IV−７（面データ）
面番号         r           d           nd         vd                
物面             ∞        可変                                   
1*         5.15230     0.56810     1.63550    23.9               
2*         4.46160     0.65540                                   
3(絞り)           ∞     0.01000                                   
4*        34.81940     0.40000     1.68893    31.1               
5          3.62120     0.00500     1.56732    42.8               
6          3.62120     2.15050     1.88300    40.8               
7         -5.87400     0.34990                                   
8*       -39.79810     0.38330     1.82115    24.1               
9         13.58270        可変                                   
10*        41.71430     0.65650     1.54410    56.1               
11*       -59.09360     2.19420                                   
12*        99.95620     0.98920     1.54410    56.1               
13*         5.54000     0.34830                                   
14               ∞     0.21000     1.51680    64.2               
15               ∞        (BF)                                       
像面             ∞                                               
【０２３４】
表  IV−８（非球面データ）
第1面
K= 0.00000E+00, A4=-5.64533E-03, A6=-8.82560E-04, A8=-1.93024E-05 
A10= 5.23608E-06, A12= 0.00000E+00, A14= 0.00000E+00 
第2面
K= 0.00000E+00, A4=-1.98940E-03, A6=-6.31388E-04, A8= 3.09014E-05 
A10= 1.18957E-05, A12= 0.00000E+00, A14= 0.00000E+00 
第4面
K= 0.00000E+00, A4= 1.94778E-03, A6= 2.25361E-04, A8= 2.27057E-05 
A10= 0.00000E+00, A12= 0.00000E+00, A14= 0.00000E+00 
第8面
K= 0.00000E+00, A4=-1.48863E-03, A6=-6.38674E-05, A8=-2.17782E-05 
A10=-1.16679E-06, A12= 6.84425E-09, A14= 0.00000E+00 
第10面
K= 0.00000E+00, A4= 6.04807E-04, A6=-1.35909E-04, A8= 5.15315E-07 
A10= 1.75420E-08, A12= 0.00000E+00, A14= 0.00000E+00 
第11面
K= 0.00000E+00, A4= 2.94057E-04, A6=-8.56795E-05, A8=-4.75206E-06 
A10= 7.83627E-07, A12=-5.16731E-08, A14= 2.60647E-09 
第12面
K= 0.00000E+00, A4=-1.37084E-02, A6= 5.76556E-04, A8= 6.09818E-06 
A10=-4.62040E-06, A12= 3.59687E-07, A14=-7.97578E-09 
第13面
K= 0.00000E+00, A4=-1.31842E-02, A6= 9.74622E-04, A8=-5.79410E-05 
A10= 1.71800E-06, A12=-2.07810E-08, A14= 0.00000E+00 
【０２３５】
表  IV−９（各種データ）
∞      15cm
焦点距離       7.8336    7.6297
Ｆナンバー     2.20183   2.31671
画角        36.9476   35.1684
像高         5.5000    5.5000
レンズ全長     11.0729   11.4999
ＢＦ        0.64549   0.65388
d0               ∞  150.0000
d9           1.5070    1.9256
単レンズデータ
レンズ     始面     焦点距離
1         1      -76.9696
2         4       -5.8972
3         6        2.8385
4         8      -12.2925
5        10       45.0453
6        12      -10.8193
【０２３６】
（数値実施例Ｖ−１）
数値実施例Ｖ−１の撮像光学系は、図２９に示した実施の形態Ｖ−１に対応する。数値実施例Ｖ−１の撮像光学系の面データを表Ｖ−１に、非球面データを表Ｖ−２に、各種データを表Ｖ−３に示す。
【０２３７】
表  Ｖ−１（面データ）
面番号         r           d           nd         vd                
物面             ∞        可変                                   
1*         2.85230     0.30000     1.54410    56.1               
2*         3.08160     0.20000                                   
3*        -4.39760     0.33480     1.54410    56.1               
4*        -5.30790     0.10000                                   
5(絞り)           ∞     0.00000                                   
6*         2.22950     0.82640     1.54410    56.1               
7        -10.28610     0.10000                                   
8         -8.57510     0.30000     1.63550    23.9               
9*         5.35670     0.38610                                   
10*        12.30820     1.02010     1.54410    56.1               
11*        -3.03750        可変                                   
12*        -2.65810     0.50000     1.54410    56.1               
13*         4.93440     0.19490                                   
14               ∞     0.21000     1.51680    64.2               
15               ∞        (BF)                                       
像面             ∞                                               
【０２３８】
表  Ｖ−２（非球面データ）
第1面
K= 0.00000E+00, A4=-5.68645E-02, A6=-4.69711E-04, A8=-3.49201E-02 
A10= 8.62035E-03, A12= 2.05289E-02, A14=-1.33715E-02, A16= 2.43379E-03 
第2面
K= 0.00000E+00, A4=-4.40233E-02, A6= 3.24471E-02, A8=-6.77753E-02 
A10= 4.65190E-03, A12= 3.12507E-02, A14=-1.52237E-02, A16= 2.11491E-03 
第3面
K= 0.00000E+00, A4= 9.47046E-02, A6= 1.67562E-03, A8=-3.50326E-02 
A10= 9.53146E-03, A12= 0.00000E+00, A14= 0.00000E+00, A16= 0.00000E+00 
第4面
K= 0.00000E+00, A4= 4.14528E-02, A6=-1.84026E-02, A8= 1.06282E-02 
A10=-5.31124E-03, A12= 0.00000E+00, A14= 0.00000E+00, A16= 0.00000E+00 
第6面
K= 0.00000E+00, A4=-3.66711E-02, A6= 1.59722E-02, A8=-4.97816E-03 
A10= 3.59489E-04, A12= 0.00000E+00, A14= 0.00000E+00, A16= 0.00000E+00 
第9面
K= 0.00000E+00, A4=-9.27438E-03, A6= 7.67672E-03, A8=-2.49598E-03 
A10= 5.40070E-04, A12= 0.00000E+00, A14= 0.00000E+00, A16= 0.00000E+00 
第10面
K= 0.00000E+00, A4=-1.97243E-02, A6=-1.19755E-02, A8= 1.38155E-02 
A10=-1.20938E-02, A12= 3.90687E-03, A14=-1.26161E-04, A16=-1.04708E-04 
第11面
K= 0.00000E+00, A4=-5.11763E-03, A6= 5.20004E-03, A8=-1.48343E-02 
A10= 1.24280E-02, A12=-5.68426E-03, A14= 1.26506E-03, A16=-9.94291E-05 
第12面
K= 0.00000E+00, A4=-7.88035E-02, A6= 2.42338E-02, A8=-3.54442E-03 
A10=-1.03569E-03, A12= 4.59625E-04, A14=-4.77849E-05, A16= 1.04175E-06 
第13面
K= 0.00000E+00, A4=-7.37146E-02, A6= 2.37593E-02, A8=-6.20327E-03 
A10= 9.53919E-04, A12=-8.65906E-05, A14= 4.41878E-06, A16=-1.01447E-07 
【０２３９】
表  Ｖ−３（各種データ）
∞      10cm
焦点距離       4.7011    4.4703
Ｆナンバー     2.05126   2.11292
画角        40.9363   40.1591
像高         3.4520    3.4520
レンズ全長      6.2783    6.4188
ＢＦ        0.38994   0.40705
d0               ∞  100.0000 
d11          1.4161    1.5394 
入射瞳位置      0.7533    0.7533
射出瞳位置     -2.3361   -2.3576
前側主点位置   -2.6527   -2.6144
後側主点位置    1.5773    1.7334
単レンズデータ
レンズ     始面     焦点距離
1         1       48.2206
2         3      -54.1447
3         6        3.4479
4         8       -5.1451
5        10        4.5850
6        12       -3.1030
レンズ群データ
群   始面    焦点距離  レンズ構成長    前側主点位置  後側主点位置
1      1     3.61794     3.56740         1.74544       2.19128
2     12    -3.10298     0.90490         0.11079       0.36588
【０２４０】
（数値実施例Ｖ−２）
数値実施例Ｖ−２の撮像光学系は、図３２に示した実施の形態Ｖ−２に対応する。数値実施例Ｖ−２の撮像光学系の面データを表Ｖ−４に、非球面データを表Ｖ−５に、各種データを表Ｖ−６に示す。
【０２４１】
表  Ｖ−４（面データ）
面番号         r           d           nd         vd                
物面             ∞        可変                                   
1*         2.29250     0.28000     1.54410    56.1               
2*         2.13470     0.25000                                   
3*        -3.32110     0.38090     1.54410    56.1               
4*        -3.27800     0.10000                                   
5(絞り)           ∞     0.00000                                   
6*         1.82830     0.69020     1.54410    56.1               
7         52.78110     0.10000                                   
8        -21.29350     0.30000     1.63550    23.9               
9*         4.02830     0.43010                                   
10*       -17.96410     0.63650     1.54410    56.1               
11*        -2.53540        可変                                   
12*        -4.12810     0.70000     1.54410    56.1               
13*         5.02680     0.22630                                   
14               ∞     0.21000     1.51680    64.2               
15               ∞        (BF)                                       
像面             ∞                                               
【０２４２】
表  Ｖ−５（非球面データ）
第1面
K= 0.00000E+00, A4=-6.99680E-02, A6=-4.18325E-02, A8=-1.50002E-02 
A10= 5.69750E-03, A12= 2.05292E-02, A14=-1.33714E-02, A16= 2.43379E-03 
第2面
K= 0.00000E+00, A4=-4.62342E-02, A6=-6.61069E-02, A8= 1.77978E-02 
A10=-2.12597E-02, A12= 3.12427E-02, A14=-1.52301E-02, A16= 2.10959E-03 
第3面
K= 0.00000E+00, A4= 1.29764E-01, A6=-7.78066E-02, A8= 5.28148E-02 
A10=-1.79377E-02, A12= 0.00000E+00, A14= 0.00000E+00, A16= 0.00000E+00 
第4面
K= 0.00000E+00, A4= 3.75478E-02, A6=-4.18188E-02, A8= 4.75274E-02 
A10=-1.48653E-02, A12= 0.00000E+00, A14= 0.00000E+00, A16= 0.00000E+00 
第6面
K= 0.00000E+00, A4=-5.96781E-02, A6= 2.32741E-02, A8=-7.64716E-03 
A10= 6.22159E-04, A12= 0.00000E+00, A14= 0.00000E+00, A16= 0.00000E+00 
第9面
K= 0.00000E+00, A4=-3.07060E-04, A6= 2.04424E-04, A8=-1.52500E-03 
A10= 4.55994E-04, A12= 0.00000E+00, A14= 0.00000E+00, A16= 0.00000E+00 
第10面
K= 0.00000E+00, A4=-1.28166E-03, A6=-1.57499E-02, A8= 2.24265E-02 
A10=-1.52444E-02, A12= 3.93156E-03, A14=-1.03756E-04, A16=-8.69950E-05 
第11面
K= 0.00000E+00, A4= 1.25430E-02, A6= 1.21093E-03, A8=-2.86807E-03 
A10= 7.83576E-03, A12=-4.82001E-03, A14= 1.26429E-03, A16=-1.00144E-04 
第12面
K= 0.00000E+00, A4=-3.16569E-02, A6= 6.02122E-03, A8= 2.09274E-03 
A10=-1.20917E-03, A12= 2.44975E-04, A14=-2.33818E-05, A16= 8.82313E-07 
第13面
K= 0.00000E+00, A4=-4.57764E-02, A6= 1.13751E-02, A8=-2.90412E-03 
A10= 5.21728E-04, A12=-6.22140E-05, A14= 4.20200E-06, A16=-1.17837E-07 
【０２４３】
表  Ｖ−６（各種データ）
∞      10cm
焦点距離       4.6996    4.5069
Ｆナンバー     2.25031   2.32276
画角        39.7835   39.0194
像高         3.3720    3.3720
レンズ全長      6.2501    6.3997
ＢＦ        0.38239   0.39262
d0               ∞  100.0000 
d11          1.5637    1.7031 
入射瞳位置      0.8198    0.8198
射出瞳位置     -2.5897   -2.6255
前側主点位置   -1.9118   -1.9251
後側主点位置    1.5505    1.6757
単レンズデータ
レンズ     始面     焦点距離
1         1     -152.0967
2         3      112.8383
3         6        3.4643
4         8       -5.3060
5        10        5.3478
6        12       -4.0566
レンズ群データ
群   始面    焦点距離  レンズ構成長    前側主点位置  後側主点位置
1      1     3.77801     3.16770         1.54341       1.94793
2     12    -4.05661     1.13630         0.19905       0.52916 
【０２４４】
以下の表１、表２に、各数値実施例に係る撮像光学系における各条件の対応値を示す。
【０２４５】
表  １（条件の対応値）
【表１】
2015040867.tif 000004
【０２４６】
表  ２（条件の対応値）
【表２】
2015040867.tif 000005
【０２４７】
以上のように、本開示における技術の例示として、実施の形態を説明した。そのために、添付図面および詳細な説明を提供した。
【０２４８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２４９】
また、上述の実施の形態は、本開示における技術を例示するためのものであるから、特許請求の範囲またはその均等の範囲において種々の変更、置き換え、付加、省略などを行うことができる。
【産業上の利用可能性】
【０２５０】
本開示に係る撮像光学系は、スマートフォンのカメラ、携帯電話機器のカメラ、タブレット端末のカメラ、ＷＥＢカメラ、監視システムにおける監視カメラ、車載カメラ等に適用可能である。特に、本開示に係る撮像光学系は、スマートフォンのカメラ、タブレット端末のカメラといった広角で、小型化が要求される携帯端末の撮像光学系に好適である。
【符号の説明】
【０２５１】
Ｇ１    第１レンズ群
Ｇ２    第２レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｐ      平行平板
Ａ      開口絞り
Ｓ      像面
１００  携帯端末
１０１  携帯端末本体
１０２  ＣＰＵ
１０３  モニタ
２００  光学モジュール
２０１  透明カバー
２０２  撮像光学系
２０３  撮像素子
２０４  メカシャッタユニット
２０５  フォーカス機構、沈胴／フォーカス機構
【図１】
2015040867.tif 000006
【図２】
2015040867.tif 000007
【図３】
2015040867.tif 000008
【図４】
2015040867.tif 000009
【図５】
2015040867.tif 000010
【図６】
2015040867.tif 000011
【図７】
2015040867.tif 000012
【図８】
2015040867.tif 000013
【図９】
2015040867.tif 000014
【図１０】
2015040867.tif 000015
【図１１】
2015040867.tif 000016
【図１２】
2015040867.tif 000017
【図１３】
2015040867.tif 000018
【図１４】
2015040867.tif 000019
【図１５】
2015040867.tif 000020
【図１６】
2015040867.tif 000021
【図１７】
2015040867.tif 000022
【図１８】
2015040867.tif 000023
【図１９】
2015040867.tif 000024
【図２０】
2015040867.tif 000025
【図２１】
2015040867.tif 000026
【図２２】
2015040867.tif 000027
【図２３】
2015040867.tif 000028
【図２４】
2015040867.tif 000029
【図２５】
2015040867.tif 000030
【図２６】
2015040867.tif 000031
【図２７】
2015040867.tif 000032
【図２８】
2015040867.tif 000033
【図２９】
2015040867.tif 000034
【図３０】
2015040867.tif 000035
【図３１】
2015040867.tif 000036
【図３２】
2015040867.tif 000037
【図３３】
2015040867.tif 000038
【図３４】
2015040867.tif 000039
【図３５】
2015040867.tif 000040
【手続補正書】
【提出日】平成28年3月11日(2016.3.11)
【手続補正１】
【補正対象書類名】明細書
【補正対象項目名】全文
【補正方法】変更
【補正の内容】
【発明の詳細な説明】
【技術分野】
【０００１】
本開示は、撮像光学系に関する。
【背景技術】
【０００２】
特許文献１は、撮像素子側のレンズを固定するとともに、最も被写体側のレンズを含む複数のレンズを有するレンズ群を光軸方向に移動させてフォーカシングを行う撮像レンズ系を開示する。
【０００３】
特許文献２は、４枚又は５枚のレンズで構成され、全系を光軸上で移動させてフォーカシングを行う撮像光学系を開示する。
【先行技術文献】
【特許文献】
【０００４】
【特許文献１】国際公開第２０１０／１４３４５９号公報
【特許文献２】特開２０１３−１９５６８８号公報
【発明の概要】
【発明が解決しようとする課題】
【０００５】
本開示は、小型でありながら、諸収差の発生が充分に抑制され、無限遠合焦状態から近接物体合焦状態まで解像度が高く、明るく高性能で、広角撮影にも適した撮像光学系を提供する。
【課題を解決するための手段】
【０００６】
本開示における撮像光学系は、
物体側から像側へと順に、
正のパワーを有する第１レンズ群と、
第２レンズ群と、からなり、
無限遠合焦状態から近接物体合焦状態へのフォーカシングの際に、前記第１レンズ群は、光軸に沿って移動し、前記第２レンズ群は、像面に対して固定され、
前記第１レンズ群は、物体側から像側へと順に、
負のパワーを有する第１レンズ素子と、
少なくとも１枚の後続レンズ素子と、からなり、
前記第1レンズ素子と前記後続レンズ素子との間に開口絞りを配置した
ことを特徴とする。
【発明の効果】
【０００７】
本開示における撮像光学系は、小型でありながら、諸収差の発生が充分に抑制され、無限遠合焦状態から近接物体合焦状態まで解像度が高く、明るく高性能で、広角撮影にも適している。
【図面の簡単な説明】
【０００８】
【図１】実施の形態Ｉ−１（数値実施例Ｉ−１）に係る撮像光学系のレンズ配置図
【図２】数値実施例Ｉ−１に係る撮像光学系の縦収差図
【図３】実施の形態Ｉ−１に係る撮像光学系を適用した携帯端末の概略構成図
【図４】実施の形態II−１（数値実施例II−１）に係る撮像光学系のレンズ配置図
【図５】数値実施例II−１に係る撮像光学系の縦収差図
【図６】実施の形態II−２（数値実施例II−２）に係る撮像光学系のレンズ配置図
【図７】数値実施例II−２に係る撮像光学系の縦収差図
【図８】実施の形態II−３（数値実施例II−３）に係る撮像光学系のレンズ配置図
【図９】数値実施例II−３に係る撮像光学系の縦収差図
【図１０】実施の形態II−４（数値実施例II−４）に係る撮像光学系のレンズ配置図
【図１１】数値実施例II−４に係る撮像光学系の縦収差図
【図１２】実施の形態II−５（数値実施例II−５）に係る撮像光学系のレンズ配置図
【図１３】数値実施例II−５に係る撮像光学系の縦収差図
【図１４】実施の形態II−１に係る撮像光学系を適用した携帯端末の概略構成図
【図１５】実施の形態III−１（数値実施例III−１）に係る撮像光学系のレンズ配置図
【図１６】数値実施例III−１に係る撮像光学系の縦収差図
【図１７】実施の形態III−２（数値実施例III−２）に係る撮像光学系のレンズ配置図
【図１８】数値実施例III−２に係る撮像光学系の縦収差図
【図１９】実施の形態III−３（数値実施例III−３）に係る撮像光学系のレンズ配置図
【図２０】数値実施例III−３に係る撮像光学系の縦収差図
【図２１】実施の形態III−１に係る撮像光学系を適用した携帯端末の概略構成図
【図２２】実施の形態IV−１（数値実施例IV−１）に係る撮像光学系のレンズ配置図
【図２３】数値実施例IV−１に係る撮像光学系の縦収差図
【図２４】実施の形態IV−２（数値実施例IV−２）に係る撮像光学系のレンズ配置図
【図２５】数値実施例IV−２に係る撮像光学系の縦収差図
【図２６】実施の形態IV−３（数値実施例IV−３）に係る撮像光学系のレンズ配置図
【図２７】数値実施例IV−３に係る撮像光学系の縦収差図
【図２８】実施の形態IV−１に係る撮像光学系を適用した携帯端末の概略構成図
【図２９】実施の形態Ｖ−１（数値実施例Ｖ−１）に係る撮像光学系のレンズ配置図
【図３０】数値実施例Ｖ−１に係る撮像光学系の縦収差図
【図３１】数値実施例Ｖ−１に係る撮像光学系の像ぶれ補正を行っていない基本状態での横収差図
【図３２】実施の形態Ｖ−２（数値実施例Ｖ−２）に係る撮像光学系のレンズ配置図
【図３３】数値実施例Ｖ−２に係る撮像光学系の縦収差図
【図３４】数値実施例Ｖ−２に係る撮像光学系の像ぶれ補正を行っていない基本状態での横収差図
【図３５】実施の形態Ｖ−１に係る撮像光学系を適用した携帯端末の概略構成図
【発明を実施するための形態】
【０００９】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を充分に理解するために添付図面および以下の説明を提供するのであって、これらによって請求の範囲に記載の主題を限定することを意図するものではない。
【００１１】
本開示において、レンズ群とは少なくとも１枚のレンズ素子で構成された群であり、レンズ群を構成するレンズ素子の種類、枚数、配置等に応じて、レンズ群ごとにパワー、合成焦点距離等が決定される。
【００１２】
（撮像光学系の実施の形態）
本開示における単焦点の撮像光学系は、物体側から像側へと順に、正のパワーを有する第１レンズ群と、パワーを有する第２レンズ群とで構成されており、無限遠合焦状態から近接物体合焦状態へのフォーカシングの際に、第１レンズ群は光軸に沿って移動し、第２レンズ群は像面に対して固定されている。したがって、本開示における撮像光学系は、近接物体合焦状態においても高い光学性能を維持することができる。
【００１３】
（Ｉ）実施の形態Ｉ
図１は、実施の形態Ｉ−１に係る撮像光学系のレンズ配置図であり、（ａ）は、無限遠合焦状態を表し、（ｂ）は、近接物体合焦状態（物点距離３０ｃｍ）を表し、（ｃ）は近接物体合焦状態（物点距離１５ｃｍ）を表す。図１において、レンズ群に付された光軸と平行な矢印は、無限遠合焦状態から近接物体合焦状態へのフォーカシングの際の移動方向を表す。図１において、特定の面に付されたアスタリスク＊は、該面が非球面であることを示している。図１において、各レンズ群の符号に付された記号（＋）及び記号（−）は、各レンズ群のパワーの符号に対応する。図１において、最も右側に記載された直線は、像面Ｓの位置を表す。
【００１４】
（実施の形態Ｉ−１）
図１に示すように、第１レンズ群Ｇ１は、正のパワーを有し、物体側から像側へと順に、物体側に凹面を向けた負メニスカス形状の第１レンズ素子Ｌ１と、両凸形状の第２レンズ素子Ｌ２と、両凹形状の第３レンズ素子Ｌ３と、両凸形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号６が付与されている。
【００１５】
第２レンズ群Ｇ２は、負のパワーを有し、両凹形状の第５レンズ素子Ｌ５のみからなる。
【００１６】
第１レンズ素子Ｌ１の像側には、開口絞りＡが配置されており、像面Ｓの物体側（像面Ｓと第５レンズ素子Ｌ５との間）には、平行平板Ｐが設けられている。
【００１７】
第１レンズ素子Ｌ１、第４レンズ素子Ｌ４、及び第５レンズ素子Ｌ５は、樹脂材料からなる。また、第１レンズ素子Ｌ１の両面、第４レンズ素子Ｌ４の両面、及び第５レンズ素子Ｌ５の両面は、非球面である。
【００１８】
実施の形態Ｉ−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００１９】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００２０】
（II）実施の形態II
図４、６、８、１０及び１２は、各々実施の形態II−１〜II−５に係る撮像光学系のレンズ配置図であり、（ａ）は、無限遠合焦状態を表し、（ｂ）は近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００２１】
（実施の形態II−１）
図４に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００２２】
第２レンズ群Ｇ２は、負のパワーを有し、両凹形状の第６レンズ素子Ｌ６のみからなる。
【００２３】
第１レンズ素子Ｌ１の像側には、開口絞りＡが配置されており、像面Ｓの物体側（像面Ｓと第６レンズ素子Ｌ６との間）には、平行平板Ｐが設けられている。
【００２４】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００２５】
実施の形態II−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００２６】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００２７】
（実施の形態II−２）
図６に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００２８】
第２レンズ群Ｇ２は、負のパワーを有し、両凹形状の第６レンズ素子Ｌ６のみからなる。
【００２９】
第１レンズ素子Ｌ１の像側には、開口絞りＡが配置されており、像面Ｓの物体側（像面Ｓと第６レンズ素子Ｌ６との間）には、平行平板Ｐが設けられている。
【００３０】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００３１】
実施の形態II−２に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００３２】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００３３】
（実施の形態II−３）
図８に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００３４】
第２レンズ群Ｇ２は、負のパワーを有し、両凹形状の第６レンズ素子Ｌ６のみからなる。
【００３５】
第２レンズ素子Ｌ２の像側には、開口絞りＡが配置されており、像面Ｓの物体側（像面Ｓと第６レンズ素子Ｌ６との間）には、平行平板Ｐが設けられている。
【００３６】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００３７】
実施の形態II−３に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００３８】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００３９】
（実施の形態II−４）
図１０に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号６が付与されている。
【００４０】
第２レンズ群Ｇ２は、負のパワーを有し、両凹形状の第６レンズ素子Ｌ６のみからなる。
【００４１】
第４レンズ素子Ｌ４の像側には、開口絞りＡが配置されており、像面Ｓの物体側（像面Ｓと第６レンズ素子Ｌ６との間）には、平行平板Ｐが設けられている。
【００４２】
第１レンズ素子Ｌ１、第５レンズ素子Ｌ５、及び第６レンズ素子Ｌ６は、樹脂材料からなる。また、第１レンズ素子Ｌ１の両面、第２レンズ素子Ｌ２の物体側面、第５レンズ素子Ｌ５の両面、及び第６レンズ素子Ｌ６の両面は、非球面である。
【００４３】
実施の形態II−４に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００４４】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００４５】
（実施の形態II−５）
図１２に示すように、第１レンズ群Ｇ１は、正のパワーを有し、物体側から像側へと順に、両凸形状の第１レンズ素子Ｌ１と、両凹形状の第２レンズ素子Ｌ２と、物体側に凸面を向けた正メニスカス形状の第３レンズ素子Ｌ３と、両凸形状の第４レンズ素子Ｌ４と、両凹形状の第５レンズ素子Ｌ５と、物体側に凹面を向けた正メニスカス形状の第６レンズ素子Ｌ６とからなる。これらのうち、第４レンズ素子Ｌ４と第５レンズ素子Ｌ５とが接合されており、後述する対応数値実施例における面データでは、これら第４レンズ素子Ｌ４と第５レンズ素子Ｌ５との間の接着剤層に面番号９が付与されている。
【００４６】
第２レンズ群Ｇ２は、負のパワーを有し、両凹形状の第７レンズ素子Ｌ７のみからなる。
【００４７】
第２レンズ素子Ｌ２の像側には、開口絞りＡが配置されており、像面Ｓの物体側（像面Ｓと第７レンズ素子Ｌ７との間）には、平行平板Ｐが設けられている。
【００４８】
第１レンズ素子Ｌ１、第２レンズ素子Ｌ２、第３レンズ素子Ｌ３、第６レンズ素子Ｌ６、及び第７レンズ素子Ｌ７は、樹脂材料からなる。また、第１レンズ素子Ｌ１の物体側面、第２レンズ素子Ｌ２の物体側面、第３レンズ素子Ｌ３の物体側面、第６レンズ素子Ｌ６の両面、及び第７レンズ素子Ｌ７の両面は、非球面である。
【００４９】
実施の形態II−５に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。これにより、近接物体合焦状態においても高い光学性能を維持することができる。
【００５０】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００５１】
（III）実施の形態III
図１５、１７及び１９は、各々実施の形態III−１〜III−３に係る撮像光学系のレンズ配置図であり、（ａ）は、不使用状態（沈胴状態）を表し、（ｂ）は、無限遠合焦状態を表し、（ｃ）は近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００５２】
（実施の形態III−１）
図１５に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４と、物体側に凹面を向けた正メニスカス形状の第５レンズ素子Ｌ５とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００５３】
第２レンズ群Ｇ２は、正のパワーを有し、物体側から像側へと順に、両凹形状の第６レンズ素子Ｌ６と、物体側に凸面を向けた正メニスカス形状の第７レンズ素子Ｌ７とからなる。
【００５４】
第２レンズ素子Ｌ２の像側には、開口絞りＡが配置されている。
【００５５】
第１レンズ素子Ｌ１の両面、第５レンズ素子Ｌ５の両面、及び第６レンズ素子Ｌ６の両面は、非球面である。
【００５６】
実施の形態III−１に係る撮像光学系では、無限遠合焦状態から近接物体合焦状態へのフォーカシングの際に、第１レンズ群Ｇ１が光軸に沿って物体側へ移動し、無限遠合焦状態から不使用状態への沈胴の際に、第１レンズ群Ｇ１が光軸に沿って像側へ移動する。なお、フォーカシングの際及び沈胴の際に、第２レンズ群Ｇ２は像面Ｓに対して固定されている。
【００５７】
（実施の形態III−２）
図１７に示すように、第１レンズ群Ｇ１は、正のパワーを有し、物体側から像側へと順に、物体側に凹面を向けた負メニスカス形状の第１レンズ素子Ｌ１と、両凸形状の第２レンズ素子Ｌ２と、両凹形状の第３レンズ素子Ｌ３と、物体側に凹面を向けた正メニスカス形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号５が付与されている。
【００５８】
第２レンズ群Ｇ２は、負のパワーを有し、物体側から像側へと順に、両凹形状の第５レンズ素子Ｌ５と、物体側に凸面を向けた正メニスカス形状の第６レンズ素子Ｌ６とからなる。
【００５９】
第１レンズ素子Ｌ１の像側には、開口絞りＡが配置されており、像面Ｓの物体側（像面Ｓと第６レンズ素子Ｌ６との間）には、平行平板Ｐが設けられている。
【００６０】
第１レンズ素子Ｌ１の両面、第４レンズ素子Ｌ４の両面、及び第５レンズ素子Ｌ５の両面は、非球面である。
【００６１】
実施の形態III−２に係る撮像光学系では、無限遠合焦状態から近接物体合焦状態へのフォーカシングの際に、第１レンズ群Ｇ１が光軸に沿って物体側へ移動し、無限遠合焦状態から不使用状態への沈胴の際に、第１レンズ群Ｇ１が光軸に沿って像側へ移動する。なお、フォーカシングの際及び沈胴の際に、第２レンズ群Ｇ２は像面Ｓに対して固定されている。
【００６２】
（実施の形態III−３）
図１９に示すように、第１レンズ群Ｇ１は、正のパワーを有し、物体側から像側へと順に、物体側に凹面を向けた負メニスカス形状の第１レンズ素子Ｌ１と、両凸形状の第２レンズ素子Ｌ２と、両凹形状の第３レンズ素子Ｌ３と、物体側に凹面を向けた正メニスカス形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号５が付与されている。
【００６３】
第２レンズ群Ｇ２は、負のパワーを有し、物体側から像側へと順に、両凹形状の第５レンズ素子Ｌ５と、両凸形状の第６レンズ素子Ｌ６とからなる。
【００６４】
第１レンズ素子Ｌ１の像側には、開口絞りＡが配置されており、像面Ｓの物体側（像面Ｓと第６レンズ素子Ｌ６との間）には、平行平板Ｐが設けられている。
【００６５】
第１レンズ素子Ｌ１の両面、第４レンズ素子Ｌ４の両面、及び第５レンズ素子Ｌ５の両面は、非球面である。
【００６６】
実施の形態III−３に係る撮像光学系では、無限遠合焦状態から近接物体合焦状態へのフォーカシングの際に、第１レンズ群Ｇ１が光軸に沿って物体側へ移動し、無限遠合焦状態から不使用状態への沈胴の際に、第１レンズ群Ｇ１が光軸に沿って像側へ移動する。なお、フォーカシングの際及び沈胴の際に、第２レンズ群Ｇ２は像面Ｓに対して固定されている。
【００６７】
（IV）実施の形態IV
図２２、２４及び２６は、各々実施の形態IV−１〜IV−３に係る撮像光学系のレンズ配置図であり、（ａ）は、無限遠合焦状態を表し、（ｂ）は、近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００６８】
（実施の形態IV−１）
図２２に示すように、第１レンズ群Ｇ１は、正のパワーを有し、物体側から像側へと順に、物体側に凸面を向けた正メニスカス形状の第１レンズ素子Ｌ１と、物体側に凹面を向けた正メニスカス形状の第２レンズ素子Ｌ２と、両凸形状の第３レンズ素子Ｌ３と、両凹形状の第４レンズ素子Ｌ４とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００６９】
第２レンズ群Ｇ２は、負のパワーを有し、物体側から像側へと順に、物体側に凹面を向けた正メニスカス形状の第５レンズ素子Ｌ５と、両凹形状の第６レンズ素子Ｌ６とからなる。
【００７０】
第１レンズ素子Ｌ１の像側には、開口絞りＡが配置されており、像面Ｓの物体側（像面Ｓと第６レンズ素子Ｌ６との間）には、平行平板Ｐが設けられている。
【００７１】
第１レンズ素子Ｌ１の両面、第２レンズ素子Ｌ２の両面、第５レンズ素子Ｌ５の両面、及び第６レンズ素子Ｌ６の両面は、非球面である。
【００７２】
実施の形態IV−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００７３】
（実施の形態IV−２）
図２４に示すように、第１レンズ群Ｇ１は、正のパワーを有し、物体側から像側へと順に、両凹形状の第１レンズ素子Ｌ１と、両凸形状の第２レンズ素子Ｌ２と、両凸形状の第３レンズ素子Ｌ３と、両凹形状の第４レンズ素子Ｌ４とからなる。これらのうち、第３レンズ素子Ｌ３と第４レンズ素子Ｌ４とが接合されており、後述する対応数値実施例における面データでは、これら第３レンズ素子Ｌ３と第４レンズ素子Ｌ４との間の接着剤層に面番号７が付与されている。
【００７４】
第２レンズ群Ｇ２は、負のパワーを有し、物体側から像側へと順に、物体側に凹面を向けた正メニスカス形状の第５レンズ素子Ｌ５と、両凹形状の第６レンズ素子Ｌ６とからなる。
【００７５】
第１レンズ素子Ｌ１の像側には、開口絞りＡが配置されており、像面Ｓの物体側（像面Ｓと第６レンズ素子Ｌ６との間）には、平行平板Ｐが設けられている。
【００７６】
第１レンズ素子Ｌ１の両面、第２レンズ素子Ｌ２の両面、第５レンズ素子Ｌ５の両面、及び第６レンズ素子Ｌ６の両面は、非球面である。
【００７７】
実施の形態IV−２に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００７８】
（実施の形態IV−３）
図２６に示すように、第１レンズ群Ｇ１は、正のパワーを有し、物体側から像側へと順に、物体側に凸面を向けた負メニスカス形状の第１レンズ素子Ｌ１と、物体側に凸面を向けた負メニスカス形状の第２レンズ素子Ｌ２と、両凸形状の第３レンズ素子Ｌ３と、両凹形状の第４レンズ素子Ｌ４とからなる。これらのうち、第２レンズ素子Ｌ２と第３レンズ素子Ｌ３とが接合されており、後述する対応数値実施例における面データでは、これら第２レンズ素子Ｌ２と第３レンズ素子Ｌ３との間の接着剤層に面番号５が付与されている。
【００７９】
第２レンズ群Ｇ２は、負のパワーを有し、物体側から像側へと順に、両凸形状の第５レンズ素子Ｌ５と、物体側に凸面を向けた負メニスカス形状の第６レンズ素子Ｌ６とからなる。
【００８０】
第１レンズ素子Ｌ１の像側には、開口絞りＡが配置されており、像面Ｓの物体側（像面Ｓと第６レンズ素子Ｌ６との間）には、平行平板Ｐが設けられている。
【００８１】
第１レンズ素子Ｌ１の両面、第２レンズ素子Ｌ２の物体側面、第４レンズ素子Ｌ４の物体側面、第５レンズ素子Ｌ５の両面、及び第６レンズ素子Ｌ６の両面は、非球面である。
【００８２】
実施の形態IV−３に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００８３】
（Ｖ）実施の形態Ｖ
図２９及び３２は、各々実施の形態Ｖ−１〜Ｖ−２に係る撮像光学系のレンズ配置図であり、（ａ）は、無限遠合焦状態を表し、（ｂ）は、近接物体合焦状態を表す。各図において、レンズ群に付された光軸と平行な矢印は、無限遠合焦状態から近接物体合焦状態へのフォーカシングの際の移動方向を表す。各図において、特定の面に付されたアスタリスク＊は、該面が非球面であることを示している。各図において、各レンズ群の符号に付された記号（＋）及び記号（−）は、各レンズ群のパワーの符号に対応する。各図において、最も右側に記載された直線は、像面Ｓの位置を表す。
【００８４】
（実施の形態Ｖ−１）
図２９に示すように、第１レンズ群Ｇ１は、正のパワーを有し、物体側から像側へと順に、物体側に凸面を向けた正メニスカス形状の第１レンズ素子Ｌ１と、物体側に凹面を向けた負メニスカス形状の第２レンズ素子Ｌ２と、両凸形状の第３レンズ素子Ｌ３と、両凹形状の第４レンズ素子Ｌ４と、両凸形状の第５レンズ素子Ｌ５とからなる。
【００８５】
第２レンズ群Ｇ２は、負のパワーを有し、両凹形状の第６レンズ素子Ｌ６のみからなる。
【００８６】
第２レンズ素子Ｌ２の像側には、開口絞りＡが配置されており、像面Ｓの物体側（像面Ｓと第６レンズ素子Ｌ６との間）には、平行平板Ｐが設けられている。
【００８７】
第１レンズ素子Ｌ１の両面、第２レンズ素子Ｌ２の両面、第３レンズ素子Ｌ３の物体側面、第４レンズ素子Ｌ４の像側面、第５レンズ素子Ｌ５の両面、及び第６レンズ素子Ｌ６の両面は、非球面である。
【００８８】
第１レンズ素子Ｌ１の物体側面は非球面であり、光軸から離れるにしたがって物体側に凸の形状から物体側に凹の形状に変わる変曲点を有する。第１レンズ素子Ｌ１の像側面は非球面であり、光軸から離れるにしたがって物体側に凸の形状から物体側に凹の形状に変わる変曲点を有する。第５レンズ素子Ｌ５の物体側面は非球面であり、光軸から離れるにしたがって物体側に凸の形状から物体側に凹の形状に変わる変曲点を有する。第６レンズ素子Ｌ６の像側面は非球面であり、光軸から離れるにしたがって物体側に凸の形状から物体側に凹の形状に変わる変曲点を有する。
【００８９】
以上のように、変曲点は全て、光軸から離れるにしたがって物体側に凸の形状から物体側に凹の形状に変わる。
【００９０】
実施の形態Ｖ−１に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００９１】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００９２】
（実施の形態Ｖ−２）
図３２に示すように、第１レンズ群Ｇ１は、正のパワーを有し、物体側から像側へと順に、物体側に凸面を向けた負メニスカス形状の第１レンズ素子Ｌ１と、物体側に凹面を向けた正メニスカス形状の第２レンズ素子Ｌ２と、物体側に凸面を向けた正メニスカス形状の第３レンズ素子Ｌ３と、両凹形状の第４レンズ素子Ｌ４と、物体側に凹面を向けた正メニスカス形状の第５レンズ素子Ｌ５とからなる。
【００９３】
第２レンズ群Ｇ２は、負のパワーを有し、両凹形状の第６レンズ素子Ｌ６のみからなる。
【００９４】
第２レンズ素子Ｌ２の像側には、開口絞りＡが配置されており、像面Ｓの物体側（像面Ｓと第６レンズ素子Ｌ６との間）には、平行平板Ｐが設けられている。
【００９５】
第１レンズ素子Ｌ１の両面、第２レンズ素子Ｌ２の両面、第３レンズ素子Ｌ３の物体側面、第４レンズ素子Ｌ４の像側面、第５レンズ素子Ｌ５の両面、及び第６レンズ素子Ｌ６の両面は、非球面である。
【００９６】
第１レンズ素子Ｌ１の物体側面は非球面であり、光軸から離れるにしたがって物体側に凸の形状から物体側に凹の形状に変わる変曲点を有する。第１レンズ素子Ｌ１の像側面は非球面であり、光軸から離れるにしたがって物体側に凸の形状から物体側に凹の形状に変わる変曲点を有する。第５レンズ素子Ｌ５の像側面は非球面であり、光軸から離れるにしたがって物体側に凹の形状から物体側に凸の形状に変わる変曲点を有する。第６レンズ素子Ｌ６の像側面は非球面であり、光軸から離れるにしたがって物体側に凸の形状から物体側に凹の形状に変わる変曲点を有する。
【００９７】
実施の形態Ｖ−２に係る撮像光学系では、無限遠合焦状態から近接物体合焦状態へのフォーカシングの際に、第１レンズ群Ｇ１が光軸に沿って物体側へ移動し、第２レンズ群Ｇ２は像面Ｓに対して固定されている。
【００９８】
また、第１レンズ群Ｇ１が、像のぶれを光学的に補正するために光軸に対して垂直方向に移動する。この第１レンズ群Ｇ１によって、全系の振動による像点移動を補正する、すなわち、手ぶれ、振動等による像のぶれを光学的に補正することができる。
【００９９】
以上のように、本出願において開示する技術の例示として、実施の形態Ｉ〜Ｖを説明した。しかしながら、本開示における技術は、これに限定されず、適宜、変更、置き換え、付加、省略などを行った実施の形態にも適用可能である。
【０１００】
以下、例えば実施の形態Ｉ〜Ｖに係る撮像光学系のごとき撮像光学系が満足することが有益な条件を説明する。なお、各実施の形態に係る撮像光学系に対して、複数の有益な条件が規定されるが、これら複数の条件すべてを満足する撮像光学系の構成が最も有益である。しかしながら、個別の条件を満足することにより、それぞれ対応する効果を奏する撮像光学系を得ることも可能である。
【０１０１】
例えば実施の形態Ｉ〜Ｖに係る撮像光学系のように、物体側から像側へと順に、正のパワーを有する第１レンズ群と、第２レンズ群とからなり、無限遠合焦状態から近接物体合焦状態へのフォーカシングの際に、第１レンズ群は光軸に沿って移動し、第２レンズ群は像面に対して固定されている（以下、このレンズ構成を、実施の形態の基本構成という）撮像光学系は、以下の条件（１）を満足することが有益である。
０．０７＜ＬＧ１２／Ｌ＜０．４０  ・・・（１）
ここで、
ＬＧ１２：無限遠合焦状態における、第１レンズ群の最像側レンズ面と第２レンズ群の最物体側レンズ面との光軸上での距離、
Ｌ：無限遠合焦状態における、第１レンズ群の最物体側レンズ面と像面との光軸上での距離を示すレンズ全長
である。
【０１０２】
前記条件（１）は、第１レンズ群の最像側レンズ面と第２レンズ群の最物体側レンズ面との光軸上での距離、すなわち第１レンズ群と第２レンズ群との間隔と、レンズ全長との関係を規定する条件である。条件（１）を満足する場合は、諸収差、特に像面湾曲の補正を良好に行うことができる。
【０１０３】
以下の条件（１）’及び（１）’’の少なくとも１つを満足することにより、前記効果をさらに奏功させることができる。
０．１０＜ＬＧ１２／Ｌ  ・・・（１）’
ＬＧ１２／Ｌ＜０．３０  ・・・（１）’’
【０１０４】
例えば実施の形態Ｉ〜Ｖに係る撮像光学系のように、基本構成を有する撮像光学系は、以下の条件（２）を満足することが有益である。
０．０７＜ＢＦ／Ｉｒ＜０．４０  ・・・（２）
ここで、
ＢＦ：第２レンズ群の最像側レンズ面と像面との光軸上での空気換算距離、
Ｉｒ：次式で表される、撮像素子の像高
Ｉｒ＝ｆ×ｔａｎω、
ｆ：無限遠合焦状態における全系の焦点距離、
ω：無限遠合焦状態における半画角
である。
【０１０５】
前記条件（２）は、バックフォーカスと撮像素子の像高との関係を規定する条件である。条件（２）の下限を下回ると、最低限必要なバックフォーカスを確保することが困難になり、第２レンズ群の最像側に位置するレンズ素子と平行平板の一部とが物理的に干渉するおそれがある。条件（２）の上限を上回ると、撮像素子の像高に対してバックフォーカスが長くなり過ぎ、第２レンズ群の最像側に位置するレンズ素子を通る光線の高さが小さくなって、諸収差、特に像面湾曲の補正が困難になる。すなわち、条件（２）を満足する場合は、諸収差、特に像面湾曲の補正を良好に行うことができるとともに、物理的に成立し得る撮像光学系を、さらに小型化することもできる。
【０１０６】
以下の条件（２）’及び（２）’’の少なくとも１つを満足することにより、前記効果をさらに奏功させることができる。
０．１０＜ＢＦ／Ｉｒ  ・・・（２）’
ＢＦ／Ｉｒ＜０．３０  ・・・（２）’’
【０１０７】
例えば実施の形態Ｉ〜Ｖに係る撮像光学系のように、基本構成を有する撮像光学系は、以下の条件（３）を満足することが有益である。
０．５＜Ｙ’／（Ｌ−ＬＧ１２）＜１．０  ・・・（３）
ここで、
Ｙ’：最大像高、
Ｌ：無限遠合焦状態における、第１レンズ群の最物体側レンズ面と像面との光軸上での距離を示すレンズ全長、
ＬＧ１２：無限遠合焦状態における、第１レンズ群の最像側レンズ面と第２レンズ群の最物体側レンズ面との光軸上での距離
である。
【０１０８】
前記条件（３）は、最大像高と、レンズ全長及び第１レンズ群の最像側レンズ面と第２レンズ群の最物体側レンズ面との光軸上での距離、すなわち第１レンズ群と第２レンズ群との間隔との関係を規定する条件である。条件（３）を満足する場合は、良好な収差補正と撮像光学系の小型化との両立を実現することができる。条件（３）の下限を下回ると、Ｙ’／（Ｌ−ＬＧ１２）の値が小さくなることで、レンズ全長が長くなり、撮像光学系の小型化の実現が困難になる。条件（３）の上限を上回ると、Ｙ’／（Ｌ−ＬＧ１２）の値が大きくなることで、レンズ全長が短くなり過ぎ、良好な収差補正の実現が困難になる。
【０１０９】
例えば実施の形態Ｉ〜Ｖに係る撮像光学系のように、基本構成を有し、第１レンズ群が開口絞りを有する撮像光学系は、以下の条件（４）を満足することが有益である。
０．５＜ＬＡ／Ｌ＜１．０  ・・・（４）
ここで、
ＬＡ：開口絞りから像面までの光軸上での距離、
Ｌ：無限遠合焦状態における、第１レンズ群の最物体側レンズ面と像面との光軸上での距離を示すレンズ全長
である。
【０１１０】
前記条件（４）は、開口絞りから像面までの光軸上の距離とレンズ全長との比を規定する条件である。条件（４）の下限を下回ると、開口絞りが像面に近づき過ぎ、撮像素子の周辺に入射する光線が、特に第１レンズ素子等の物体側に配置されたレンズ素子の光軸からより離れた所を通らざるを得なくなり、球面収差、コマ収差、像面湾曲等の諸収差の補正が困難となる。また、入射瞳位置も長くなり、第１レンズ素子の径が増大し、撮像光学系の増大を招くおそれがある。条件（４）の上限を上回ると、開口絞りが第１レンズ素子の面頂よりも物体側に配置されることを意味し、撮像素子の周辺に入射する光線が、各レンズ素子の光軸からより離れた所を通らざるを得なくなり、球面収差、コマ収差、像面湾曲等の諸収差の補正が困難となる。その結果、画面全域に渡って良好な像を得ることが困難になる。すなわち、条件（４）を満足する場合は、撮像素子の中央から周辺に至るまで、入射する光線が第１レンズ素子から最像側に配置されたレンズ素子までをバランスよく通過し、画面全域に渡って収差を良好に補正することができ、高い解像度を確保することが可能となる。
【０１１１】
以下の条件（４）’及び（４）’’の少なくとも１つを満足することにより、前記効果をさらに奏功させることができる。
０．７＜ＬＡ／Ｌ  ・・・（４）’
ＬＡ／Ｌ＜０．９  ・・・（４）’’
【０１１２】
例えば実施の形態II、III及びＶに係る撮像光学系のように、基本構成を有し、第１レンズ群の最像側レンズ面が、像側に凸面を向けており、第２レンズ群の最物体側レンズ面が、物体側に凹面を向けている撮像光学系は、以下の条件（５）を満足することが有益である。
−１．０＜（ＲＧ１ｒ２−ＲＧ２ｒ１）／（ＲＧ１ｒ２＋ＲＧ２ｒ１）＜０．０  ・・・（５）
ここで、
ＲＧ１ｒ２：第１レンズ群の最像側レンズ面の曲率半径、
ＲＧ２ｒ１：第２レンズ群の最物体側レンズ面の曲率半径
である。
【０１１３】
前記条件（５）は、第１レンズ群の最像側レンズ面の曲率半径と第２レンズ群の最物体側レンズ面の曲率半径との関係を規定する条件である。条件（５）を満足する場合は、良好な収差補正と不使用状態での撮像光学系の小型化との両立を実現することができる。条件（５）の下限を下回ると、（ＲＧ１ｒ２−ＲＧ２ｒ１）／（ＲＧ１ｒ２＋ＲＧ２ｒ１）の値が小さくなることで、ＲＧ１ｒ２の値が小さくなり、良好な収差補正の実現が困難になる。条件（５）の上限を上回ると、（ＲＧ１ｒ２−ＲＧ２ｒ１）／（ＲＧ１ｒ２＋ＲＧ２ｒ１）の値が大きくなることで、ＲＧ１ｒ２の値がＲＧ２ｒ１の値よりも大きくなり、不使用状態でのレンズ全長を短くするための構成の実現が困難になる。
【０１１４】
例えば実施の形態Ｉ〜IIIに係る撮像光学系のように、基本構成を有し、第１レンズ群が、物体側から像側へと順に、負のパワーを有する第１レンズ素子と、少なくとも１枚の後続レンズ素子とからなる撮像光学系は、以下の条件（６）を満足することが有益である。
０．５＜｜ｆＬ１／ｆ｜＜５．０  ・・・（６）
ここで、
ｆＬ１：無限遠合焦状態における第１レンズ素子の焦点距離、
ｆ：無限遠合焦状態における全系の焦点距離
である。
【０１１５】
前記条件（６）は、第１レンズ素子の焦点距離と撮像光学系全系の焦点距離との関係を規定する条件である。条件（６）を満足する場合は、良好な収差補正と撮像光学系の広角化との実現を両立することができる。条件（６）を満足しない場合は、像面湾曲、非点収差、歪曲収差等の補正が困難となるおそれがある。条件（６）の下限を下回ると、｜ｆＬ１１／ｆ｜の値が小さくなることで、第１レンズ素子のパワーが強くなり、良好な収差補正の実現が困難になる。条件（６）の上限を上回ると、｜ｆＬ１１／ｆ｜の値が大きくなることで、第１レンズ素子のパワーが弱くなり、撮像光学系の広角化の実現が困難になる。なお、条件（６）は、実施の形態Ｉ〜IIIに係る撮像光学系のように、負のパワーを有する第１レンズ素子が物体側に凹面を向けている撮像光学系において満足されることがより有益である。
【０１１６】
以下の条件（６）’及び（６）’’の少なくとも１つを満足することにより、前記効果をさらに奏功させることができる。
２．０＜｜ｆＬ１／ｆ｜  ・・・（６）’
｜ｆＬ１／ｆ｜＜４．０  ・・・（６）’’
【０１１７】
例えば実施の形態Ｉ〜Ｖに係る撮像光学系のように、基本構成を有する撮像光学系は、以下の条件（７）を満足することが有益である。
−１．０＜ｆＧ１／ｆＧ２＜−０．３  ・・・（７）
ここで、
ｆＧ１：無限遠合焦状態における第１レンズ群の合成焦点距離、
ｆＧ２：無限遠合焦状態における第２レンズ群の合成焦点距離
である。
【０１１８】
前記条件（７）は、第１レンズ群の合成焦点距離と第２レンズ群の合成焦点距離との関係を規定する条件である。条件（７）を満足しない場合は、像面湾曲、非点収差、歪曲収差等の補正が困難になる。
【０１１９】
例えば実施の形態Ｉ及びIIIに係る撮像光学系のように、基本構成を有し、第１レンズ群が、物体側から像側へと順に、負のパワーを有する第１レンズ素子と、開口絞りと、正のパワーを有する第２レンズ素子と、負のパワーを有する第３レンズ素子と、正のパワーを有する第４レンズ素子とからなる撮像光学系は、以下の条件（８）を満足することが有益である。
１．０＜ｆＬ４／ｆ＜３．０  ・・・（８）
ここで、
ｆＬ４：無限遠合焦状態における第４レンズ素子の焦点距離、
ｆ：無限遠合焦状態における全系の焦点距離
である。
【０１２０】
前記条件（８）は、第４レンズ素子の焦点距離と撮像光学系全系の焦点距離との関係を規定する条件である。条件（８）を満足しない場合は、非点収差、歪曲収差等の補正が困難になる。
【０１２１】
例えば実施の形態Ｉ〜III及びＶに係る撮像光学系のように、基本構成を有する撮像光学系は、以下の条件（９）を満足することが有益である。
０．５＜Ｌｍｉｎ／Ｌ＜０．８  ・・・（９）
ここで、
Ｌｍｉｎ：不使用状態における、第１レンズ群の最物体側レンズ面と像面との光軸上での距離を示す最短レンズ全長、
Ｌ：無限遠合焦状態における、第１レンズ群の最物体側レンズ面と像面との光軸上での距離を示すレンズ全長
である。
【０１２２】
前記条件（９）は、不使用状態における最短レンズ全長と無限遠合焦状態におけるレンズ全長との関係を規定する条件である。条件（９）を満足する場合は、良好な光学性能と撮像光学系の小型化との両立を実現することができる。条件（９）の下限を下回ると、Ｌｍｉｎ／Ｌの値が小さくなることで、撮像光学系の小型化は実現することができるが、良好な光学性能の実現が困難になる。条件（９）の上限を上回ると、Ｌｍｉｎ／Ｌの値が大きくなることで、撮像光学系の小型化の達成効果が低くなってしまう。
【０１２３】
例えば実施の形態IVに係る撮像光学系のように、基本構成を有する撮像光学系は、以下の条件（１０）を満足することが有益である。
ｆＧ１Ｌｉ／ｆ＜０．０  ・・・（１０）
ここで、
ｆＧ１Ｌｉ：無限遠合焦状態における第１レンズ群中の最像側レンズ素子の焦点距離、
ｆ：無限遠合焦状態における全系の焦点距離
である。
【０１２４】
前記条件（１０）は、第１レンズ群中の最像側レンズ素子の焦点距離と撮像光学系全系の焦点距離との関係を規定する条件である。条件（１０）の上限を上回ると、第１レンズ群中の最像側レンズ素子の焦点距離が正の方向に強くなり過ぎ、諸収差、特に像面湾曲の補正が困難になる。条件（１０）を満足する場合は、第１レンズ群から第２レンズ群へ向かう光線を跳ね上げることが可能となり、撮像光学系のさらなる小型化が可能となる。
【０１２５】
以下の条件（１０）’及び（１０）’’の少なくとも１つを満足することにより、前記効果をさらに奏功させることができる。
ｆＧ１Ｌｉ／ｆ＜−０．２  ・・・（１０）’
−３．０＜ｆＧ１Ｌｉ／ｆ  ・・・（１０）’’
【０１２６】
例えば実施の形態Ｉ、III及びIVに係る撮像光学系のように、基本構成を有する撮像光学系は、以下の条件（１１）を満足することが有益である。
−１．０＜Ｉｒ／ＲＧ１ｒ２  ・・・（１１）
ここで、
Ｉｒ：次式で表される、撮像素子の像高
Ｉｒ＝ｆ×ｔａｎω、
ｆ：無限遠合焦状態における全系の焦点距離、
ω：無限遠合焦状態における半画角、
ＲＧ１ｒ２：第１レンズ群の最像側レンズ面の曲率半径
である。
【０１２７】
前記条件（１１）は、撮像素子の像高と第１レンズ群の最像側レンズ面の曲率半径との関係を規定する条件である。条件（１１）を満足する場合は、諸収差、特に像面湾曲の補正を良好に行うことができる。さらに、第１レンズ群から第２レンズ群へ向かう光線を跳ね上げることが可能となり、撮像光学系のさらなる小型化が可能となる。
【０１２８】
以下の条件（１１）’及び（１１）’’の少なくとも１つを満足することにより、前記効果をさらに奏功させることができる。
Ｉｒ／ＲＧ１ｒ２＜３．０  ・・・（１１）’
０．０＜Ｉｒ／ＲＧ１ｒ２  ・・・（１１）’’
【０１２９】
例えば実施の形態Ｉ〜Ｖに係る撮像光学系のように、基本構成を有する撮像光学系は、該撮像光学系を構成するレンズ素子の少なくとも１枚が、以下の条件（１２）を満足することが有益である。
ｎｄ＋０．００２５×νｄ−１．７１２５＜０．０  ・・・（１２）
ここで、
ｎｄ：撮像光学系を構成するレンズ素子のｄ線に対する屈折率、
νｄ：撮像光学系を構成するレンズ素子のｄ線に対するアッベ数
である。
【０１３０】
前記条件（１２）は、各レンズ素子の屈折率とアッベ数との関係を規定する条件である。条件（１２）の上限を上回ると、所望の屈折率に対してアッベ数が大きくなり過ぎ、諸収差、特に色収差の補正が困難になる。なお、実施の形態Ｉ〜Ｖに係る撮像光学系のように、該撮像光学系を構成するレンズ素子のうち、最物体側に位置するレンズ素子が条件（１２）を満足することがより有益であり、実施の形態Ｖに係る撮像光学系のように、該撮像光学系を構成する全てのレンズ素子が条件（１２）を満足することがさらに有益である。
【０１３１】
実施の形態Ｉ〜Ｖに係る撮像光学系は、第１レンズ群が、物体側から像側へと順に、負のパワーを有する第１レンズ素子と、少なくとも１枚の後続レンズ素子とからなるので、広画角、かつ高性能でありながら、レンズ全長を短く、コンパクトにすることができるという利点がある。
【０１３２】
実施の形態Ｉ〜Ｖに係る撮像光学系は、第１レンズ群が、物体側から像側へと順に、負のパワーを有する第１レンズ素子と、少なくとも１枚の後続レンズ素子とからなり、該後続レンズ素子のうち最物体側に位置する第２レンズ素子が正のパワーを有するので、第１レンズ群の小型化が可能であるとともに、撮像素子に入射する光線の角度を光軸に対して小さくすることができるという利点がある。
【０１３３】
実施の形態Ｉ〜Ｖに係る撮像光学系は、第１レンズ群が、物体側から像側へと順に、第１レンズ素子と、少なくとも１枚の後続レンズ素子とからなり、該後続レンズ素子のうち最物体側に位置する第２レンズ素子のパワーの符号は、第１レンズ素子のパワーの符号と逆であるので、第１レンズ素子で発生する諸収差を近い位置で打ち消しあうことが可能となり、全系で良好な収差補正を行うことができるという利点がある。
【０１３４】
実施の形態Ｉ〜Ｖに係る撮像光学系は、第１レンズ群に開口絞りを備えているので、小型でありながら良好な解像性能を得ることができる。
【０１３５】
例えば実施の形態II、IV及びＶに係る撮像光学系のように、第１レンズ素子が物体側に凸面を向けている場合は、第１レンズ素子の周辺部に入射する光線とレンズ面の角度とが垂直に近いので、第１レンズ素子で過剰な収差補正を行う必要がなく、全系で良好な収差補正が可能となるという利点がある。
【０１３６】
例えば実施の形態Ｖに係る撮像光学系のように、第１レンズ素子の物体側面が非球面であり、光軸から離れるにしたがって凸形状から凹形状に変わる変曲点を有する場合は、諸収差、特に像面湾曲の補正が良好となり、画面中心から周辺に渡っての性能を高くすることができるという利点を有する。
【０１３７】
実施の形態Ｉ〜Ｖに係る撮像光学系は、該撮像光学系を構成するレンズ素子の全てのレンズ面のうち、少なくとも６面が非球面であるので、諸収差をより良好に補正することができる。なお、実施の形態IV及びＶに係る撮像光学系のように、該撮像光学系を構成するレンズ素子の全てのレンズ面のうち、少なくとも８面が非球面であることがより有益である。
【０１３８】
実施の形態Ｉ〜Ｖに係る撮像光学系は、該撮像光学系を構成するレンズ素子のうち、少なくとも１枚が樹脂材料からなるので、撮像光学系の軽量化を図ることができる。なお、実施の形態Ｖに係る撮像光学系のように、該撮像光学系を構成する全てのレンズ素子が樹脂材料からなることがより有益である。
【０１３９】
例えば実施の形態Ｖに係る撮像光学系のように、該撮像光学系を構成する全てのレンズ素子が単レンズ素子であり、撮像光学系に接合レンズ素子が含まれない場合には、樹脂からなるレンズ素子等の柔らかいレンズ素子同士の接合時に問題となる、レンズ素子の歪みによる諸収差の発生及び性能の低下を引き起こすことがなくなり、高解像度を維持することができるという利点がある。
【０１４０】
例えば実施の形態Ｉ、II、IV及びＶに係る撮像光学系のように、該撮像光学系の最像側に位置するレンズ素子が負のパワーを有し、像側から２番目に位置するレンズ素子が正のパワーを有する場合には、該像側から２番目に位置するレンズ素子で発生した諸収差、特に像面湾曲を最像側に位置するレンズ素子で補正することができ、画面周辺においても高い解像性能を実現することができるという利点がある。
【０１４１】
例えば実施の形態Ｉ、II及びＶに係る撮像光学系のように、第２レンズ群が１枚のレンズ素子で構成されている場合は、撮像光学系を構成している中で、特にサイズが大きい第２レンズ群を構成するレンズ素子の枚数を究極に削減することができているので、光学系のさらなる小型化が可能であるという利点がある。
【０１４２】
実施の形態Ｉ〜Ｖに係る撮像光学系は、像の位置を光軸に対して直交する方向に移動するために、光軸に対して直交する方向に移動する像ぶれ補正レンズ群を備えており、第１レンズ群が像ぶれ補正レンズ群に相当する。この像ぶれ補正レンズ群により、全系の振動による像点移動を補正する、すなわち、手ぶれ、振動等による像のぶれを光学的に補正することができる。
【０１４３】
全系の振動による像点移動を補正する際に、このように像ぶれ補正レンズ群が光軸に対して直交する方向に移動することにより、撮像光学系全体の大型化を抑制してコンパクトに構成しながら、偏心コマ収差や偏心非点収差が小さい優れた結像特性を維持して像ぶれの補正を行うことができる。
【０１４４】
なお、実施の形態Ｉ〜Ｖに係る撮像光学系では、像ぶれ補正レンズ群は、１つのレンズ群であるが、１つのレンズ群が複数のレンズ素子で構成される場合、該複数のレンズ素子のうち、いずれか１枚のレンズ素子又は隣り合った複数のレンズ素子が像ぶれ補正レンズ群であってもよい。
【０１４５】
実施の形態Ｉ〜Ｖに係る撮像光学系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善されるので、有益である。
【０１４６】
また、実施の形態Ｉ〜Ｖに係る撮像光学系を構成している各レンズ素子は、ガラスからなるレンズ素子の片面に紫外線硬化性樹脂からなる透明樹脂層を接合した、ハイブリッドレンズであってもよい。その場合、透明樹脂層のパワーは弱いので、ガラスからなるレンズ素子と透明樹脂層とを合わせて１枚のレンズ素子と考える。同様に、平板に近いレンズ素子が配置される場合も、平板に近いレンズ素子のパワーは弱いので、０枚のレンズ素子と考える。
【０１４７】
（携帯端末の実施の形態）
（Ｉ）実施の形態Ｉ−１に係る撮像光学系を適用した携帯端末
図３は、実施の形態Ｉ−１に係る撮像光学系を適用した携帯端末の概略構成図である。
【０１４８】
携帯端末１００は、携帯端末本体１０１と、ＣＰＵ１０２と、モニタ１０３と、光学モジュール２００とを備える。
【０１４９】
光学モジュール２００は、透明カバー２０１と、撮像光学系２０２と、撮像素子２０３とを含む。
【０１５０】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１５１】
なお、実施の形態Ｉ−１に係る撮像光学系をスマートフォン等の携帯端末に適用した例を示したが、実施の形態Ｉ−１に係る撮像光学系は、監視システムにおける監視カメラ、Ｗｅｂカメラ、車載カメラ等に適用することもできる。
【０１５２】
（II）実施の形態II−１に係る撮像光学系を適用した携帯端末
図１４は、実施の形態II−１に係る撮像光学系を適用した携帯端末の概略構成図である。
【０１５３】
携帯端末１００は、携帯端末本体１０１と、ＣＰＵ１０２と、モニタ１０３と、光学モジュール２００とを備える。
【０１５４】
光学モジュール２００は、透明カバー２０１と、撮像光学系２０２と、撮像素子２０３とを含む。
【０１５５】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１５６】
なお、実施の形態II−１に係る撮像光学系をスマートフォン等の携帯端末に適用した例を示したが、実施の形態II−１に係る撮像光学系の替わりに、実施の形態II−２〜II−５に係る撮像光学系を用いることもできる。また、実施の形態II−１〜II−５に係る撮像光学系は、監視システムにおける監視カメラ、Ｗｅｂカメラ、車載カメラ等に適用することもできる。
【０１５７】
（III）実施の形態III−１に係る撮像光学系を適用した携帯端末
図２１は、実施の形態III−１に係る撮像光学系を適用した携帯端末の概略構成図である。図２１に示す携帯端末において、撮像光学系２０２は不使用状態である。
【０１５８】
携帯端末１００は、携帯端末本体１０１と、ＣＰＵ１０２と、モニタ１０３と、光学モジュール２００とを備える。
【０１５９】
光学モジュール２００は、撮像光学系２０２と、撮像素子２０３とを含む。
【０１６０】
撮像光学系２０２は、沈胴／フォーカス機構２０５によって、第１レンズ群Ｇ１を、不使用状態から無限遠合焦状態まで、かつ、無限遠合焦状態から近接物体合焦状態まで移動可能である。沈胴／フォーカス機構２０５は、アクチュエータや機構部品等にて実現が可能である。沈胴／フォーカス機構２０５は、ＣＰＵ１０２からの制御信号に応じて、第１レンズ群Ｇ１を移動させる。
【０１６１】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１６２】
なお、実施の形態III−１に係る撮像光学系をスマートフォン等の携帯端末に適用した例を示したが、実施の形態III−１に係る撮像光学系の替わりに、実施の形態III−２〜III−３に係る撮像光学系を用いることもできる。また、実施の形態III−１〜III−３に係る撮像光学系は、監視システムにおける監視カメラ、Ｗｅｂカメラ、車載カメラ等に適用することもできる。
【０１６３】
（IV）実施の形態IV−１に係る撮像光学系を適用した携帯端末
図２８は、実施の形態IV−１に係る撮像光学系を適用した携帯端末の概略構成図である。
【０１６４】
携帯端末１００は、携帯端末本体１０１と、ＣＰＵ１０２と、モニタ１０３と、光学モジュール（レンズ鏡筒）２００とを備える。
【０１６５】
光学モジュール２００は、撮像光学系２０２と、撮像素子２０３と、メカシャッタユニット２０４とを含む。
【０１６６】
撮像光学系２０２は、フォーカス機構２０５によって、第１レンズ群Ｇ１を、無限遠合焦状態から近接物体合焦状態まで移動可能である。フォーカス機構２０５は、アクチュエータや機構部品等にて実現が可能である。フォーカス機構２０５は、ＣＰＵ１０２からの制御信号に応じて、第１レンズ群Ｇ１を移動させる。
【０１６７】
メカシャッタユニット２０４は、第１レンズ群Ｇ１と第２レンズ群Ｇ２との間に設けられる。実施の形態IV−１に係る撮像光学系では、第１レンズ群Ｇ１と第２レンズ群Ｇ２との間に、メカシャッタユニット２０４を配置するための間隔を確保している。このため、光学モジュール２００のさらなる小型化が可能である。メカシャッタユニット２０４は、ＣＰＵ１０２からの制御信号に応じて駆動される。
【０１６８】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１６９】
なお、実施の形態IV−１に係る撮像光学系をスマートフォン等の携帯端末に適用した例を示したが、実施の形態IV−１に係る撮像光学系の替わりに、実施の形態IV−２〜IV−３に係る撮像光学系を用いることもできる。また、実施の形態IV−１〜IV−３に係る撮像光学系は、監視システムにおける監視カメラ、Ｗｅｂカメラ、車載カメラ等に適用することもできる。
【０１７０】
（Ｖ）実施の形態Ｖ−１に係る撮像光学系を適用した携帯端末
図３５は、実施の形態Ｖ−１に係る撮像光学系を適用した携帯端末の概略構成図である。
【０１７１】
携帯端末１００は、携帯端末本体１０１と、ＣＰＵ１０２と、モニタ１０３と、光学モジュール（レンズ鏡筒）２００とを備える。
【０１７２】
光学モジュール２００は、撮像光学系２０２と、撮像素子２０３とを含む。
【０１７３】
撮像光学系２０２は、フォーカス機構２０５によって、第１レンズ群Ｇ１を、無限遠合焦状態から近接物体合焦状態まで移動可能である。フォーカス機構２０５は、アクチュエータや機構部品等にて実現が可能である。フォーカス機構２０５は、ＣＰＵ１０２からの制御信号に応じて、第１レンズ群Ｇ１を移動させる。
【０１７４】
撮像素子２０３は、撮像光学系２０２によって形成される光学像を受光して、電気的な画像信号に変換する。ＣＰＵ１０２は、画像信号を取得して、モニタ１０３に出力する。モニタ１０３は、画像信号を表示する。
【０１７５】
なお、実施の形態Ｖ−１に係る撮像光学系をスマートフォン等の携帯端末に適用した例を示したが、実施の形態Ｖ−１に係る撮像光学系の替わりに、実施の形態Ｖ−２に係る撮像光学系を用いることもできる。また、実施の形態Ｖ−１〜Ｖ−２に係る撮像光学系は、監視システムにおける監視カメラ、Ｗｅｂカメラ、車載カメラ等に適用することもできる。
【０１７６】
以上のように、本出願において開示する技術の例示として、実施の形態を説明した。しかしながら、本開示における技術は、これに限定されず、適宜、変更、置き換え、付加、省略などを行った実施の形態にも適用可能である。
【０１７７】
以下、実施の形態Ｉ〜Ｖに係る撮像光学系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2015040867.tif 000041
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１７８】
図２は、数値実施例Ｉ−１に係る撮像光学系の縦収差図であり、（ａ）は、無限遠合焦状態における縦収差図、（ｂ）は、物点距離３０ｃｍの合焦状態（近接物体合焦状態）における縦収差図、（ｃ）は、物点距離１５ｃｍの合焦状態（近接物体合焦状態）における縦収差図である。
【０１７９】
図５、７、９、１１及び１３は、各々数値実施例II−１〜II−５に係る撮像光学系の縦収差図である。各図において、（ａ）は、無限遠合焦状態における縦収差図、（ｂ）は、物点距離１５ｃｍの合焦状態（近接物体合焦状態）における縦収差図である。
【０１８０】
図１６、１８及び２０は、各々数値実施例III−１〜III−３に係る撮像光学系の縦収差図である。各図において、（ｂ）は、無限遠合焦状態における縦収差図、（ｃ）は、最近接（数値実施例III−１：物点距離１５ｃｍ、数値実施例III−２：物点距離１０ｃｍ、数値実施例III−３：物点距離１０ｃｍ）の合焦状態（近接物体合焦状態）における縦収差図である。
【０１８１】
図２３、２５及び２７は、各々数値実施例IV−１〜IV−３に係る撮像光学系の縦収差図である。各図において、（ａ）は、無限遠合焦状態における縦収差図、（ｂ）は、物点距離１５ｃｍの合焦状態（近接物体合焦状態）における縦収差図である。
【０１８２】
図３０及び３３は、各々数値実施例Ｖ−１〜Ｖ−２に係る撮像光学系の縦収差図である。各図において、（ａ）は、無限遠合焦状態における縦収差図、（ｂ）は、物点距離１０ｃｍの合焦状態（近接物体合焦状態）における縦収差図である。
【０１８３】
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１８４】
図３１及び３４は、各々数値実施例Ｖ−１〜Ｖ−２に係る撮像光学系の像ぶれ補正を行っていない基本状態での横収差図である。
【０１８５】
各横収差図において、上段は最大像高の７０％の像点における横収差、中段は軸上像点における横収差、下段は最大像高の−７０％の像点における横収差に、それぞれ対応する。各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と、第２レンズ群Ｇ２の光軸とを含む平面としている。
【０１８６】
なお、各数値実施例に係る撮像光学系について、無限遠における、像ぶれ補正状態での像ぶれ補正レンズ群（第１レンズ群Ｇ１）の光軸と垂直な方向への移動量は、以下に示すとおりである。
数値実施例Ｉ−１    ０．１０４ｍｍ
数値実施例II−１    ０．１０６ｍｍ
数値実施例II−２    ０．１０５ｍｍ
数値実施例II−３    ０．１２１ｍｍ
数値実施例II−４    ０．１０５ｍｍ
数値実施例II−５    ０．１２１ｍｍ
数値実施例Ｖ−１    ０．０１９ｍｍ
数値実施例Ｖ−２    ０．０２０ｍｍ
【０１８７】
撮影距離が∞で、撮像光学系が０．３°だけ傾いた場合の像偏心量は、像ぶれ補正レンズ群（第１レンズ群Ｇ１）が光軸と垂直な方向に上記の各値だけ平行移動するときの像偏心量に等しい。
【０１８８】
（数値実施例Ｉ−１）
数値実施例Ｉ−１の撮像光学系は、図１に示した実施の形態Ｉ−１に対応する。数値実施例Ｉ−１の撮像光学系の面データを表Ｉ−１に、非球面データを表Ｉ−２に、各種データを表Ｉ−３に示す。
【０１８９】
表  Ｉ−１（面データ）
面番号         r           d           nd         vd       
物面             ∞        可変                          
1               ∞     0.00000                          
2*        -2.48220     0.40080     1.54410    56.1      
3*        -3.60930     0.14970                          
4(絞り)           ∞     0.09000                          
5          4.95500     2.26630     1.83481    42.7      
6         -2.84710     0.00500     1.56732    42.8      
7         -2.84710     0.30000     1.75520    27.5      
8         38.28590     1.19820                          
9               ∞     0.00000                          
10*        24.55250     1.19100     1.54410    56.1      
11*       -14.79100        可変                          
12               ∞     2.55870                          
13               ∞     0.00000                          
14*        -6.95830     0.58000     1.54410    56.1      
15*        15.47090     0.17600                          
16               ∞     0.21000     1.51680    64.2      
17               ∞     0.64000                          
18               ∞        (BF)                          
像面             ∞                                      
【０１９０】
表  Ｉ−２（非球面データ）
第2面
K=-1.81077E+00, A4= 2.32892E-02, A6=-2.75364E-03, A8= 1.21601E-04 
A10=-3.76909E-06, A12= 2.12327E-05, A14=-7.61421E-06, A16= 9.26461E-07 
第3面
K=-9.66993E+00, A4= 5.85562E-03, A6= 4.48105E-03, A8=-1.54795E-03 
A10= 1.65372E-04, A12= 5.52306E-05, A14=-1.91330E-05, A16= 1.96595E-06 
第10面
K= 6.89706E+00, A4= 4.10449E-03, A6=-5.70270E-04, A8= 1.27538E-04 
A10=-8.15995E-05, A12= 1.65260E-05, A14=-1.78975E-06, A16= 3.35417E-08 
第11面
K=-5.07768E+00, A4= 7.79242E-03, A6=-8.06234E-05, A8= 1.28218E-04 
A10=-3.97728E-05, A12= 2.79920E-06, A14=-3.69727E-08, A16=-3.92930E-10 
第14面
K=-2.48834E+00, A4=-7.66707E-03, A6=-3.83296E-05, A8= 1.08045E-04 
A10=-5.30919E-06, A12=-4.95758E-07, A14= 4.93888E-08, A16=-1.13575E-09 
第15面
K= 7.66302E+00, A4=-5.72862E-03, A6=-1.36750E-04, A8= 4.67227E-05 
A10=-4.23040E-06, A12= 2.32936E-07, A14=-9.25912E-09, A16= 1.72207E-10 
【０１９１】
表  Ｉ−３（各種データ）
∞      30cm      15cm
焦点距離       6.7659    6.6627    6.5598
Ｆナンバー     2.50019   2.53733   2.57549
画角        40.3638   39.9481   39.5361
像高         5.1000    5.1000    5.1000
レンズ全長      9.7724    9.8916   10.0142
ＢＦ        0.00668   0.00715   0.00751
d11          0.0000    0.1188    0.2410
入射瞳位置      0.3785    0.3785    0.3785
射出瞳位置     -5.0631   -5.1000   -5.1373
前側主点位置   -1.8851   -1.9182   -1.9512
後側主点位置    3.0065    3.0766    3.1502
単レンズデータ
レンズ     始面     焦点距離
1         2      -16.7017
2         5        2.4958
3         7       -3.4981
4        10       17.1474
5        14       -8.7415
レンズ群データ
群   始面    焦点距離  レンズ構成長    前側主点位置  後側主点位置
1      1     5.93853     5.60100         1.88390       3.40560
2     12    -8.74152     3.52470         2.67418       2.95350
【０１９２】
（数値実施例II−１）
数値実施例II−１の撮像光学系は、図４に示した実施の形態II−１に対応する。数値実施例II−１の撮像光学系の面データを表II−１に、非球面データを表II−２に、各種データを表II−３に示す。
【０１９３】
表  II−１（面データ）
面番号         r           d           nd         vd    
物面             ∞        可変                                   
1*        -7.46200     0.39900     1.54410    56.1     
2*        16.37290     0.30000                        
3(絞り)           ∞     0.09000                         
4*         5.02490     0.90440     1.85976    40.5               
5         -9.38460     0.10000                                   
6        177.56670     0.80000     1.88100    40.1               
7         -4.13700     0.00500     1.56732    42.8               
8         -4.13700     0.30000     1.84666    23.8               
9         12.84180     1.00000                         
10*        -5.37750     1.07880     1.54410    56.1    
11*        -3.35970        可変                                   
12*        -7.36800     0.58330     1.54410    56.1     
13*        18.56200     0.19150                        
14               ∞     0.21000     1.51680    64.2               
15               ∞        (BF)                                       
像面             ∞                                               
【０１９４】
表  II−２（非球面データ）
第1面
K= 0.00000E+00, A4=-5.40406E-04, A6= 2.31065E-03, A8=-8.55530E-04 
A10= 1.57234E-04, A12= 1.82248E-05, A14=-1.75663E-05, A16= 2.60336E-06 
第2面
K= 0.00000E+00, A4= 1.23304E-03, A6= 3.99433E-03, A8=-1.01299E-03 
A10= 2.47358E-04, A12=-4.70886E-05, A14=-8.10191E-06, A16= 3.40626E-06 
第4面
K= 0.00000E+00, A4=-1.45505E-03, A6= 1.03780E-03, A8=-2.03798E-04 
A10= 1.39543E-05, A12= 0.00000E+00, A14= 0.00000E+00, A16= 0.00000E+00 
第10面
K=-2.09685E+00, A4=-6.93204E-03, A6= 1.40348E-05, A8= 5.04593E-04 
A10=-3.52386E-04, A12= 1.06923E-04, A14=-2.67160E-06, A16=-2.59546E-06 
第11面
K=-8.76207E-01, A4=-7.41626E-04, A6=-8.46557E-05, A8= 2.22629E-04 
A10=-2.30213E-05, A12= 2.74051E-08, A14= 1.97483E-06, A16=-2.56480E-07 
第12面
K= 2.27732E+00, A4=-5.43148E-03, A6= 7.71250E-04, A8=-9.09560E-05 
A10= 1.00270E-05, A12=-5.92314E-07, A14= 1.42114E-08, A16= 3.63659E-11 
第13面
K= 0.00000E+00, A4=-4.53243E-03, A6= 1.25561E-04, A8=-1.01267E-05 
A10= 6.10301E-07, A12=-1.44373E-08, A14=-4.58501E-10, A16= 2.36669E-11 
【０１９５】
表  II−３（各種データ）
∞      15cm
焦点距離       6.8630    6.6678
Ｆナンバー     2.46404   2.53489
画角        41.2826   40.4849
像高         5.3170    5.3170
レンズ全長      9.9700   10.2237
ＢＦ        0.63637   0.64047
d11          3.3716    3.6212 
レンズ群データ
群    始面      焦点距離
1       1       6.08225
2      12      -9.61754
【０１９６】
（数値実施例II−２）
数値実施例II−２の撮像光学系は、図６に示した実施の形態II−２に対応する。数値実施例II−２の撮像光学系の面データを表II−４に、非球面データを表II−５に、各種データを表II−６に示す。
【０１９７】
表  II−４（面データ）
面番号         r           d           nd         vd        
物面             ∞        可変                                   
1*        -5.07330     0.40000     1.54410    56.1       
2*        78.11670     0.35480                        
3(絞り)           ∞     0.05000                          
4*         4.88380     0.98690     1.80998    40.9               
5         -7.47020     0.05000                                   
6         86.52400     0.75000     1.88100    40.1               
7         -4.68780     0.00500     1.56732    42.8               
8         -4.68780     0.30000     1.84666    23.8               
9         10.71480     1.53740                           
10*        -8.53280     0.94410     1.54410    56.1        
11*        -4.07870        可変                            
12*       -10.27360     0.58000     1.54410    56.1         
13*         8.50700     0.25000                           
14               ∞     0.21000     1.51680    64.2               
15               ∞        (BF)                                       
像面             ∞                                               
【０１９８】
表  II−５（非球面データ）
第1面
K= 0.00000E+00, A4= 2.31310E-03, A6= 3.57319E-03, A8=-1.30414E-03 
A10= 1.10511E-04, A12= 5.14016E-05, A14=-1.60456E-05, A16= 1.41280E-06 
第2面
K= 0.00000E+00, A4=-8.22312E-04, A6= 7.46075E-03, A8=-2.75832E-03 
A10= 7.00398E-04, A12=-9.51586E-05, A14=-8.09650E-06, A16= 3.40791E-06 
第4面
K= 0.00000E+00, A4=-4.93124E-03, A6= 2.02958E-03, A8=-4.53318E-04 
A10= 4.14801E-05, A12= 0.00000E+00, A14= 0.00000E+00, A16= 0.00000E+00 
第10面
K=-1.06925E+01, A4=-3.27042E-03, A6=-1.91914E-03, A8= 1.19966E-03 
A10=-3.97578E-04, A12= 5.05184E-05, A14= 8.10236E-07, A16=-7.06955E-07 
第11面
K=-1.36778E+00, A4= 2.81809E-04, A6=-5.43725E-04, A8= 2.11451E-04 
A10=-1.17438E-05, A12=-5.33230E-06, A14= 9.80688E-07, A16=-6.15578E-08 
第12面
K= 5.37589E+00, A4=-1.08499E-02, A6= 1.23193E-03, A8=-9.66276E-05 
A10= 8.66478E-06, A12=-5.69348E-07, A14= 1.79836E-08, A16=-1.19305E-10 
第13面
K= 0.00000E+00, A4=-9.82700E-03, A6= 6.51759E-04, A8=-3.96684E-05 
A10= 1.27893E-06, A12=-2.77229E-09, A14=-1.29955E-09, A16= 3.22936E-11 
【０１９９】
表  II−６（各種データ）
∞      15cm
焦点距離       6.8629    6.6419
Ｆナンバー     2.46550   2.53265
画角        42.1280   41.2455
像高         5.3500    5.3500
レンズ全長      9.9700   10.2167
ＢＦ        0.63985   0.64003
d11          2.9119    3.1585 
レンズ群データ
群    始面      焦点距離
1       1       6.01253
2      12      -8.46078
【０２００】
（数値実施例II−３）
数値実施例II−３の撮像光学系は、図８に示した実施の形態II−３に対応する。数値実施例II−３の撮像光学系の面データを表II−７に、非球面データを表II−８に、各種データを表II−９に示す。
【０２０１】
表  II−７（面データ）
面番号         r           d           nd         vd                
物面             ∞        可変                                   
1*       -15.97950     0.45880     1.54410    56.1               
2*        11.85850     0.60430                                   
3*         5.38360     1.33220     1.77200    50.0               
4         -8.34870     0.10000                                   
5(絞り)           ∞     0.01500                                   
6         42.78430     0.83350     1.88100    40.1               
7         -6.71210     0.00570     1.56732    42.8               
8         -6.71210     0.34500     1.80518    25.5               
9          8.23210     1.15000                                   
10*        -5.26100     1.01950     1.54410    56.1               
11*        -3.53850        可変                                   
12*        -7.53350     0.67080     1.54410    56.1               
13*        19.67630     0.15180                                   
14               ∞     0.24150     1.51680    64.2               
15               ∞     0.73600                                   
16               ∞     0.00000                                   
17               ∞        (BF)                                   
像面             ∞                                               
【０２０２】
表  II−８（非球面データ）
第1面
K= 4.55077E+01, A4=-3.51463E-03, A6= 1.87356E-03, A8=-3.21537E-04 
A10= 2.93969E-05, A12= 6.78736E-06, A14=-2.78885E-06, A16= 3.19939E-07 
第2面
K= 0.00000E+00, A4=-3.09675E-03, A6= 2.48779E-03, A8=-4.12504E-04 
A10= 7.56015E-05, A12=-1.09652E-05, A14=-1.31679E-06, A16= 4.18611E-07 
第3面
K= 0.00000E+00, A4=-1.25727E-03, A6= 4.78558E-04, A8=-6.98420E-05 
A10= 3.70823E-06, A12= 0.00000E+00, A14= 0.00000E+00, A16= 0.00000E+00 
第10面
K=-6.28384E-01, A4=-6.61680E-03, A6= 1.01297E-05, A8=-2.63515E-05 
A10=-6.42648E-05, A12= 2.29066E-05, A14=-4.34210E-07, A16=-3.18968E-07 
第11面
K=-5.42002E-01, A4=-2.13110E-03, A6= 1.59070E-04, A8=-1.06675E-05 
A10=-1.18457E-05, A12= 4.44548E-06, A14= 8.01388E-08, A16=-3.23921E-08 
第12面
K= 1.99550E-01, A4=-5.75000E-03, A6= 5.75624E-04, A8=-4.55564E-05 
A10= 2.64985E-06, A12=-1.03630E-07, A14= 3.26366E-09, A16=-5.60599E-11 
第13面
K=-1.00000E+01, A4=-4.44577E-03, A6= 2.36550E-04, A8=-1.31274E-05 
A10= 1.97883E-07, A12= 2.91078E-09, A14= 2.31768E-11, A16=-2.38473E-12 
【０２０３】
表  II−９（各種データ）
∞      15cm
焦点距離       7.8926    7.6141
Ｆナンバー     2.30062   2.39547
画角        36.5608   35.4472
像高         5.3720    5.3720
レンズ全長     11.3304   11.6646
ＢＦ       -0.00420   0.01049
d11          3.6705    3.9900
レンズ群データ
群    始面      焦点距離
1       1       6.94510
2      12      -9.92612
【０２０４】
（数値実施例II−４）
数値実施例II−４の撮像光学系は、図１０に示した実施の形態II−４に対応する。数値実施例II−４の撮像光学系の面データを表II−１０に、非球面データを表II−１１に、各種データを表II−１２に示す。
【０２０５】
表  II−１０（面データ）
面番号         r           d           nd         vd                
物面             ∞        可変                                   
1*        -7.06290     0.39900     1.54410    56.1               
2*        23.43830     0.40450                                   
3*         5.02260     0.84930     1.88349    40.7               
4        -14.19600     0.10000                                   
5         23.76530     0.80000     1.88300    40.8               
6         -4.73350     0.00500     1.56732    42.8               
7         -4.73350     0.30000     1.90475    23.7               
8         12.18990     0.30000                                   
9(絞り)           ∞     0.70000                                   
10*        -6.02000     1.07880     1.54410    56.1               
11*        -3.38120        可変                                   
12*        -5.95610     0.58330     1.54410    56.1               
13*        27.79490     0.17280                                   
14               ∞     0.21000     1.51680    64.2               
15               ∞     0.64000                                   
16               ∞     0.00000                                   
17               ∞        (BF)                                   
像面             ∞                                               
【０２０６】
表  II−１１（非球面データ）
第1面
K= 0.00000E+00, A4= 2.68209E-03, A6= 1.78986E-03, A8=-7.02334E-04 
A10= 1.27279E-04, A12= 2.09381E-05, A14=-1.75663E-05, A16= 2.60336E-06 
第2面
K= 0.00000E+00, A4= 4.49723E-03, A6= 3.43759E-03, A8=-8.88983E-04 
A10= 2.35902E-04, A12=-4.70886E-05, A14=-8.10191E-06, A16= 3.40626E-06 
第3面
K= 0.00000E+00, A4=-6.41417E-04, A6= 1.01295E-03, A8=-2.04032E-04 
A10= 1.65511E-05, A12= 0.00000E+00, A14= 0.00000E+00, A16= 0.00000E+00 
第10面
K=-2.07020E+00, A4=-7.02752E-03, A6=-2.04875E-04, A8= 5.81624E-04 
A10=-3.75380E-04, A12= 1.06923E-04, A14=-2.67160E-06, A16=-2.59546E-06 
第11面
K=-8.78660E-01, A4=-7.40140E-04, A6=-1.80439E-05, A8= 1.68857E-04 
A10=-6.23929E-06, A12=-1.57566E-06, A14= 1.86259E-06, A16=-2.39740E-07 
第12面
K= 1.02650E+00, A4=-3.18591E-03, A6= 6.72284E-04, A8=-9.24105E-05 
A10= 1.05390E-05, A12=-5.96169E-07, A14= 1.23880E-08, A16= 8.68036E-11 
第13面
K= 3.55604E+01, A4=-3.32205E-03, A6= 1.48905E-05, A8=-4.04530E-06 
A10= 3.25289E-07, A12=-1.57596E-08, A14= 3.95216E-10, A16=-3.71203E-12 
【０２０７】
表  II−１２（各種データ）
∞      15cm
焦点距離       6.8629    6.6605
Ｆナンバー     2.46512   2.56226
画角        41.6562   40.5887
像高         5.3720    5.3720
レンズ全長      9.8876   10.1379
ＢＦ       -0.00800   0.00343
d11          3.3529    3.5918
レンズ群データ
群    始面      焦点距離
1       1       6.02129
2      12      -8.96035
【０２０８】
（数値実施例II−５）
数値実施例II−５の撮像光学系は、図１２に示した実施の形態II−５に対応する。数値実施例II−５の撮像光学系の面データを表II−１３に、非球面データを表II−１４に、各種データを表II−１５に示す。
【０２０９】
表  II−１３（面データ）
面番号         r           d           nd         vd      
物面             ∞        可変                                   
1*        15.49130     0.66660     1.54410    56.1        
2        -21.77200     0.33110                           
3*        -5.89930     0.40000     1.54410    56.1       
4         95.89790     0.32340                                   
5(絞り)           ∞     0.09000                             
6*         5.01690     0.61310     1.54410    56.1               
7         19.15290     0.20000                                   
8          6.37370     1.34160     1.88100    40.1               
9         -5.53230     0.00500     1.56732    42.8               
10         -5.53230     0.30270     1.75520    27.5               
11          6.17300     0.66730                           
12*       -22.78280     2.24100     1.54410    56.1               
13*        -5.19500        可変                                   
14*        -5.97980     0.58000     1.54410    56.1       
15*        15.46740     0.19200                           
16               ∞     0.21000     1.51680    64.2               
17               ∞        (BF)                                       
像面             ∞                                               
【０２１０】
表  II−１４（非球面データ）
第1面
K= 0.00000E+00, A4=-8.49136E-03, A6=-6.26214E-04, A8= 9.07818E-05 
A10= 8.65834E-06, A12=-1.10003E-06, A14= 0.00000E+00 
第3面
K= 0.00000E+00, A4= 2.90090E-02, A6=-4.61475E-03, A8= 1.03094E-03 
A10=-1.56204E-04, A12= 9.56995E-06, A14= 0.00000E+00 
第6面
K= 0.00000E+00, A4=-1.83663E-02, A6= 3.45042E-03, A8=-6.31002E-04 
A10= 5.23439E-05, A12= 0.00000E+00, A14= 0.00000E+00 
第12面
K= 3.14563E+00, A4=-1.30225E-03, A6=-7.01101E-04, A8= 4.22100E-04 
A10=-1.45096E-04, A12= 2.59612E-05, A14=-1.91149E-06 
第13面
K= 0.00000E+00, A4= 1.63809E-04, A6=-9.33183E-05, A8= 1.43438E-05 
A10=-4.56580E-07, A12= 0.00000E+00, A14= 0.00000E+00 
第14面
K=-2.11716E-01, A4=-9.69657E-03, A6= 8.99643E-04, A8=-7.24404E-05 
A10= 5.59702E-06, A12=-3.05384E-07, A14= 7.38645E-09 
第15面
K=-7.38559E+00, A4=-6.82818E-03, A6= 5.05452E-04, A8=-3.73353E-05 
A10= 1.78727E-06, A12=-5.08396E-08, A14= 6.45192E-10 
【０２１１】
表  II−１５（各種データ）
∞      15cm
焦点距離       8.0132    7.6456
Ｆナンバー     2.45518   2.53694
画角        36.2948   35.1675
像高         5.3700    5.3700
レンズ全長     11.8213   12.1482
ＢＦ        0.64797   0.64915
d13          3.0095    3.3353 
レンズ群データ
群    始面      焦点距離
1       1       6.91511
2      14      -7.85119
【０２１２】
（数値実施例III−１）
数値実施例III−１の撮像光学系は、図１５に示した実施の形態III−１に対応する。数値実施例III−１の撮像光学系の面データを表III−１に、非球面データを表III−２に、各種データを表III−３に示す。
【０２１３】
表  III−１（面データ）
面番号         r           d           nd         vd
物面             ∞        可変                    
1*        -7.57220     0.50000     1.54360    56.0
2*        15.46510     0.56330                    
3         16.69050     1.16510     2.00100    29.1
4        -20.85140     0.90000                    
5(絞り)           ∞     0.10000                     
6         10.33920     1.53030     2.00100    29.1
7         -5.72360     0.01000     1.56732    42.8
8         -5.72360     0.50000     1.92286    20.9
9          7.38460     0.92910                    
10*     -1232.29070     1.25020     1.80998    40.9
11*        -9.37040        可変                     
12*       -28.49540     0.60000     1.54360    56.0
13*        75.69850     0.10000                    
14         21.16620     1.85220     1.90366    31.3
15        100.00000     2.00000                    
16               ∞        (BF)                        
像面             ∞                                 
【０２１４】
表  III−２（非球面データ）
第1面
K= 0.00000E+00, A4= 6.69048E-03, A6=-9.43457E-04, A8= 8.93010E-05 
A10=-4.59716E-06, A12= 9.61909E-08 
第2面
K= 0.00000E+00, A4= 7.43548E-03, A6=-8.41966E-04, A8= 6.52987E-05 
A10=-1.36706E-06, A12=-6.44539E-08 
第10面
K= 0.00000E+00, A4= 5.56200E-04, A6= 3.42621E-05, A8= 9.48358E-06 
A10=-4.11303E-07, A12= 0.00000E+00 
第11面
K= 0.00000E+00, A4= 2.50116E-04, A6=-2.00535E-06, A8= 7.89527E-06 
A10= 0.00000E+00, A12= 0.00000E+00 
第12面
K= 0.00000E+00, A4=-5.16210E-04, A6= 2.20156E-05, A8=-1.93288E-06 
A10= 6.71661E-08, A12=-7.01841E-10 
第13面
K= 0.00000E+00, A4= 2.27815E-04, A6=-1.07988E-05, A8=-2.33695E-07 
A10= 1.21185E-08, A12=-1.02787E-10 
【０２１５】
表  III−３（各種データ）
沈胴時      ∞      最近接
焦点距離         -      10.7123   10.7805
Ｆナンバー        -      2.88481   3.06116
画角           -      39.6781   37.4110
像高           -       8.0000    8.0000
レンズ全長     15.2002   19.0026   19.8279
ＢＦ           -      0.00000   0.00000
d0             -           ∞  150.0000
d11            -       7.0024    7.8277
単レンズデータ
レンズ     始面     焦点距離
1         1       -9.2802
2         3        9.4069
3         6        3.8646
4         8       -3.4311
5        10       11.6520
6        12      -38.0067
7        14       29.3839
【０２１６】
（数値実施例III−２）
数値実施例III−２の撮像光学系は、図１７に示した実施の形態III−２に対応する。数値実施例III−２の撮像光学系の面データを表III−４に、非球面データを表III−５に、各種データを表III−６に示す。
【０２１７】
表  III−４（面データ）
面番号         r           d           nd         vd   
物面             ∞        可変                                   
1*        -4.65110     0.49000     1.54410    55.6  
2*        -6.99800     1.25000                      
3(絞り)           ∞     0.75000                      
4          6.90600     1.54000     2.00069    25.5  
5         -5.91030     0.01000     1.56732    42.8  
6         -5.91030     0.30000     1.94595    18.0  
7         13.77170     0.95740                      
8*        -7.53830     1.40000     1.54410    55.6  
9*        -4.56090        可変                      
10*        -9.06620     0.63000     1.63450    23.9 
11*       503.57710     0.23850                      
12         39.95560     1.23000     1.90366    31.3  
13        995.70600     0.35940                      
14               ∞     0.54000     1.51680    64.2  
15               ∞     1.16000                      
16               ∞        (BF)                          
像面             ∞                                   
【０２１８】
表  III−５（非球面データ）
第1面
K=-6.02670E+00, A4= 1.82982E-03, A6= 2.70942E-04, A8=-4.64512E-05 
A10= 2.58920E-06, A12= 0.00000E+00, A14= 0.00000E+00 
第2面
K=-2.13658E+01, A4= 7.35493E-04, A6= 8.10019E-04, A8=-1.18060E-04 
A10= 7.11999E-06, A12= 0.00000E+00, A14= 0.00000E+00 
第8面
K= 0.00000E+00, A4=-1.68558E-03, A6=-5.30946E-04, A8= 1.50265E-04 
A10=-2.32996E-05, A12= 2.66205E-06, A14=-8.07118E-08 
第9面
K=-7.16324E-01, A4=-7.85660E-04, A6=-2.17517E-05, A8= 1.59535E-06 
A10= 1.59288E-06, A12=-2.97487E-08, A14= 1.39669E-08 
第10面
K= 0.00000E+00, A4=-1.25647E-03, A6= 5.95607E-05, A8=-1.50192E-05 
A10= 8.93460E-07, A12=-2.00860E-08, A14= 1.31238E-10 
第11面
K= 0.00000E+00, A4=-5.64769E-04, A6=-4.72222E-05, A8= 2.82235E-07 
A10= 3.61880E-08, A12=-3.05650E-10, A14=-4.91323E-12 
【０２１９】
表  III−６（各種データ）
沈胴時      ∞      最近接
焦点距離         -      10.6452   10.1657
Ｆナンバー        -      2.89475   3.08889
画角           -      36.5218   34.7624
像高           -       7.8920    7.8920
レンズ全長     11.0053   16.6351   17.4653
ＢＦ           -      0.00000   0.00000
d0             -        ∞     100.0000
d9             -       5.7798    6.6100
単レンズデータ
レンズ     始面     焦点距離
1         1      -27.5134
2         4        3.3860
3         6       -4.3397
4         8       18.2065
5        10      -14.0293
6        12       46.0357
【０２２０】
（数値実施例III−３）
数値実施例III−３の撮像光学系は、図１９に示した実施の形態III−３に対応する。数値実施例III−３の撮像光学系の面データを表III−７に、非球面データを表III−８に、各種データを表III−９に示す。
【０２２１】
表  III−７（面データ）
面番号         r           d           nd         vd   
物面             ∞        可変                                   
1*        -4.35630     0.60000     1.54360    56.0  
2*        -5.87190     0.60000                      
3(絞り)           ∞     0.40000                      
4          7.09060     1.58780     2.00069    25.5 
5         -7.09060     0.01000     1.56732    42.8 
6         -7.09060     0.30000     1.94595    18.0   
7         12.34950     1.43090                       
8*        -7.00000     1.93420     1.58254    59.5   
9*        -4.20380        可変                       
10*        -9.25510     0.80000     1.63451    23.9  
11*        56.67240     0.27000                      
12         30.50410     1.59490     1.90366    31.3  
13       -168.19990     0.20000                      
14               ∞     0.54000     1.51680    64.2  
15               ∞     1.16000                      
16               ∞        (BF)                          
像面             ∞                                   
【０２２２】
表  III−８（非球面データ）
第1面
K=-7.55958E+00, A4=-1.63097E-03, A6= 1.22281E-03, A8=-2.94708E-04 
A10= 4.92265E-05, A12=-4.93583E-06, A14= 2.14105E-07 
第2面
K= 1.48671E-01, A4= 8.52008E-03, A6=-3.93847E-04, A8= 2.12278E-05 
A10= 6.65415E-06, A12=-2.12931E-06, A14= 1.76945E-07 
第8面
K= 0.00000E+00, A4=-2.85619E-03, A6=-3.53571E-04, A8= 4.99911E-05 
A10=-1.33631E-05, A12= 1.60479E-06, A14=-3.70810E-08 
第9面
K=-6.52802E-01, A4=-9.88708E-04, A6=-1.70648E-04, A8= 1.19662E-05 
A10=-9.32170E-08, A12=-1.76220E-07, A14= 1.60073E-08 
第10面
K= 0.00000E+00, A4= 1.45083E-04, A6= 2.45427E-05, A8=-1.33404E-05 
A10= 9.13860E-07, A12=-2.33085E-08, A14= 2.08942E-10 
第11面
K= 0.00000E+00, A4= 3.61601E-04, A6=-5.86258E-05, A8=-2.61671E-07 
A10= 7.20369E-08, A12=-1.31464E-09, A14= 6.36255E-12 
【０２２３】
表  III−９（各種データ）
沈胴時      ∞      最近接
焦点距離         -      10.7037   10.2610
Ｆナンバー        -      2.89566   3.07283
画角           -      36.7746   35.1531
像高           -       8.0000    8.0000
レンズ全長     11.5778   16.8050   17.6637
ＢＦ           -      0.00000   0.00000
d0             -           ∞  100.0000 
d9             -       5.3772    6.2359 
単レンズデータ
レンズ     始面     焦点距離
1         1      -36.0777
2         4        3.7530
3         6       -4.7263
4         8       14.3989
5        10      -12.4799
6        12       28.6834
【０２２４】
（数値実施例IV−１）
数値実施例IV−１の撮像光学系は、図２２に示した実施の形態IV−１に対応する。数値実施例IV−１の撮像光学系の面データを表IV−１に、非球面データを表IV−２に、各種データを表IV−３に示す。
【０２２５】
表  IV−１（面データ）
面番号         r           d           nd         vd                
物面             ∞        可変                                   
1*         7.31070     0.50000     1.54410    56.1               
2*         8.85000     0.31350                                   
3(絞り)           ∞     0.05150                                   
4*       -13.70490     0.89240     1.54410    56.1               
5*        -4.52540     0.05000                                   
6         19.76500     0.87970     1.88300    40.8               
7         -5.31220     0.00520     1.56732    42.8               
8         -5.31220     0.44780     1.81727    24.5               
9         74.51000        可変                                   
10*       -14.78710     0.94340     1.54410    56.1               
11*        -5.54180     1.71780                                   
12*        -3.95710     1.32160     1.54410    56.1               
13*        10.97230     0.21360                                   
14               ∞     0.21630     1.51680    64.2               
15               ∞        (BF)                                       
像面             ∞                                               
【０２２６】
表  IV−２（非球面データ）
第1面
K= 0.00000E+00, A4=-1.24751E-02, A6=-6.81925E-04, A8=-1.30318E-04 
A10=-1.10022E-04, A12= 5.63872E-05, A14=-8.90567E-06, A16= 5.26110E-07 
第2面
K= 0.00000E+00, A4=-4.69819E-03, A6= 1.77589E-03, A8=-1.32671E-04 
A10=-9.29687E-05, A12= 6.41269E-05, A14=-1.01394E-05, A16= 4.57177E-07 
第4面
K= 0.00000E+00, A4= 3.20511E-03, A6= 2.53477E-03, A8=-3.30451E-04 
A10= 4.00241E-05, A12= 0.00000E+00, A14= 0.00000E+00, A16= 0.00000E+00 
第5面
K= 0.00000E+00, A4=-2.30490E-03, A6= 2.69178E-04, A8=-2.01150E-04 
A10= 1.69944E-05, A12= 0.00000E+00, A14= 0.00000E+00, A16= 0.00000E+00 
第10面
K= 0.00000E+00, A4=-1.75363E-03, A6=-5.77976E-04, A8= 2.16364E-04 
A10=-5.98279E-05, A12= 5.21144E-06, A14= 4.04214E-08, A16=-2.26346E-08 
第11面
K= 0.00000E+00, A4=-1.23058E-03, A6=-4.07095E-04, A8= 1.03363E-04 
A10=-2.23987E-05, A12= 1.18576E-06, A14=-1.75617E-08, A16= 3.23449E-09 
第12面
K= 0.00000E+00, A4=-1.26758E-02, A6= 3.93597E-04, A8= 7.95787E-05 
A10=-1.30555E-05, A12=-7.85888E-07, A14= 8.69778E-08, A16= 3.29614E-09 
第13面
K= 0.00000E+00, A4=-1.01582E-02, A6= 8.42832E-04, A8=-5.13871E-05 
A10= 1.58727E-06, A12=-2.67804E-08, A14= 3.94455E-10, A16=-5.89140E-12 
【０２２７】
表  IV−３（各種データ）
∞      15cm
焦点距離       7.7129    7.4055
Ｆナンバー     2.46957   2.58265
画角        43.2450   40.7724
像高         6.2200    6.2200
レンズ全長     10.1113   10.4675
ＢＦ        0.66054   0.66629
d0               ∞  150.0000
d9           1.8980    2.2484
単レンズデータ
レンズ     始面     焦点距離
1         1       69.3164
2         4       12.0062
3         6        4.8210
4         8       -6.0521
5        10       15.7251
6        12       -5.1834
【０２２８】
（数値実施例IV−２）
数値実施例IV−２の撮像光学系は、図２４に示した実施の形態IV−２に対応する。数値実施例IV−２の撮像光学系の面データを表IV−４に、非球面データを表IV−５に、各種データを表IV−６に示す。
【０２２９】
表  IV−４（面データ）
面番号         r           d           nd         vd                
物面             ∞        可変                                   
1*       -64.83460     0.50000     1.54410    56.1               
2*        40.44600     0.30000                                   
3(絞り)           ∞     0.05000                                   
4*        33.01990     1.09010     1.54410    56.1               
5*        -4.22300     0.05000                                   
6         15.12380     1.03590     1.91082    35.3               
7         -4.20270     0.00500     1.56732    42.8               
8         -4.20270     0.40000     1.80518    25.5               
9         10.48520        可変                                   
10*       -13.75690     1.19980     1.54410    56.1               
11*        -4.82990     1.60600                                   
12*        -4.81830     1.17770     1.54410    56.1               
13*         8.42500     0.25730                                   
14               ∞     0.21000     1.51680    64.2               
15               ∞        (BF)                                       
像面             ∞                                               
【０２３０】
表  IV−５（非球面データ）
第1面
K= 0.00000E+00, A4=-1.49184E-02, A6= 2.55813E-03, A8= 3.54517E-05 
A10=-2.17765E-04, A12= 7.80531E-05, A14=-1.30783E-05, A16= 8.19662E-07 
第2面
K= 0.00000E+00, A4=-9.14652E-03, A6= 6.04897E-03, A8=-8.38044E-04 
A10=-4.11071E-05, A12= 8.87666E-05, A14=-1.48901E-05, A16= 7.12267E-07 
第4面
K= 0.00000E+00, A4=-3.17401E-03, A6= 2.18456E-03, A8=-6.82518E-04 
A10= 7.25466E-05, A12= 0.00000E+00, A14= 0.00000E+00, A16= 0.00000E+00 
第5面
K= 0.00000E+00, A4=-3.76439E-03, A6=-3.19555E-04, A8=-7.47680E-05 
A10=-2.38686E-05, A12= 0.00000E+00, A14= 0.00000E+00, A16= 0.00000E+00 
第10面
K= 0.00000E+00, A4=-2.58004E-03, A6=-5.55744E-04, A8= 2.15177E-04 
A10=-7.83619E-05, A12= 8.83464E-06, A14=-1.23394E-07, A16=-3.52640E-08 
第11面
K= 0.00000E+00, A4=-1.68875E-03, A6=-3.31614E-04, A8= 7.56124E-05 
A10=-2.40250E-05, A12= 2.08154E-06, A14=-9.72969E-08, A16= 3.29818E-09 
第12面
K= 0.00000E+00, A4=-1.72872E-02, A6= 7.33573E-04, A8= 2.91823E-05 
A10=-1.40360E-05, A12=-3.71679E-07, A14= 1.40869E-07, A16=-4.69621E-09 
第13面
K= 0.00000E+00, A4=-1.09527E-02, A6= 8.35704E-04, A8=-5.27766E-05 
A10= 1.83734E-06, A12=-4.26252E-08, A14= 9.51620E-10, A16=-1.49226E-11 
【０２３１】
表  IV−６（各種データ）
∞      15cm
焦点距離       7.1138    6.9102
Ｆナンバー     2.46987   2.57993
画角        43.6928   41.1111
像高         5.9000    5.9000
レンズ全長     10.0624   10.4020
ＢＦ        0.64396   0.64608
d0               ∞  150.0000
d9           1.5366    1.8741
単レンズデータ
レンズ     始面     焦点距離
1         1      -45.7014
2         4        6.9531
3         6        3.7055
4         8       -3.6814
5        10       13.0611
6        12       -5.4625
【０２３２】
（数値実施例IV−３）
数値実施例IV−３の撮像光学系は、図２６に示した実施の形態IV−３に対応する。数値実施例IV−３の撮像光学系の面データを表IV−７に、非球面データを表IV−８に、各種データを表IV−９に示す。
【０２３３】
表  IV−７（面データ）
面番号         r           d           nd         vd                
物面             ∞        可変                                   
1*         5.15230     0.56810     1.63550    23.9               
2*         4.46160     0.65540                                   
3(絞り)           ∞     0.01000                                   
4*        34.81940     0.40000     1.68893    31.1               
5          3.62120     0.00500     1.56732    42.8               
6          3.62120     2.15050     1.88300    40.8               
7         -5.87400     0.34990                                   
8*       -39.79810     0.38330     1.82115    24.1               
9         13.58270        可変                                   
10*        41.71430     0.65650     1.54410    56.1               
11*       -59.09360     2.19420                                   
12*        99.95620     0.98920     1.54410    56.1               
13*         5.54000     0.34830                                   
14               ∞     0.21000     1.51680    64.2               
15               ∞        (BF)                                       
像面             ∞                                               
【０２３４】
表  IV−８（非球面データ）
第1面
K= 0.00000E+00, A4=-5.64533E-03, A6=-8.82560E-04, A8=-1.93024E-05 
A10= 5.23608E-06, A12= 0.00000E+00, A14= 0.00000E+00 
第2面
K= 0.00000E+00, A4=-1.98940E-03, A6=-6.31388E-04, A8= 3.09014E-05 
A10= 1.18957E-05, A12= 0.00000E+00, A14= 0.00000E+00 
第4面
K= 0.00000E+00, A4= 1.94778E-03, A6= 2.25361E-04, A8= 2.27057E-05 
A10= 0.00000E+00, A12= 0.00000E+00, A14= 0.00000E+00 
第8面
K= 0.00000E+00, A4=-1.48863E-03, A6=-6.38674E-05, A8=-2.17782E-05 
A10=-1.16679E-06, A12= 6.84425E-09, A14= 0.00000E+00 
第10面
K= 0.00000E+00, A4= 6.04807E-04, A6=-1.35909E-04, A8= 5.15315E-07 
A10= 1.75420E-08, A12= 0.00000E+00, A14= 0.00000E+00 
第11面
K= 0.00000E+00, A4= 2.94057E-04, A6=-8.56795E-05, A8=-4.75206E-06 
A10= 7.83627E-07, A12=-5.16731E-08, A14= 2.60647E-09 
第12面
K= 0.00000E+00, A4=-1.37084E-02, A6= 5.76556E-04, A8= 6.09818E-06 
A10=-4.62040E-06, A12= 3.59687E-07, A14=-7.97578E-09 
第13面
K= 0.00000E+00, A4=-1.31842E-02, A6= 9.74622E-04, A8=-5.79410E-05 
A10= 1.71800E-06, A12=-2.07810E-08, A14= 0.00000E+00 
【０２３５】
表  IV−９（各種データ）
∞      15cm
焦点距離       7.8336    7.6297
Ｆナンバー     2.20183   2.31671
画角        36.9476   35.1684
像高         5.5000    5.5000
レンズ全長     11.0729   11.4999
ＢＦ        0.64549   0.65388
d0               ∞  150.0000
d9           1.5070    1.9256
単レンズデータ
レンズ     始面     焦点距離
1         1      -76.9696
2         4       -5.8972
3         6        2.8385
4         8      -12.2925
5        10       45.0453
6        12      -10.8193
【０２３６】
（数値実施例Ｖ−１）
数値実施例Ｖ−１の撮像光学系は、図２９に示した実施の形態Ｖ−１に対応する。数値実施例Ｖ−１の撮像光学系の面データを表Ｖ−１に、非球面データを表Ｖ−２に、各種データを表Ｖ−３に示す。
【０２３７】
表  Ｖ−１（面データ）
面番号         r           d           nd         vd                
物面             ∞        可変                                   
1*         2.85230     0.30000     1.54410    56.1               
2*         3.08160     0.20000                                   
3*        -4.39760     0.33480     1.54410    56.1               
4*        -5.30790     0.10000                                   
5(絞り)           ∞     0.00000                                   
6*         2.22950     0.82640     1.54410    56.1               
7        -10.28610     0.10000                                   
8         -8.57510     0.30000     1.63550    23.9               
9*         5.35670     0.38610                                   
10*        12.30820     1.02010     1.54410    56.1               
11*        -3.03750        可変                                   
12*        -2.65810     0.50000     1.54410    56.1               
13*         4.93440     0.19490                                   
14               ∞     0.21000     1.51680    64.2               
15               ∞        (BF)                                       
像面             ∞                                               
【０２３８】
表  Ｖ−２（非球面データ）
第1面
K= 0.00000E+00, A4=-5.68645E-02, A6=-4.69711E-04, A8=-3.49201E-02 
A10= 8.62035E-03, A12= 2.05289E-02, A14=-1.33715E-02, A16= 2.43379E-03 
第2面
K= 0.00000E+00, A4=-4.40233E-02, A6= 3.24471E-02, A8=-6.77753E-02 
A10= 4.65190E-03, A12= 3.12507E-02, A14=-1.52237E-02, A16= 2.11491E-03 
第3面
K= 0.00000E+00, A4= 9.47046E-02, A6= 1.67562E-03, A8=-3.50326E-02 
A10= 9.53146E-03, A12= 0.00000E+00, A14= 0.00000E+00, A16= 0.00000E+00 
第4面
K= 0.00000E+00, A4= 4.14528E-02, A6=-1.84026E-02, A8= 1.06282E-02 
A10=-5.31124E-03, A12= 0.00000E+00, A14= 0.00000E+00, A16= 0.00000E+00 
第6面
K= 0.00000E+00, A4=-3.66711E-02, A6= 1.59722E-02, A8=-4.97816E-03 
A10= 3.59489E-04, A12= 0.00000E+00, A14= 0.00000E+00, A16= 0.00000E+00 
第9面
K= 0.00000E+00, A4=-9.27438E-03, A6= 7.67672E-03, A8=-2.49598E-03 
A10= 5.40070E-04, A12= 0.00000E+00, A14= 0.00000E+00, A16= 0.00000E+00 
第10面
K= 0.00000E+00, A4=-1.97243E-02, A6=-1.19755E-02, A8= 1.38155E-02 
A10=-1.20938E-02, A12= 3.90687E-03, A14=-1.26161E-04, A16=-1.04708E-04 
第11面
K= 0.00000E+00, A4=-5.11763E-03, A6= 5.20004E-03, A8=-1.48343E-02 
A10= 1.24280E-02, A12=-5.68426E-03, A14= 1.26506E-03, A16=-9.94291E-05 
第12面
K= 0.00000E+00, A4=-7.88035E-02, A6= 2.42338E-02, A8=-3.54442E-03 
A10=-1.03569E-03, A12= 4.59625E-04, A14=-4.77849E-05, A16= 1.04175E-06 
第13面
K= 0.00000E+00, A4=-7.37146E-02, A6= 2.37593E-02, A8=-6.20327E-03 
A10= 9.53919E-04, A12=-8.65906E-05, A14= 4.41878E-06, A16=-1.01447E-07 
【０２３９】
表  Ｖ−３（各種データ）
∞      10cm
焦点距離       4.7011    4.4703
Ｆナンバー     2.05126   2.11292
画角        40.9363   40.1591
像高         3.4520    3.4520
レンズ全長      6.2783    6.4188
ＢＦ        0.38994   0.40705
d0               ∞  100.0000 
d11          1.4161    1.5394 
入射瞳位置      0.7533    0.7533
射出瞳位置     -2.3361   -2.3576
前側主点位置   -2.6527   -2.6144
後側主点位置    1.5773    1.7334
単レンズデータ
レンズ     始面     焦点距離
1         1       48.2206
2         3      -54.1447
3         6        3.4479
4         8       -5.1451
5        10        4.5850
6        12       -3.1030
レンズ群データ
群   始面    焦点距離  レンズ構成長    前側主点位置  後側主点位置
1      1     3.61794     3.56740         1.74544       2.19128
2     12    -3.10298     0.90490         0.11079       0.36588
【０２４０】
（数値実施例Ｖ−２）
数値実施例Ｖ−２の撮像光学系は、図３２に示した実施の形態Ｖ−２に対応する。数値実施例Ｖ−２の撮像光学系の面データを表Ｖ−４に、非球面データを表Ｖ−５に、各種データを表Ｖ−６に示す。
【０２４１】
表  Ｖ−４（面データ）
面番号         r           d           nd         vd                
物面             ∞        可変                                   
1*         2.29250     0.28000     1.54410    56.1               
2*         2.13470     0.25000                                   
3*        -3.32110     0.38090     1.54410    56.1               
4*        -3.27800     0.10000                                   
5(絞り)           ∞     0.00000                                   
6*         1.82830     0.69020     1.54410    56.1               
7         52.78110     0.10000                                   
8        -21.29350     0.30000     1.63550    23.9               
9*         4.02830     0.43010                                   
10*       -17.96410     0.63650     1.54410    56.1               
11*        -2.53540        可変                                   
12*        -4.12810     0.70000     1.54410    56.1               
13*         5.02680     0.22630                                   
14               ∞     0.21000     1.51680    64.2               
15               ∞        (BF)                                       
像面             ∞                                               
【０２４２】
表  Ｖ−５（非球面データ）
第1面
K= 0.00000E+00, A4=-6.99680E-02, A6=-4.18325E-02, A8=-1.50002E-02 
A10= 5.69750E-03, A12= 2.05292E-02, A14=-1.33714E-02, A16= 2.43379E-03 
第2面
K= 0.00000E+00, A4=-4.62342E-02, A6=-6.61069E-02, A8= 1.77978E-02 
A10=-2.12597E-02, A12= 3.12427E-02, A14=-1.52301E-02, A16= 2.10959E-03 
第3面
K= 0.00000E+00, A4= 1.29764E-01, A6=-7.78066E-02, A8= 5.28148E-02 
A10=-1.79377E-02, A12= 0.00000E+00, A14= 0.00000E+00, A16= 0.00000E+00 
第4面
K= 0.00000E+00, A4= 3.75478E-02, A6=-4.18188E-02, A8= 4.75274E-02 
A10=-1.48653E-02, A12= 0.00000E+00, A14= 0.00000E+00, A16= 0.00000E+00 
第6面
K= 0.00000E+00, A4=-5.96781E-02, A6= 2.32741E-02, A8=-7.64716E-03 
A10= 6.22159E-04, A12= 0.00000E+00, A14= 0.00000E+00, A16= 0.00000E+00 
第9面
K= 0.00000E+00, A4=-3.07060E-04, A6= 2.04424E-04, A8=-1.52500E-03 
A10= 4.55994E-04, A12= 0.00000E+00, A14= 0.00000E+00, A16= 0.00000E+00 
第10面
K= 0.00000E+00, A4=-1.28166E-03, A6=-1.57499E-02, A8= 2.24265E-02 
A10=-1.52444E-02, A12= 3.93156E-03, A14=-1.03756E-04, A16=-8.69950E-05 
第11面
K= 0.00000E+00, A4= 1.25430E-02, A6= 1.21093E-03, A8=-2.86807E-03 
A10= 7.83576E-03, A12=-4.82001E-03, A14= 1.26429E-03, A16=-1.00144E-04 
第12面
K= 0.00000E+00, A4=-3.16569E-02, A6= 6.02122E-03, A8= 2.09274E-03 
A10=-1.20917E-03, A12= 2.44975E-04, A14=-2.33818E-05, A16= 8.82313E-07 
第13面
K= 0.00000E+00, A4=-4.57764E-02, A6= 1.13751E-02, A8=-2.90412E-03 
A10= 5.21728E-04, A12=-6.22140E-05, A14= 4.20200E-06, A16=-1.17837E-07 
【０２４３】
表  Ｖ−６（各種データ）
∞      10cm
焦点距離       4.6996    4.5069
Ｆナンバー     2.25031   2.32276
画角        39.7835   39.0194
像高         3.3720    3.3720
レンズ全長      6.2501    6.3997
ＢＦ        0.38239   0.39262
d0               ∞  100.0000 
d11          1.5637    1.7031 
入射瞳位置      0.8198    0.8198
射出瞳位置     -2.5897   -2.6255
前側主点位置   -1.9118   -1.9251
後側主点位置    1.5505    1.6757
単レンズデータ
レンズ     始面     焦点距離
1         1     -152.0967
2         3      112.8383
3         6        3.4643
4         8       -5.3060
5        10        5.3478
6        12       -4.0566
レンズ群データ
群   始面    焦点距離  レンズ構成長    前側主点位置  後側主点位置
1      1     3.77801     3.16770         1.54341       1.94793
2     12    -4.05661     1.13630         0.19905       0.52916 
【０２４４】
以下の表１、表２に、各数値実施例に係る撮像光学系における各条件の対応値を示す。
【０２４５】
表  １（条件の対応値）
【表１】
2015040867.tif 000042
【０２４６】
表  ２（条件の対応値）
【表２】
2015040867.tif 000043
【０２４７】
以上のように、本開示における技術の例示として、実施の形態を説明した。そのために、添付図面および詳細な説明を提供した。
【０２４８】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０２４９】
また、上述の実施の形態は、本開示における技術を例示するためのものであるから、特許請求の範囲またはその均等の範囲において種々の変更、置き換え、付加、省略などを行うことができる。
【産業上の利用可能性】
【０２５０】
本開示に係る撮像光学系は、スマートフォンのカメラ、携帯電話機器のカメラ、タブレット端末のカメラ、ＷＥＢカメラ、監視システムにおける監視カメラ、車載カメラ等に適用可能である。特に、本開示に係る撮像光学系は、スマートフォンのカメラ、タブレット端末のカメラといった広角で、小型化が要求される携帯端末の撮像光学系に好適である。
【符号の説明】
【０２５１】
Ｇ１    第１レンズ群
Ｇ２    第２レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｐ      平行平板
Ａ      開口絞り
Ｓ      像面
１００  携帯端末
１０１  携帯端末本体
１０２  ＣＰＵ
１０３  モニタ
２００  光学モジュール
２０１  透明カバー
２０２  撮像光学系
２０３  撮像素子
２０４  メカシャッタユニット
２０５  フォーカス機構、沈胴／フォーカス機構
【手続補正２】
【補正対象書類名】特許請求の範囲
【補正対象項目名】全文
【補正方法】変更
【補正の内容】
【特許請求の範囲】
【請求項１】
物体側から像側へと順に、
正のパワーを有する第１レンズ群と、
第２レンズ群と、からなり、
無限遠合焦状態から近接物体合焦状態へのフォーカシングの際に、前記第１レンズ群は、光軸に沿って移動し、前記第２レンズ群は、像面に対して固定され、
前記第１レンズ群は、物体側から像側へと順に、
負のパワーを有する第１レンズ素子と、
少なくとも１枚の後続レンズ素子と、からなり、
前記第1レンズ素子と前記後続レンズ素子との間に開口絞りを配置した、撮像光学系。
【請求項２】
以下の条件（１）を満足する、請求項１に記載の撮像光学系：
０．０７＜ＬＧ１２／Ｌ＜０．４０  ・・・（１）
ここで、
ＬＧ１２：無限遠合焦状態における、第１レンズ群の最像側レンズ面と第２レンズ群の最物体側レンズ面との光軸上での距離、
Ｌ：無限遠合焦状態における、第１レンズ群の最物体側レンズ面と像面との光軸上での距離を示すレンズ全長
である。
【請求項３】
以下の条件（２）を満足する、請求項１に記載の撮像光学系：
０．０７＜ＢＦ／Ｉｒ＜０．４０  ・・・（２）
ここで、
ＢＦ：第２レンズ群の最像側レンズ面と像面との光軸上での空気換算距離、
Ｉｒ：次式で表される、撮像素子の像高
Ｉｒ＝ｆ×ｔａｎω、
ｆ：無限遠合焦状態における全系の焦点距離、
ω：無限遠合焦状態における半画角
である。
【請求項４】
以下の条件（３）を満足する、請求項１に記載の撮像光学系：
０．５＜Ｙ’／（Ｌ−ＬＧ１２）＜１．０  ・・・（３）
ここで、
Ｙ’：最大像高、
Ｌ：無限遠合焦状態における、第１レンズ群の最物体側レンズ面と像面との光軸上での距離を示すレンズ全長、
ＬＧ１２：無限遠合焦状態における、第１レンズ群の最像側レンズ面と第２レンズ群の最物体側レンズ面との光軸上での距離
である。
【請求項５】
以下の条件（４）を満足する、請求項１に記載の撮像光学系：
０．５＜ＬＡ／Ｌ＜１．０  ・・・（４）
ここで、
ＬＡ：開口絞りから像面までの光軸上での距離、
Ｌ：無限遠合焦状態における、第１レンズ群の最物体側レンズ面と像面との光軸上での距離を示すレンズ全長
である。
【請求項６】
前記後続レンズ素子のうち最物体側に位置する第２レンズ素子のパワーの符号は、前記第１レンズ素子のパワーの符号と逆である、請求項１に記載の撮像光学系。
【請求項７】
前記第１レンズ群の最像側レンズ面は、像側に凸面を向けており、
前記第２レンズ群の最物体側レンズ面は、物体側に凹面を向けており、
以下の条件（５）を満足する、請求項１に記載の撮像光学系：
−１．０＜（ＲＧ１ｒ２−ＲＧ２ｒ１）／（ＲＧ１ｒ２＋ＲＧ２ｒ１）＜０．０  ・・・（５）
ここで、
ＲＧ１ｒ２：第１レンズ群の最像側レンズ面の曲率半径、
ＲＧ２ｒ１：第２レンズ群の最物体側レンズ面の曲率半径
である。
【請求項８】
以下の条件（６）を満足する、請求項１に記載の撮像光学系：
０．５＜｜ｆＬ１／ｆ｜＜５．０  ・・・（６）
ここで、
ｆＬ１：無限遠合焦状態における第１レンズ素子の焦点距離、
ｆ：無限遠合焦状態における全系の焦点距離
である。
【請求項９】
以下の条件（７）を満足する、請求項１に記載の撮像光学系：
−１．０＜ｆＧ１／ｆＧ２＜−０．３  ・・・（７）
ここで、
ｆＧ１：無限遠合焦状態における第１レンズ群の合成焦点距離、
ｆＧ２：無限遠合焦状態における第２レンズ群の合成焦点距離
である。
【手続補正３】
【補正対象書類名】図面
【補正対象項目名】全図
【補正方法】変更
【補正の内容】
【図１】
2015040867.tif 000044
【図２】
2015040867.tif 000045
【図３】
2015040867.tif 000046
【図４】
2015040867.tif 000047
【図５】
2015040867.tif 000048
【図６】
2015040867.tif 000049
【図７】
2015040867.tif 000050
【図８】
2015040867.tif 000051
【図９】
2015040867.tif 000052
【図１０】
2015040867.tif 000053
【図１１】
2015040867.tif 000054
【図１２】
2015040867.tif 000055
【図１３】
2015040867.tif 000056
【図１４】
2015040867.tif 000057
【図１５】
2015040867.tif 000058
【図１６】
2015040867.tif 000059
【図１７】
2015040867.tif 000060
【図１８】
2015040867.tif 000061
【図１９】
2015040867.tif 000062
【図２０】
2015040867.tif 000063
【図２１】
2015040867.tif 000064
【図２２】
2015040867.tif 000065
【図２３】
2015040867.tif 000066
【図２４】
2015040867.tif 000067
【図２５】
2015040867.tif 000068
【図２６】
2015040867.tif 000069
【図２７】
2015040867.tif 000070
【図２８】
2015040867.tif 000071
【図２９】
2015040867.tif 000072
【図３０】
2015040867.tif 000073
【図３１】
2015040867.tif 000074
【図３２】
2015040867.tif 000075
【図３３】
2015040867.tif 000076
【図３４】
2015040867.tif 000077
【図３５】
2015040867.tif 000078
【国際調査報告】
2015040867.tif 000079
2015040867.tif 000080
2015040867.tif 000081
2015040867.tif 000082